(57)【要約】  ＩＯＴ(Ｉｎｔｅｒｎｅｔ ｏｆ Ｔｈｉｎｇｓ)技術を用いて４世代(４Ｇ)システムより高いデータ速度をサポートする５世代(５Ｇ)通信システムを融合する通信方法及びシステムを提供すること。本開示はスマートホーム、スマートビルディング、スマートシティ、スマートカー、コネクテッドカー、ヘルスケア、デジタル教育、スマート小売り、保安及び安全サービスのような５Ｇ通信技術及びＩｏＴ関連技術に基づいた知能型サービスに適用されることができる。無線通信システムにおけるＵＥの方法が提供される。方法は、ダウンリンクチャンネルを介して少なくとも一つのＤＭＲＳシーケンスに対してマッピングされたＲＥを含む少なくとも一つのＰＢＣＨシンボルをＢＳから受信する段階と、及びＤＭＲＳ ＲＥを決定する段階と、を含む。 同期化信号(ＳＳ)ブロック仮説は前記ＤＭＲＳ ＲＥにマッピングされる前記少なくとも一つのＤＭＲＳシーケンスから搬送され、前記ＳＳブロック仮説は少なくとも全体又は部分ＳＳブロックインデックスを含む。
2020508614.tif 000002
【特許請求の範囲】
【請求項１】
無線通信システムにおけるユーザ装置(ＵＥ)であって、
ダウンリンクチャンネルを介して少なくとも一つの復調基準信号(ＤＭＲＳ)シーケンスに対してマッピングされたリソース要素(ＲＥ)を含む少なくとも一つの物理的ブロードキャストチャンネル(ＰＢＣＨ)シンボルを基地局(ＢＳ)から受信するように構成された送受信機と、及び
前記送受信機に動作可能に接続され、前記少なくとも一つのＰＢＣＨシンボルに含まれたＤＭＲＳ ＲＥを決定するように構成されたプロセッサと、を含み、
同期化信号(ＳＳ)ブロック仮説は前記ＤＭＲＳ ＲＥでマッピングされる前記少なくとも一つのＤＭＲＳシーケンスから搬送され、
前記ＳＳブロック仮説は少なくとも全体又は部分ＳＳブロックインデックスを含む、無線通信システムにおけるユーザ装置(ＵＥ)。
【請求項２】
前記送受信機は、ＳＳＳ(ｓｅｃｏｎｄａｒｙ ｓｙｎｃｈｒｏｎｉｚａｔｉｏｎ ｓｉｇｎａｌ)に用いられることと同一な送信方式を用いて前記ＳＳＳに用いられる同一なアンテナポート上で前記少なくとも一つのＤＭＲＳシーケンスを受信するようにさらに構成される、請求項１に記載の無線通信システムにおけるユーザ装置(ＵＥ)。
【請求項３】
前記ＤＭＲＳ ＲＥのうちの少なくとも一つは前記少なくとも一つのＰＢＣＨシンボル内のすべての４個のサブキャリア上に存在する、請求項１に記載の無線通信システムにおけるユーザ装置(ＵＥ)。
【請求項４】
前記プロセッサは、前記ＳＳブロックインデックスに基づいて予め定義されたマッピングパターンを用いてＳＳバーストセットの２０ｍｓ周期内で連続的なスロットでマッピングされたＳＳブロックを決定するようにさらに構成され、
前記連続的なスロットのそれぞれはＳＳブロックの対を含み、
スロットに含まれた前記ＳＳブロックの対の内のＳＳブロックの開始シンボル及び１ｍｓ内のＳＳブロックの最大数は前記ＳＳブロックのサブキャリア間隔によって決定される、請求項１に記載の無線通信システムにおけるユーザ装置(ＵＥ)。
【請求項５】
ＳＳブロックの前記サブキャリア間隔が１５ｋＨｚである時、最大２個のＳＳブロックは１ｍｓ内にマッピングされ、スロットに含まれた前記ＳＳブロックの対の内の第１ＳＳブロックの開始シンボルは前記スロット内のシンボル＃２であり、スロットに含まれた前記ＳＳブロックの対の内の第２ＳＳブロックの開始シンボルは前記スロット内のシンボル＃８である、請求項４に記載の無線通信システムにおけるユーザ装置(ＵＥ)。
【請求項６】
ＳＳブロックの前記サブキャリア間隔が３０ｋＨｚである時、最大４個のＳＳブロックは１ｍｓ内にマッピングされ、スロットに含まれた前記ＳＳブロックの対の内の第１ＳＳブロックの開始シンボルは前記スロット内のシンボル＃７であり、スロットに含まれた前記ＳＳブロックの対の内の第２ＳＳブロックの開始シンボルは前記スロット内のシンボル＃１１である、請求項４に記載の無線通信システムにおけるユーザ装置(ＵＥ)。
【請求項７】
無線通信システムにおける基地局(ＢＳ)であって、
少なくとも一つの物理的ブロードキャストチャンネル(ＰＢＣＨ)シンボルに含まれた復調基準信号(ＤＭＲＳ)リソース要素(ＲＥ)を決定し、
前記ＤＭＲＳ ＲＥでマッピングされる少なくとも一つのＤＭＲＳシーケンスから搬送された同期化信号(ＳＳ)ブロック仮説−前記ＳＳブロック仮説は少なくとも全体又は部分ＳＳブロックインデックスを含み−を生成するように構成されたプロセッサと、及び
前記プロセッサに動作可能に接続され、ダウンリンクチャンネルを介して前記少なくとも一つのＤＭＲＳシーケンスに対してマッピングされた前記ＲＥを含む前記少なくとも一つのＰＢＣＨシンボルをユーザ装置(ＵＥ)で送信するように構成された送受信機と、を含む、無線通信システムにおける基地局(ＢＳ)。
【請求項８】
前記送受信機は、ＳＳＳ(ｓｅｃｏｎｄａｒｙ ｓｙｎｃｈｒｏｎｉｚａｔｉｏｎ ｓｉｇｎａｌ)に用いられることと同一な送信方式を用いて前記ＳＳＳに用いられる同一なアンテナポート上で前記少なくとも一つのＤＭＲＳシーケンスを送信するようにさらに構成され、
前記ＤＭＲＳ ＲＥのうちの少なくとも一つは前記少なくとも一つのＰＢＣＨシンボル内のすべての４個のサブキャリア上に存在する、請求項７に記載の無線通信システムにおける基地局(ＢＳ)。
【請求項９】
前記プロセッサは、前記ＳＳブロックインデックスに基づいて予め定義されたマッピングパターンを用いてＳＳバーストセットの２０ｍｓ周期内で連続的なスロットでマッピングされたＳＳブロックを生成するようにさらに構成され、
前記連続的なスロットのそれぞれはＳＳブロックの対を含み、
スロットに含まれた前記ＳＳブロックの対の内のＳＳブロックの開始シンボル及び１ｍｓ内のＳＳブロックの最大数は前記ＳＳブロックのサブキャリア間隔によって決定される、請求項７に記載の無線通信システムにおける基地局(ＢＳ)。
【請求項１０】
ＳＳブロックの前記サブキャリア間隔が１５ｋＨｚである時、最大２個のＳＳブロックは１ｍｓ内にマッピングされ、スロットに含まれた前記ＳＳブロックの対の内の第１ＳＳブロックの開始シンボルは前記スロット内のシンボル＃２であり、スロットに含まれた前記ＳＳブロックの対の内の第２ＳＳブロックの開始シンボルは前記スロット内のシンボル＃８である、請求項９に記載の無線通信システムにおける基地局(ＢＳ)。
【請求項１１】
ＳＳブロックの前記サブキャリア間隔が３０ｋＨｚである時、最大４個のＳＳブロックは１ｍｓ内にマッピングされ、スロットに含まれた前記ＳＳブロックの対の内の第１ＳＳブロックの開始シンボルは前記スロット内のシンボル＃７であり、スロットに含まれた前記ＳＳブロックの対の内の第２ＳＳブロックの開始シンボルは前記スロット内のシンボル＃１１である、請求項９に記載の無線通信システムにおける基地局(ＢＳ)。
【請求項１２】
無線通信システムにおけるユーザ装置(ＵＥ)の方法であって、
ダウンリンクチャンネルを介して少なくとも一つの復調基準信号(ＤＭＲＳ)シーケンスに対してマッピングされたリソース要素(ＲＥ)を含む少なくとも一つの物理的ブロードキャストチャンネル(ＰＢＣＨ)シンボルを基地局(ＢＳ)から受信する段階と、及び
前記少なくとも一つのＰＢＣＨシンボルに含まれたＤＭＲＳ ＲＥを決定する段階と、を含み、
同期化信号(ＳＳ)ブロック仮説は前記ＤＭＲＳ ＲＥにマッピングされる前記少なくとも一つのＤＭＲＳシーケンスから搬送され、
前記ＳＳブロック仮説は少なくとも全体又は部分ＳＳブロックインデックスを含む、無線通信システムにおけるユーザ装置(ＵＥ)の方法。
【請求項１３】
ＳＳＳ(ｓｅｃｏｎｄａｒｙ ｓｙｎｃｈｒｏｎｉｚａｔｉｏｎ ｓｉｇｎａｌ)に用いられることと同一な送信方式を用いて前記ＳＳＳに用いられる同一なアンテナポート上で前記少なくとも一つのＤＭＲＳシーケンスを受信する段階と、をさらに含み、
前記ＤＭＲＳ ＲＥのうちの少なくとも一つは前記少なくとも一つのＰＢＣＨシンボル内のすべての４個のサブキャリア上に存在する、請求項１２に記載の無線通信システムにおけるユーザ装置(ＵＥ)の方法。
【請求項１４】
前記ＳＳブロックインデックスに基づいて予め定義されたマッピングパターンを用いてＳＳバーストセットの２０ｍｓ周期内で連続的なスロットでマッピングされたＳＳブロックを決定する段階と、をさらに含み、
前記連続的なスロットのそれぞれはＳＳブロックの対を含み、
スロットに含まれた前記ＳＳブロックの対の内のＳＳブロックの開始シンボル及び１ｍｓ内のＳＳブロックの最大数は前記ＳＳブロックのサブキャリア間隔によって決定される、請求項１２に記載の無線通信システムにおけるユーザ装置(ＵＥ)の方法。
【請求項１５】
ＳＳブロックの前記サブキャリア間隔が１５ｋＨｚである時、最大２個のＳＳブロックは１ｍｓ内にマッピングされ、スロットに含まれた前記ＳＳブロックの対の内の第１ＳＳブロックの開始シンボルは前記スロット内のシンボル＃２であり、スロットに含まれた前記ＳＳブロックの対の内の第２ＳＳブロックの開始シンボルは前記スロット内のシンボル＃８であり、
ＳＳブロックの前記サブキャリア間隔が３０ｋＨｚである時、最大４個のＳＳブロックは１ｍｓ内にマッピングされ、スロットに含まれた前記ＳＳブロックの対の内の第１ＳＳブロックの開始シンボルは前記スロット内のシンボル＃７であり、スロットに含まれた前記ＳＳブロックの対の内の第２ＳＳブロックの開始シンボルは前記スロット内のシンボル＃１１である、請求項１４に記載の無線通信システムにおけるユーザ装置(ＵＥ)の方法。
【発明の詳細な説明】
【技術分野】
【０００１】
本開示は、一般的に無線通信システムに関し、より詳しくはＲＳ搬送された情報(ＲＳ ｃａｒｒｉｅｄ ｉｎｆｏｒｍａｔｉｏｎ)と共にＮＲブロードキャスト信号(ＮＲ ｂｒｏａｄｃａｓｔ ｓｉｇｎａｌ)を復調するためのＲＳ多重化パターン(ＲＳ ｍｕｌｔｉｐｌｅｘｉｎｇ ｐａｔｔｅｒｎ)及び手続きに関する。
【背景技術】
【０００２】
４Ｇ通信システムの配置(ｄｅｐｌｏｙｍｅｎｔ)以後に増加された無線データトラフィック(ｗｉｒｅｌｅｓｓ ｄａｔａ ｔｒａｆｆｉｃ)に対するニーズを満たすため、改善された５Ｇ又はｐｒｅ−５Ｇ通信システムを開発するための努力が行った。したがって、５Ｇ又はｐｒｅ−５Ｇ通信システムは‘Ｂｅｙｏｎｄ ４Ｇ Ｎｅｔｗｏｒｋ’又は‘Ｐｏｓｔ ＬＴＥ’と呼ばれる。５Ｇ通信システムは高周波(ｍｍＷａｖｅ)帯域、例えば、６０ＧＨｚ帯域で具現されてより高いデータ速度を達成することで考慮される。無線波(ｒａｄｉｏ ｗａｖｅ)の電波損失を減少させて、送信距離を増加させるためにビームフォーミング(ｂｅａｍｆｏｒｍｉｎｇ)、大量ＭＩＭＯ(ｍａｓｓｉｖｅ ｍｕｌｔｉｐｌｅ−ｉｎｐｕｔ ｍｕｌｔｉｐｌｅ−ｏｕｔｐｕｔ)、ＦＤ−ＭＩＭＯ(Ｆｕｌｌ Ｄｉｍｅｎｓｉｏｎａｌ ＭＩＭＯ)、アレイアンテナ(ａｒｒａｙ ａｎｔｅｎｎａ)、アナログビームフォーミング(ａｎａｌｏｇ ｂｅａｍ−ｆｏｒｍｉｎｇ)、大規模アンテナ技術(ｌａｒｇｅ ｓｃａｌｅ ａｎｔｅｎｎａ)は５Ｇ通信システムで論議される。さらに、５Ｇ通信システムで進化された小型セル(ａｄｖａｎｃｅｄ ｓｍａｌｌ ｃｅｌｌ)、クラウドＲＡＮ(Ｒａｄｉｏ Ａｃｃｅｓｓ Ｎｅｔｗｏｒｋ)、超高密度ネットワーク(ｕｌｔｒａ−ｄｅｎｓｅ ｎｅｔｗｏｒｋ)、Ｄ２Ｄ(Ｄｅｖｉｃｅ ｔｏ Ｄｅｖｉｃｅ)、無線バックホール(ｗｉｒｅｌｅｓｓ ｂａｃｋｈａｕｌ)、移動ネットワーク(ｍｏｖｉｎｇ ｎｅｔｗｏｒｋ)、協力通信(ｃｏｏｐｅｒａｔｉｖｅ ｃｏｍｍｕｎｉｃａｔｉｏｎ)、ＣｏＭＰ(Ｃｏｏｒｄｉｎａｔｅｄ Ｍｕｌｔｉ−Ｐｏｉｎｔｓ)、受信端干渉除去(ｒｅｃｅｐｔｉｏｎ−ｅｎｄ ｉｎｔｅｒｆｅｒｅｎｃｅ ｃａｎｃｅｌｌａｔｉｏｎ)などに基づいてシステムネットワーク改善のための開発が進行されつつある。５Ｇシステムで、ＡＣＭ(Ａｄｖａｎｃｅｄ Ｃｏｄｉｎｇ Ｍｏｄｕｌａｔｉｏｎ)としてハイブリッドＦＱＡＭ(ＦＳＫ ａｎｄ ＱＡＭ Ｍｏｄｕｌａｔｉｏｎ)及び、 進歩されたアクセス技術としてＦＢＭＣ(Ｆｉｌｔｅｒ ｂａｎｋ ｍｕｌｔｉ ｃａｒｒｉｅｒ)、ＮＯＭＡ(ｎｏｎ ｏｒｔｈｏｇｏｎａｌ ｍｕｌｔｉｐｌｅ ａｃｃｅｓｓ)及びＳＣＭＡ(ｓｐａｒｓｅ ｃｏｄｅ ｍｕｌｔｉｐｌｅ
ａｃｃｅｓｓ)が開発された。
【０００３】
人間が情報を生成して消費する人間中心の接続ネットワークであるインターネットは、もう事物(ｔｈｉｎｇ)のような分散されたエンティティが人間の介入無しに情報を取り交わして処理するＩｏＴ(Ｉｎｔｅｒｎｅｔ ｏｆ Ｔｈｉｎｇｓ)へ進化しつつある。クラウドサーバーとの接続を通じるＩｏＴ技術とビックデータ(Ｂｉｇ ｄａｔａ)処理技術の組み合せであるＩｏＥ(Ｉｎｔｅｒｎｅｔ ｏｆ Ｅｖｅｒｙｔｈｉｎｇ)が登場した。“センシング技術”、“有無線通信及びネットワークインフラ構造(ｗｉｒｅｄ／ｗｉｒｅｌｅｓｓ ｃｏｍｍｕｎｉｃａｔｉｏｎ ａｎｄ ｎｅｔｗｏｒｋ iｎｆｒａｓｔｒｕｃｔｕｒｅ)”、“サービスインターフェース技術(ｓｅｒｖｉｃｅ ｉｎｔｅｒｆａｃｅ tｅｃｈｎｏｌｏｇｙ）”、及び“保安技術(Ｓｅｃｕｒｉｔｙ ｔｅｃｈｎｏｌｏｇｙ)”のような技術要素がＩｏＴ具現のために要求されることによって、センサーネットワーク(ｓｅｎｓｏｒ ｎｅｔｗｏｒｋ)、Ｍ２Ｍ(Ｍａｃｈｉｎｅ−ｔｏ−Ｍａｃｈｉｎｅ)通信、ＭＴＣ(Ｍａｃｈｉｎｅ Ｔｙｐｅ Ｃｏｍｍｕｎｉｃａｔｉｏｎ)などは最近に研究されてきた。このようなＩｏＴ環境は接続された事物間に生成されたデータを収集して分析することによって人間の生活に新しい価値を創出する知能型インターネット技術サービス(ｉｎｔｅｌｌｉｇｅｎｔ Ｉｎｔｅｒｎｅｔ ｔｅｃｈｎｏｌｏｇｙ ｓｅｒｖｉｃｅｓ)を提供することができる。ＩｏＴは既存の情報技術(Ｉｎｆｏｒｍａｔｉｏｎ Ｔｅｃｈｎｏｌｏｇｙ；ＩＴ)と多様な産業用のアプリケーション間のコンバージェンス(ｃｏｎｖｅｒｇｅｎｃｅ )及び組合せを介してスマートホーム、スマートビルディング、スマートシティ、スマートカー又はコネクテッドカー、スマートグリッド、ヘルスケア、スマート家電、先端医療サービスを含む多様な分野に適用されることができる。
【０００４】
これにより、５Ｇ通信システムをＩｏＴネットワークに適用するための多様な試みが成っている。例えば、センサーネットワーク、 ＭＴＣ(Ｍａｃｈｉｎｅ Ｔｙｐｅ Ｃｏｍｍｕｎｉｃａｔｉｏｎ)及びＭ２Ｍ(Ｍａｃｈｉｎｅ ｔｏ Ｍａｃｈｉｎｅ)通信のような技術はビームフォーミング、ＭＩＭＯ及びアレイアンテナによって具現されることができる。前述したビックデータ処理技術としてのクラウドＲＡＮ(Ｒａｄｉｏ Ａｃｃｅｓｓ Ｎｅｔｗｏｒｋ)の適用はさらに５Ｇ技術とＩｏＴ技術の間のコンバージェンスの一例と言えるだろう。
【０００５】
無線通信ネットワークにおいて、ネットワークアクセス及び無線リソース管理(ｒａｄｉｏ ｒｅｓｏｕｒｃｅ ｍａｎａｇｅｍｅｎｔ、ＲＲＭ)は物理的階層同期化信号(ｐｈｙｓｉｃａｌ ｌａｙｅｒ ｓｙｎｃｈｒｏｎｉｚａｔｉｏｎ ｓｉｇｎａｌ)及び上位(ＭＡＣ)階層手続きによって可能となる(ｅｎａｂｌｅｄ)。特に、ＵＥは初期アクセスのために少なくとも一つのセル識別(ｉｄｅｎｔｉｆｉｃａｔｉｏｎ、ＩＤ)と共に同期化信号の存在を検出しようと試みる。ＵＥがネットワークにあり、サービングセルと連関されると、ＵＥは同期化信号を検出しようと試みて／試みたり連関されたセル特定基準信号(ｒｅｆｅｒｅｎｃｅ ｓｉｇｎａｌ、ＲＳ)を測定することによって多くの隣接したセルをモニタリングする。
【発明の概要】
【発明が解決しようとする課題】
【０００６】
３ＧＰＰ−ＮＲ(ｔｈｉｒｄ ｇｅｎｅｒａｔｉｏｎ ｐａｒｔｎｅｒｓｈｉｐ−ｎｅｗ ｒａｄｉｏ ａｃｃｅｓｓ ｏｒ ｉｎｔｅｒｆａｃｅ)のような次世代セルラシステムの場合、それぞれ相違するカバレッジ要求事項(ｃｏｖｅｒａｇｅ ｒｅｑｕｉｒｅｍｅｎｔ)に相応するｅＭＢＢ(ｅｎｈａｎｃｅｄ ｍｏｂｉｌｅ ｂｒｏａｄｂａｎｄ)、ＵＲＬＬＣ(ｕｌｔｒａ ｒｅｌｉａｂｌｅ ｌｏｗ ｌａｔｅｎｃｙ)、ｍＭＴＣ(ｍａｓｓｉｖｅ ｍａｃｈｉｎｅ ｔｙｐｅ ｃｏｍｍｕｎｉｃａｔｉｏｎ)のような多様なユースケース及び相違する電波損失(ｐｒｏｐａｇａｔｉｏｎ ｌｏｓｓ)を有する周波数帯域に対して作動する効率的でかつ統合された無線リソース獲得又は追跡メカニズム(ｕｎｉｆｉｅｄ ｒａｄｉｏ ｒｅｓｏｕｒｃｅ ａｃｑｕｉｓｉｔｉｏｎ ｏｒ ｔｒａｃｋｉｎｇ ｍｅｃｈａｎｉｓｍ)が好ましい。大部分の相違するネットワーク及び無線リソースパラダイム(ｒａｄｉｏ ｒｅｓｏｕｒｃｅ ｐａｒａｄｉｇｍ)で設計され、円滑な低待機時間ＲＲＭ(ｓｅａｍｌｅｓｓ ａｎｄ ｌｏｗ−ｌａｔｅｎｃｙ ＲＲＭ)がさらに好ましい。
【課題を解決するための手段】
【０００７】
一実施形態で、無線通信システムにおけるユーザ装置(ＵＥ)が提供される。ＵＥは、ダウンリンクチャンネルを介して少なくとも一つの復調基準信号(ｄｅｍｏｄｕｌａｔｉｏｎ ｒｅｆｅｒｅｎｃｅ ｓｉｇｎａｌ、ＤＭＲＳ)シーケンスに対してマッピングされたリソース要素(ｒｅｓｏｕｒｃｅ ｅｌｅｍｅｎｔ、ＲＥ)を含む少なくとも一つの物理的ブロードキャストチャンネル(ｐｈｙｓｉｃａｌ ｂｒｏａｄｃａｓｔｉｎｇ ｃｈａｎｎｅｌ、ＰＢＣＨ)シンボルを基地局(ｂａｓｅ ｓｔａｔｉｏｎ、ＢＳ)から受信するように構成された送受信機を含む。ＵＥは、送受信機に動作可能に接続されたプロセッサをさらに含む。プロセッサは少なくとも一つのＰＢＣＨシンボルに含まれたＤＭＲＳ ＲＥを決定するように構成される。同期化信号(ｓｙｎｃｈｒｏｎｉｚａｔｉｏｎ ｓｉｇｎａｌ、ＳＳ)ブロック仮説(ｂｌｏｃｋ ｈｙｐｏｔｈｅｓｅ)はＤＭＲＳ ＲＥでマッピングされる少なくとも一つのＤＭＲＳシーケンスから搬送される。ＳＳブロック仮説は少なくとも全体又は部分ＳＳブロックインデックスを含む。
【０００８】
他の実施形態で、無線通信システムのＢＳが提供される。ＢＳは少なくとも一つのＰＢＣＨシンボルに含まれたＤＭＲＳ ＲＥを決定し、ＤＭＲＳ ＲＥでマッピングされる少なくとも一つのＤＭＲＳシーケンスから搬送されたＳＳブロック仮説を生成するように構成されたプロセッサを含み、ＳＳブロック仮説は少なくとも全体又は部分ＳＳブロックインデックスを含む。ＢＳはプロセッサに動作可能に接続された送受信機をさらに含み、送受信機はダウンリンクチャンネルを介して少なくとも一つのＤＭＲＳシーケンスに対してマッピングされたＲＥを含む少なくとも一つのＰＢＣＨシンボルをＵＥで送信するように構成される。
【０００９】
また他の実施形態で、無線通信システムにおけるＵＥの方法が提供される。方法は、ダウンリンクチャンネルを介して少なくとも一つのＤＭＲＳシーケンスに対してマッピングされたＲＥを含む少なくとも一つのＰＢＣＨシンボルをＢＳから受信する段階と、及び少なくとも一つのＰＢＣＨシンボルに含まれたＤＭＲＳ ＲＥを決定する段階と、を含み、ＳＳブロック仮説はＤＭＲＳ ＲＥでマッピングされる少なくとも一つのＤＭＲＳシーケンスから搬送され、ＳＳブロック仮説は少なくとも全体又は部分ＳＳブロックインデックスを含む。
【００１０】
他の技術的特徴は次の図面、説明及び請求項から通常の技術者に容易に明白である。
【００１１】
以下の詳細な説明する前に、本特許文書全体にかけて用いられた特定単語及び文句を定義することが有利することができる。用語“結合(ｃｏｕｐｌｅ)”及びこの派生語は２つ以上の要素が互い物理的に接触するか否かに関わらず２つ以上の要素間のある直接又は間接通信を指す。用語“送信する”、“受信する”及び“通信する”だけではなくこの派生語は直接及び間接通信のいずれもを含む。用語“含む(ｉｎｃｌｕｄｅ)”及び“構成する(ｃｏｍｐｒｉｓｅ)”だけではなくこの派生語は制限無しに含むことを意味する。用語 “又は”は包括的で、及び／又はを意味する。語句“〜と連関された(ａｓｓｏｃｉａｔｅｄ ｗｉｔｈ)”だけではなくこの派生語は〜含む(ｉｎｃｌｕｄｅ)、に含まれて(ｉｎｃｌｕｄｅｄ ｗｉｔｈｉｎ)、〜と結合する(ｉｎｔｅｒｃｏｎｎｅｃｔ ｗｉｔｈ)、を含有する(ｃｏｎｔａｉｎ)、に含有されている(ｂｅ ｃｏｎｔａｉｎｅｄ ｗｉｔｈｉｎ)、〜に接続する(ｃｏｎｎｅｃｔ ｔｏ ｏｒ ｗｉｔｈ)、〜と結合する(ｃｏｕｐｌｅ ｔｏ ｏｒ ｗｉｔｈ)、〜に伝達する(ｂｅ ｃｏｍｍｕｎｉｃａｂｌｅ ｗｉｔｈ)、〜と協力する(ｃｏｏｐｅｒａｔｅ ｗｉｔｈ)、〜をインタリーブする(ｉｎｔｅｒｌｅａｖｅ)、〜を併置する(ｊｕｘｔａｐｏｓｅ)、に近づく(ｂｅ ｐｒｏｘｉｍａｔｅ ｔｏ)、〜バウンディングする(ｂｅ ｂｏｕｎｄ ｔｏ ｏｒ ｗｉｔｈ)、所有する(ｈａｖｅ)、属性を有する(ｈａｖｅ ａ ｐｒｏｐｅｒｔｙ ｏｆ)、〜と関係を有する(ｈａｖｅ ａ ｒｅｌａｔｉｏｎｓｈｉｐ ｔｏ ｏｒ ｗｉｔｈ)などを意味する。用語“制御機”は少なくとも一つの動作を制御する任意のデバイス、システム又はこの一部を意味する。このような制御機はハードウェア又はハードウェア及びソフトウェアの組み合せ及び／又はファームウエアで具現されることができる。任意の特定制御機と連関された機能はローカル又は遠隔に中央集中化されたり分散されることができる。文句“少なくとも一つ(ａｔ ｌｅａｓｔ ｏｎｅ ｏｆ)”は、項目のリストと共に用いられる場合、羅列された項目中の一つ以上の異なる組み合せが用いられることを意味する。例えば、“Ａ、Ｂ及びＣのうちの少なくとも一つ”は次の組み合せ：Ａ、Ｂ、Ｃ、Ａ及びＢ、Ａ及びＣ、Ｂ及びＣ、及びＡ及びＢ及びＣのうちのい
ずれか一つを含む。
【００１２】
さらに、後述する多様な機能は一つ以上のコンピュータープログラムによって具現されたりサポートされることができ、それぞれのコンピュータープログラムはコンピューター読取り可能プログラムコードで形成され、コンピューター読取り可能な媒体で具現される。用語“アプリケーション”及び“プログラム”は適切なコンピューター読取り可能プログラムコードで具現のための適用された１つ以上のコンピュータープログラム、ソフトウェア構成要素、コマンドセット、手続き、関数、客体、クラス、インスタンス、連関データ又はその一部を指称する。文句“コンピューター読取り可能プログラムコード”はソースコード、客体コード及び実行可能コードを含むコンピューターコードの種類を含む。文句“コンピューター読取り可能媒体”はＲОＭ(ｒｅａｄ ｏｎｌｙ ｍｅｍｏｒｙ)、ＲＡＭ(ｒａｎｄｏｍ ａｃｃｅｓｓ ｍｅｍｏｒｙ)、ハードディスクドライブ、コンパクトディスク(ＣＤ)、デジタルビデオディスク(ＤＶＤ)、又は任意の他のタイプのメモリーのようにコンピューターによりアクセスされることができる任意のタイプの媒体を含む。“非一時的”コンピューター読取り可能媒体は有線、無線、光学、一時的な電気的又は他の信号を伝達させる通信リンクを除く。非一時的コンピューター読取り可能媒体はデータが永久的に記憶されることができる媒体、及び再記録可能光ディスク又は消去可能メモリーデバイスのようにデータが記憶され、後で上書きされることができるような媒体を含む。
【００１３】
他の特定単語及び文句に対する定義は本特許文書全体にかけて提供される。通常の技術者は大部分の場合ではないがこのような定義がこのような定義された単語及び文句の以前及び以後の使用に適用されるということを理解しなければならない。
【発明の効果】
【００１４】
本開示の実施形態は進歩された無線通信システムにおいてＮＲ−ＳＳバーストセット設計を提供する。
【図面の簡単な説明】
【００１５】
本開示及びこの利点に対するより完全な理解のために添付された図面に係って取られた次の説明を参照し、同一な図面符号は同一な部分を示す。
【図１】本開示の実施形態による例示的な無線ネットワークを示す。
【図２】本開示の実施形態による例示的なｅＮＢを示す。
【図３】本開示の実施形態による例示的なＵＥを示す。
【図４ａ】本開示の実施形態による直交周波数分割多重アクセス送信経路のハイレベルダイヤグラムを示す。
【図４ｂ】本開示の実施形態による直交周波数分割多重アクセス受信経路のハイレベルダイヤグラムを示す。
【図５】本開示の実施形態によるサブフレームでのＰＤＳＣＨに対する送信機ブロック図を示す。
【図６】本開示の実施形態によるサブフレームでのＰＤＳＣＨに対する受信機ブロック図を示す。
【図７】本開示の実施形態によるサブフレームでのＰＵＳＣＨに対する送信機ブロック図を示す。
【図８】本開示の実施形態によるサブフレームでのＰＵＳＣＨに対する受信機ブロック図を示す。
【図９】本開示の実施形態による２つのスライスの例示的な多重化を示す。
【図１０】本開示の実施形態による例示的なアンテナブロックを示す。
【図１１】本開示の実施形態による例示的なＵＥ移動性シナリオを示す。
【図１２】本開示の実施形態による例示的なビームスイーピング動作を示す。
【図１３】本開示の実施形態によるＬＴＥでの例示的なＳＳＳ／ＰＳＳ／ＰＢＣＨを示す。
【図１４】本開示の実施形態による多重ビームＮＲ−ＰＳＳ／ＳＳＳ／ＰＢＣＨを示す。
【図１５】本開示の実施形態による例示的なＮＲ−ＳＳバーストセット構成を示す。
【図１６】本開示の実施形態による他の例示的なＮＲ−ＳＳバーストセット構成を示す。
【図１７ａ】本開示の実施形態による例示的なＳＳブロック位置を示す。
【図１７ｂ】本開示の実施形態による他の例示的なＳＳブロック位置を示す。
【図１７ｃ】本開示の実施形態によるまた他の例示的なＳＳブロック位置を示す。
【図１７ｄａ】本開示の実施形態によるまた他の例示的なＳＳブロック位置を示す。
【図１７ｄｂ】本開示の実施形態によるまた他の例示的なＳＳブロック位置を示す。
【図１７ｅａ】本開示の実施形態によるまた他の例示的なＳＳブロック位置を示す。
【図１７ｅｂ】本開示の実施形態によるまた他の例示的なＳＳブロック位置を示す。
【図１７ｆ】本開示の実施形態によるまた他の例示的なＳＳブロック位置を示す。
【図１８ａ】本開示の実施形態によってＮＲ−ＰＢＣＨを復調するために用いられる例示的なＲＳを示す。
【図１８ｂ】本開示の実施形態によってＮＲ−ＰＢＣＨを復調するために用いられる例示的なＲＳを示す。
【図１９ａ】本開示の実施形態による例示的なＴＤＭ ＰＳＳ／ＳＳＳ／ＰＢＣＨシンボルを示す。
【図１９ｂ】本開示の実施形態による例示的なＴＤＭ ＰＳＳ／ＳＳＳ／ＰＢＣＨシンボルを示す。
【図１９ｃ】本開示の実施形態による例示的なＴＤＭ ＰＳＳ／ＳＳＳ／ＰＢＣＨシンボルを示す。
【図２０ａ】本開示の実施形態による他の例示的なＴＤＭ ＰＳＳ／ＳＳＳ／ＰＢＣＨシンボルを示す。
【図２０ｂ】本開示の実施形態による他の例示的なＴＤＭ ＰＳＳ／ＳＳＳ／ＰＢＣＨシンボルを示す。
【図２０ｃ】本開示の実施形態による他の例示的なＴＤＭ ＰＳＳ／ＳＳＳ／ＰＢＣＨシンボルを示す。
【図２１ａａ】本開示の実施形態による例示的なＮＲ−ＳＳＳシーケンスを示す。
【図２１ａｂ】本開示の実施形態による例示的なＮＲ−ＳＳＳシーケンスを示す。
【図２１ｂａ】本開示の実施形態による他の例示的なＮＲ−ＳＳＳシーケンスを示す。
【図２１ｂｂ】本開示の実施形態による他の例示的なＮＲ−ＳＳＳシーケンスを示す。
【図２２ａ】本開示の実施形態によるＮＲ−ＰＢＣＨでの例示的なセルフコンテインド(ｓｅｌｆ−ｃｏｎｔａｉｎｅｄ)ＤＭＲＳ設計を示す。
【図２２ｂ】本開示の実施形態によるＮＲ−ＰＢＣＨでの他の例示的なセルフコンテインドＤＭＲＳ設計を示す。
【図２３ａ】本開示の実施形態によるＮＲ−ＰＢＣＨでのまた他の例示的なセルフコンテインドＤＭＲＳ設計を示す。
【図２３ｂ】本開示の実施形態によるＮＲ−ＰＢＣＨでのまた他の例示的なセルフコンテインドＤＭＲＳ設計を示す。
【図２４ａ】本開示の実施形態によるＮＲ−ＰＢＣＨでのまた他の例示的なセルフコンテインドＤＭＲＳ設計を示す。
【図２４ｂ】本開示の実施形態によるＮＲ−ＰＢＣＨでのまた他の例示的なセルフコンテインドＤＭＲＳ設計を示す。
【図２５ａ】本開示の実施形態によるＮＲ−ＳＳブロックの例示的な位置を示す。
【図２５ｂ】本開示の実施形態によるＮＲ−ＳＳブロックの他の例示的な位置を示す。
【図２５ｃ】本開示の実施形態によるＮＲ−ＳＳブロックのまた他の例示的な位置を示す。
【図２５ｄ】本開示の実施形態によるＮＲ−ＳＳブロックのまた他の例示的な位置を示す。
【図２６ａ】本開示の実施形態によるＮＲ−ＳＳブロックの例示的な位置を示す。
【図２６ｂ】本開示の実施形態によるＮＲ−ＳＳブロックの他の例示的な位置を示す。
【図２６ｃ】本開示の実施形態によるＮＲ−ＳＳブロックのまた他の例示的な位置を示す。
【図２６ｄ】本開示の実施形態によるＮＲ−ＳＳブロックのまた他の例示的な位置を示す。
【図２７ａ】本開示の実施形態による例示的な４−シンボルＳＳブロックを示す。
【図２７ｂ】本開示の実施形態による例示的な５−シンボルＳＳブロックを示す。
【図２８ａ】本開示の実施形態による他の４−シンボルＳＳブロックを示す。
【図２８ｂ】本開示の実施形態によるまた他の４−シンボルＳＳブロックを示す。
【図２８ｃ】本開示の実施形態による他の５−シンボルＳＳブロックを示す。
【発明を実施するための形態】
【００１６】
以下、論議される図１乃至図２８ｃ、及び本特許文書で本開示の原理を説明するために用いられた多様な実施形態はただ例示のためのもので、どんなふうでも本開示の範囲を制限することで解釈されてはいけない。通常の技術者は本開示の原理が適切に配置された任意のシステム又はデバイスで具現されることができるということを理解することができる。
【００１７】
次の文書及び標準説明は本明細書に充分に説明されたように本開示に参照で統合される：３ＧＰＰ ＴＳ ３６．２１１ ｖ１３．２．０、“Ｅ−ＵＴＲＡ、Ｐｈｙｓｉｃａｌ ｃｈａｎｎｅｌｓ ａｎｄ ｍｏｄｕｌａｔｉｏｎ；” ３ＧＰＰ ＴＳ ３６．２１２ ｖ１３．２．０、“Ｅ−ＵＴＲＡ、Ｍｕｌｔｉｐｌｅｘｉｎｇ ａｎｄ Ｃｈａｎｎｅｌ ｃｏｄｉｎｇ；” ３ＧＰＰ ＴＳ ３６．２１３ ｖ１３．２．０、“Ｅ−ＵＴＲＡ、Ｐｈｙｓｉｃａｌ Ｌａｙｅｒ Ｐｒｏｃｅｄｕｒｅｓ；”３ＧＰＰ ＴＳ ３６．３２１ ｖ１３．２．０、“Ｅ−ＵＴＲＡ、Ｍｅｄｉｕｍ Ａｃｃｅｓｓ Ｃｏｎｔｒｏｌ (ＭＡＣ) ｐｒｏｔｏｃｏｌ ｓｐｅｃｉｆｉｃａｔｉｏｎ；” ａｎｄ ３ＧＰＰ ＴＳ ３６．３３１ ｖ１３．２．０、“Ｅ−ＵＴＲＡ、Ｒａｄｉｏ Ｒｅｓｏｕｒｃｅ Ｃｏｎｔｒｏｌ(ＲＲＣ)ｐｒｏｔｏｃｏｌ ｓｐｅｃｉｆｉｃａｔｉｏｎ。” 
【００１８】
４Ｇ通信システムの配置以後に増加された無線データトラフィックに対するニーズを満たすため、改善された５Ｇ又はｐｒｅ−５Ｇ通信システムを開発するための努力が行った。したがって、５Ｇ又はｐｒｅ−５Ｇ通信システムは‘Ｂｅｙｏｎｄ ４Ｇ Ｎｅｔｗｏｒｋ’又は‘Ｐｏｓｔ ＬＴＥ’と呼ばれる。
【００１９】
５Ｇ通信システムはさらに高周波(ｍｍＷａｖｅ)帯域、例えば、６０ＧＨｚ帯域で具現されてより高いデータ速度を達成することで考慮される。無線波(ｒａｄｉｏ ｗａｖｅ)の電波損失を減少させて、送信距離を増加させるためにビームフォーミング(ｂｅａｍｆｏｒｍｉｎｇ)、大量ＭＩＭＯ(ｍａｓｓｉｖｅ ｍｕｌｔｉｐｌｅ−ｉｎｐｕｔ ｍｕｌｔｉｐｌｅ−ｏｕｔｐｕｔ)、ＦＤ−ＭＩＭＯ(Ｆｕｌｌ Ｄｉｍｅｎｓｉｏｎａｌ ＭＩＭＯ)、アレイアンテナ、アナログビームフォーミング、大規模アンテナ技術は５Ｇ通信システムで論議される。
【００２０】
さらに、５Ｇ通信システムで進化された小型セル、クラウドＲＡＮ(Ｒａｄｉｏ Ａｃｃｅｓｓ Ｎｅｔｗｏｒｋ)、超高密度ネットワーク(ｕｌｔｒａ−ｄｅｎｓｅ ｎｅｔｗｏｒｋ)、Ｄ２Ｄ(Ｄｅｖｉｃｅ ｔｏ Ｄｅｖｉｃｅ)、無線バックホール、移動ネットワーク、協力通信、ＣｏＭＰ(Ｃｏｏｒｄｉｎａｔｅｄ Ｍｕｌｔｉ−Ｐｏｉｎｔｓ)、送受信、干渉緩和及び取消などに基づいてシステムネットワーク改善のための開発が進行されつつある。
【００２１】
５Ｇシステムで、ＡＣＭ(Ａｄｖａｎｃｅｄ Ｃｏｄｉｎｇ Ｍｏｄｕｌａｔｉｏｎ)としてハイブリッドＦＱＡＭ(ｆｒｅｑｕｅｎｃｙ ｓｈｉｆｔ ｋｅｙｉｎｇ ａｎｄ ｑｕａｄｒａｔｕｒｅ ａｍｐｌｉｔｕｄｅ ｍｏｄｕｌａｔｉｏｎ)及び、 ＳＷＳＣ(ｓｌｉｄｉｎｇ ｗｉｎｄｏｗ ｓｕｐｅｒｐｏｓｉｔｉｏｎ ｃｏｄｉｎｇ)、及び進歩されたアクセス技術としてＦＢＭＣ(Ｆｉｌｔｅｒ ｂａｎｋ ｍｕｌｔｉ ｃａｒｒｉｅｒ)、ＮＯＭＡ(ｎｏｎ-ｏｒｔｈｏｇｏｎａｌ ｍｕｌｔｉｐｌｅ ａｃｃｅｓｓ)及びＳＣＭＡ(ｓｐａｒｓｅ ｃｏｄｅ ｍｕｌｔｉｐｌｅ ａｃｃｅｓｓ)などが開発された。
【００２２】
以下、図１乃至図４ｂは、無線通信システムでＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)又はＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)通信技術を用いて具現される多様な実施形態を説明する。図１乃至図３の説明は相違する実施形態が具現されることができる方式に対する物理的又は構造的制限を意味しない。本開示の相違する実施形態は適切に配置された任意の通信システムで具現されることができる。
【００２３】
図１は、本開示による例示的な無線ネットワーク１００を示す。図１に示された無線ネットワーク１００の実施形態はただ例示のためのことである。無線ネットワーク１００の他の実施形態は本開示の範囲を逸脱せず用いられることができる。
【００２４】
図１に示されたように、無線ネットワーク１００はｅＮＢ１０１、ｅＮＢ１０２及びｅＮＢ１０３を含む。ｅＮＢ１０１はｅＮＢ１０２及びｅＮＢ１０３と通信する。ｅＮＢ１０１はさらにインターネット、独占的ＩＰ(Ｉｎｔｅｒｎｅｔ Ｐｒｏｔｏｃｏｌ)ネットワーク又は他のデータネットワークのような少なくとも一つのネットワーク１３０と通信する。
【００２５】
ｅＮＢ１０２はｅＮＢ１０２のカバレッジ領域１２０内の第１複数のユーザ装置(ＵＥ)に対するネットワーク１３０に無線広帯域アクセス(ｗｉｒｅｌｅｓｓ ｂｒｏａｄｂａｎｄ ａｃｃｅｓｓ)を提供する。第１複数のＵＥは小企業(ｓｍａｌｌ ｂｕｓｉｎｅｓｓ；ＳＢ)に位置されることができるＵＥ１１１；企業(ｅｎｔｅｒｐｒｉｓｅ；Ｅ)に位置されることができるＵＥ１１２；ＷｉＦｉホットスパット(ｈｏｔｓｐｏｔ；ＨＳ)に位置されることができる ＵＥ１１３；第１居住地(ｒｅｓｉｄｅｎｃｅ；Ｒ)に位置されることができるＵＥ１１４；第２居住地(Ｒ)に位置されることができるＵＥ１１５；及びセルフォン(ｃｅｌｌ ｐｈｏｎｅ)、無線ラップトップ(ｗｉｒｅｌｅｓｓ ｌａｐｔｏｐ)、無線ＰＤＡなどのようなモバイルデバイス(ｍｏｂｉｌｅ ｄｅｖｉｃｅ)(Ｍ)であれば良いＵＥ１１６を含む。ｅＮＢ１０３はｅＮＢ１０３のカバレッジ領域１２５内の第２複数のＵＥに対するネットワーク１３０に無線広帯域アクセスを提供する。第２複数のＵＥはＵＥ１１５及びＵＥ１１６を含む。一部実施形態で、ｅＮＢ１０１−１０３のうちの一つ以上は互いに通信し、５Ｇ、ＬＴＥ、ＬＴＥ−Ａ、ＷｉＭＡＸ、ＷｉＦｉ又は他の無線通信技術を用いてＵＥ１１１−１１６と通信することができる。
【００２６】
ネットワークタイプによって、用語“基地局”又は“ＢＳ”は送信ポイント(ｔｒａｎｓｍｉｔ ｐｏｉｎｔ、ＴＰ)、送受信ポイント(ｔｒａｎｓｍｉｔ−ｒｅｃｅｉｖｅ ｐｏｉｎｔ、ＴＲＰ)、強化された基地局(ｅｎｈａｎｃｅｄ ｂａｓｅ ｓｔａｔｉｏｎ、ｅＮｏｄｅＢ又はｅＮＢ)、ｇＮＢ、マクロセル(ｍａｃｒｏｃｅｌｌ)、フェムトセル(ｆｅｍｔｏｃｅｌｌ)、ＷｉＦｉアクセスポイント(ａｃｃｅｓｓ ｐｏｉｎｔ、ＡＰ)又は他の無線可能なデバイス(ｗｉｒｅｌｅｓｓｌｙ ｅｎａｂｌｅｄ ｄｅｖｉｃｅ)のようにネットワークに無線アクセスを提供するように構成された任意の構成要素(又は構成要素のセット)を指称することができる。基地局は一つ以上の無線通信プロトコル(ｗｉｒｅｌｅｓｓ ｃｏｍｍｕｎｉｃａｔｉｏｎ ｐｒｏｔｏｃｏｌ)、例えば、５Ｇ ３ＧＰＰ ＮＲ(ｎｅｗ ｒａｄｉｏ ｉｎｔｅｒｆａｃｅ／ａｃｃｅｓｓ)、ＬＴＥ(ｌｏｎｇ ｔｅｒｍ ｅｖｏｌｕｔｉｏｎ)、ＬＴＥ−Ａ(ＬＴＥ−ａｄｖａｎｃｅｄ)、高速パケットアクセス(ｈｉｇｈ ｓｐｅｅｄ ｐａｃｋｅｔ ａｃｃｅｓｓ、ＨＳＰＡ)、Ｗｉ−Ｆｉ ８０２．１１ａ／ｂ／ｇ／ｎ／ａｃなどによって無線アクセスを提供することができる。便宜上、用語“ｅＮｏｄｅＢ”及び“ｅＮＢ”は本特許文書で遠隔端末機(ｒｅｍｏｔｅ ｔｅｒｍｉｎａｌ)に無線アクセスを提供するネットワークインフラ構成要素(ｎｅｔｗｏｒｋ ｉｎｆｒａｓｔｒｕｃｔｕｒｅ ｃｏｍｐｏｎｅｎｔ)を示すことに用いられる。また、ネットワークタイプによって、“移動局”、“加入者局(ｓｕｂｓｃｒｉｂｅｒ ｓｔａｔｉｏｎ)”、“遠隔端末機”、“無線端末機”又は“ユーザデバイス”のような“ユーザ装置”又は“ＵＥ”の代わりによく知られた用語が用いられることができる。便宜上、用語“ユーザ装置”及び“ＵＥ”は本特許文書でＵＥが(移動電話又はスマートフォンのような)モバイルデバイスであるか、又は一般的に(デスクトップコンピュータ(ｄｅｓｋｔｏｐ ｃｏｍｐｕｔｅｒ)又は自動販売機(ｖｅｎｄｉｎｇ ｍａｃｈｉｎｅ)のような)固定デバイス(ｓｔａｔｉｏｎａｒｙ ｄｅｖｉｃｅ)で見なされるかにかかわらずｅＮＢに無線にアクセスする遠隔無線装置を指称するのに用いられる。
【００２７】
点線は例示及びただ例示のためにほとんど円型に示されるカバレッジ領域１２０及び１２５の大略的な範囲を示す。カバレッジ領域１２０及び１２５のようなｅＮＢに係るカバレッジ領域はｅＮＢの設定及び自然的及び人工的妨害物(ｍａｎ−ｍａｄｅ ｏｂｓｔｒｕｃｔｉｏｎ)に係る無線環境の変化に従って不規則な形状を含む他の形状を有することができるということが明確に理解されなければならない。
【００２８】
以下、より詳細に説明されるように、一つ以上のＵＥ１１１−１１６は進歩された無線通信システムでのアップリンクチャンネル上で効率的なＮＲ−ＳＳバーストセット設計のための回路、プログラミング又はこの組み合せを含む。特定実施形態で、一つ以上のｅＮＢ１０１−１０３は進歩された無線通信システムにおけるアップリンクチャンネル上で効率的なＮＲ−ＳＳバーストセットを受信するための回路、プログラミング又はこの組み合せを含む。
【００２９】
図１は、無線ネットワーク１００の一例を示すが、図１に対する多様な変更が成ることができる。例えば、無線ネットワーク１００は任意の数のＮＢ及び任意の数のＵＥを任意の適切な配置に含ませることができる。さらに、ｅＮＢ１０１は任意の数のＵＥと直接通信することができ、ネットワーク１３０に対する無線広帯域アクセスをこのようなＵＥに提供することができる。類似に、それぞれのｅＮＢ１０２−１０３はネットワーク１３０と直接通信することができ、ネットワークに対する直接無線広帯域アクセスをＵＥに提供することができる。さらに、ｅＮＢ１０１、１０２及び／又は１０３は外部電話ネットワーク又は他のタイプのデータネットワークのような他の又は付加的な外部ネットワークに対するアクセスを提供することができる。
【００３０】
図２は、本開示の実施形態による例示的なｅＮＢ１０２を示す。図２に示されたｅＮＢ１０２の実施形態はただ例示のためのことで、図１のｅＮＢ１０１及び１０３は同一又は類似の構成を有することができる。しかし、ｅＮＢは多様な構成をもって、図２は本開示の範囲をｅＮＢの任意の特定具現で制限しない。
【００３１】
図２に示されたように、ｅＮＢ１０２は多数のアンテナ２０５ａ−２０５ｎ、多数のＲＦ送受信機２１０ａ−２１０ｎ、送信(ｔｒａｎｓｍｉｔ、ＴＸ)処理回路２１５及び受信(ｒｅｃｅｉｖｅ、ＲＸ)処理回路２２０を含む。ｅＮＢ１０２はさらに制御機／プロセッサ２２５、メモリー２３０及びバックホール又はネットワークインターフェース２３５を含む。
【００３２】
ＲＦ送受信機２１０ａ−２１０ｎは、アンテナ２０５ａ−２０５ｎから、ネットワーク１００でＵＥによって送信された信号のような入る(ｉｎｃｏｍｉｎｇ)ＲＦ信号を受信する。ＲＦ送受信機２１０ａ−２１０ｎはＩＦ又は基底帯域信号を生成するように入るＲＦ信号を下向き変換させる。ＩＦ又は基底帯域信号(ｂａｓｅｂａｎｄ ｓｉｇｎａｌ)は基底帯域又はＩＦ信号をフィルタリング、デコーディング及び／又はデジタル化することによって処理された基底帯域信号を生成するＲＸ処理回路２２０で送信される。ＲＸ処理回路２２０は処理された基底帯域信号を追加の処理のための制御機／プロセッサ２２５で送信する。
【００３３】
一部実施形態で、ＲＦ送受信機２１０ａ−２０１ｎはダウンリンクチャンネルを介してＰＳＳ及びＳＳＳを送信することができる。
【００３４】
ＴＸ処理回路２１５は制御機／プロセッサ２２５から(音声データ(ｖｏｉｃｅ ｄａｔａ)、ウェブデータ、電子メール又は対話型ビデオゲームデータ(ｉｎｔｅｒａｃｔｉｖｅ ｖｉｄｅｏ ｇａｍｅ ｄａｔａ)のような)アナログ又はデジタルデータを受信する。ＴＸ処理回路２１５は処理された基底帯域又はＩＦ信号を生成するために出る(ｏｕｔｇｏｉｎｇ)基底帯域データをエンコーディング、多重化及び／又はデジタル化する。ＲＦ送受信機２１０ａ−２１０ｎはＴＸ処理回路２１５から出る処理された基底帯域又はＩＦ信号を受信し、基底帯域又はＩＦ信号をアンテナ２０５ａ−２０５ｎを介して送信されるＲＦ信号で上向き変換する。
【００３５】
制御機／プロセッサ２２５はｅＮＢ１０２の全体動作を制御する一つ以上のプロセッサ又は他の処理デバイスを含むことができる。例えば、制御機／プロセッサ２２５はよく知られた原理によってＲＦ送受信機１０ａ−２１０ｎ、ＲＸ処理回路２２０及びＴＸ処理回路２１５によって順方向チャンネル信号(ｆｏｒｗａｒｄ ｃｈａｎｎｅｌ ｓｉｇｎａｌ)の受信及び逆方向チャンネル信号(ｒｅｖｅｒｓｅ ｃｈａｎｎｅｌ ｓｉｇｎａｌ)の送信を制御することができる。制御機／プロセッサ２２５はさらに進歩された無線通信機能のような付加的な機能をさらにサポートすることができる。例えば、制御機／プロセッサ２２５は多数のアンテナ２０５ａ−２０５ｎからの出る信号が望む方向に出る信号を効果的に操縦(ｓｔｅｅｒｉｎｇ)するように異なるように加重されるビームフォーミング又は志向性ラウティング動作(ｄｉｒｅｃｔｉｏｎａｌ ｒｏｕｔｉｎｇ ｏｐｅｒａｔｉｏｎ)をサポートすることができる。多様な他の機能のうちの任意の機能は制御機／プロセッサ２２５によってｅＮＢ１０２でサポートされることができる。
【００３６】
制御機／プロセッサ２２５はさらにＯＳのようなメモリー２３０に常住するプログラム及び他のプロセスを行うことができる。制御機／プロセッサ２２５は実行プロセスによって要求されるようにメモリー２３０内外でデータを移動させることができる。
【００３７】
制御機／プロセッサ２２５はさらにバックホール又はネットワークインターフェース２３５に結合される。バックホール又はネットワークインターフェース２３５はｅＮＢ１０２がバックホールを接続(ｂａｃｋｈａｕｌ ｃｏｎｎｅｃｔｉｏｎ)又はネットワークを介して他のデバイス又はシステムと通信するように許容する。インターフェース２３５は任意の適切な有線又は無線接続を通じる通信をサポートすることができる。例えば、ｅＮＢ１０２が(５Ｇ、ＬＴＥ又はＬＴＥ−Ａをサポートするような)セルラー通信システム(ｃｅｌｌｕｌａｒ ｃｏｍｍｕｎｉｃａｔｉｏｎ ｓｙｓｔｅｍ)の部分として具現される時、インターフェース２３５はｅＮＢ１０２が有線又は無線バックホールを接続を介して他のｅＮＢと通信するように許容することができる。ｅＮＢ１０２がアクセスポイントとして具現される時、インターフェース２３５はｅＮＢ１０２が有線又は無線ローカル領域ネットワーク(ｌｏｃａｌ ａｒｅａ ｎｅｔｗｏｒｋ)又は有線又は無線接続を介して(インターネットのような)より大きいネットワークに通信するように許容することができる。インターフェース２３５はイーサネット(登録商標)(Ｅｔｈｅｒｎｅｔ)又はＲＦ送受信機のような有線又は無線接続を通じる通信をサポートする任意の適切な構造を含む。
【００３８】
一部実施形態で、制御機／プロセッサ２２５は周波数ドメイン(ｆｒｅｑｕｅｎｃｙ ｄｏｍａｉｎ)でＢＰＳＫ(ｂｉｎａｒｙ ｐｈａｓｅ ｓｈｉｆｔ ｋｅｙｉｎｇ)変調された長さ−１２７Ｍ−シーケンスに基づいて生成される多数の１次同期化信号(ｐｒｉｍａｒｙ ｓｙｎｃｈｒｏｎｉｚａｔｉｏｎ ｓｉｇｎａｌ、ＰＳＳ)シーケンスのうちの一つを含むＰＳＳを生成することができ、ここで、ＰＳＳはセル識別(ＩＤ)情報の一部を含む。
【００３９】
一部実施形態で、制御機／プロセッサ２２５は周波数ドメインで多数のＢＰＳＫ変調された長さ−１２７Ｍ−シーケンスに基づいて生成される多数の２次同期化信号(ｓｅｃｏｎｄａｒｙ ｓｙｎｃｈｒｏｎｉｚａｔｉｏｎ ｓｉｇｎａｌ、ＳＳＳ)シーケンスのうちの一つを含むＳＳＳを生成することができ、ここで、ＳＳＳはセル識別(ＩＤ)情報を含む。
【００４０】
一部実施形態で、制御機／プロセッサ２２５はＰＳＳによってそれぞれ搬送されるセルＩＤ仮説(ｃｅｌｌ ＩＤ ｈｙｐｏｔｈｅｓｅｓ)の数に相応するＰＳＳシーケンスの数及びＰＳＳ及びＳＳＳによってそれぞれ搬送されるセルＩＤ仮説の数に相応するＳＳＳシーケンスの数を決定することができる。
【００４１】
一部実施形態で、制御機／プロセッサ２２５はＰＳＳ シーケンスを生成するＭ−シーケンスに対する多項式(ｐｏｌｙｎｏｍｉａｌ)及びＰＳＳによって搬送されたセルＩＤ情報に基づくＭ−シーケンスに対する循環シフト(ｃｙｃｌｉｃ ｓｈｉｆｔ)を決定することができ、セルＩＤに対するＭ−シーケンスへの循環シフトを行うことによってＰＳＳシーケンスを生成することができる。
【００４２】
一部実施形態で、制御機／プロセッサ２２５はＳＳＳシーケンスを生成する第１Ｍ−シーケンスに対する多項式、ＰＳＳ及びＳＳＳによって搬送されたセルＩＤ情報に基づく第１Ｍ−シーケンスに対する第１循環シフト、ＳＳＳシーケンスを生成する第２Ｍ−シーケンスに対する多項式、ＰＳＳ及びＳＳＳによって搬送されたセルＩＤ情報に基づく第２Ｍ−シーケンスに対する第２循環シフトを決定することができ、第１及び第２Ｍ−シーケンスの積(ｐｒｏｄｕｃｔ)を行うことによってＳＳＳシーケンスを生成することができ、第１及び第２Ｍ−シーケンスのそれぞれはセルＩＤに対して第１及び第２循環シフトによってそれぞれ生成される。
【００４３】
このような実施形態で、Ｍ−シーケンスに対する多項式はｘ７＋ｘ４＋１によって与えられ、相応する再帰的構造方式(ｒｅｃｕｒｓｉｖｅ ｃｏｎｓｔｒｕｃｔｉｏｎ ｓｃｈｅｍｅ)はｄＭ(ｉ＋７)＝[ｄＭ(ｉ＋４)＋ｄＭ(ｉ)]ｍｏｄ２,０≦ｉ≦１１９によって与えられ、第１Ｍ−シーケンスに対する多項式はｘ７＋ｘ４＋１によって与えられ、相応する再帰的構造はｄＭ(ｉ＋７)＝[ｄＭ(ｉ＋４)＋ｄＭ(ｉ)]ｍｏｄ２,０≦ｉ≦１１９によって与えられ、第２Ｍ−シーケンスに対する多項式はｘ７＋ｘ＋１によって与えられ、相応する再帰的構造はｄＭ(ｉ＋７)＝[ｄＭ(ｉ＋１＋ｄＭ(ｉ)]ｍｏｄ２,０≦ｉ≦１１９によって与えられる。
【００４４】
メモリー２３０は制御機／プロセッサ２２５に結合される。メモリー２３０の部分はＲＡＭを含むことができ、メモリー２３０の他の部分はフラッシュメモリー(Ｆｌａｓｈ ｍｅｍｏｒｙ)又は他のＲＯＭを含むことができる。
【００４５】
図２は、ｅＮＢ１０２の一例を示すが、図２に対する多様な変更が成ることができる。例えば、ｅＮＢ１０２は図２に示された任意の数のそれぞれの構成要素を含むことができる。特定例として、アクセスポイントは多数のインターフェース２３５を含むことができ、制御機／プロセッサ２２５は相違するネットワークアドレス(ｎｅｔｗｏｒｋ ａｄｄｒｅｓｓ)の間でデータをラウティングするラウティング機能(ｒｏｕｔｉｎｇ ｆｕｎｃｔｉｏｎ)をサポートすることができる。他の特定例として、ＴＸ処理回路２１５の単一インスタンス(ｉｎｓｔａｎｃｅ)及びＲＸ処理回路２２０の単一インスタンスを含むことで示されているが、ｅＮＢ１０２は(ＲＦ送受信機当り一つのような)それぞれの多数のインスタンスを含むことができる。また、図２の多様な構成要素は組み合せるか、より細分化されたり、省略されることができ、特定必要によって付加的な構成要素が付加されることができる。
【００４６】
図３は、本開示の実施形態による例示的なＵＥ１１６を示す。図３に示されたＵＥ１１６の実施形態はただ例示のためのことで、図１のＵＥ１１１−１１５は同一又は類似の設定を有することができる。しかし、ＵＥは多様な設定をもって、図３は本開示の範囲をＵＥの任意の特定具現で制限しない。
【００４７】
図３に示されたように、ＵＥ１１６はアンテナ３０５、無線周波数(ｒａｄｉｏ ｆｒｅｑｕｅｎｃｙ；ＲＦ)送受信機３１０、ＴＸ処理回路３１５、マイクロフォン３２０及び受信(ＲＸ)処理回路３２５を含む。ＵＥ１１６はさらにスピーカー３３０、プロセッサ３４０、入出力(ｉｎｐｕｔ／ｏｕｔｐｕｔ、Ｉ／Ｏ)インターフェース(ｉｎｔｅｒｆａｃｅ；ＩＦ)３４５、タッチスクリーン(ｔｏｕｃｈｓｃｒｅｅｎ)３５０、ディスプレー３５５及びメモリー３６０を含む。メモリー３６０はОＳ(ｏｐｅｒａｔｉｎｇ ｓｙｓｔｅｍ)３６１及び一つ以上のアプリケーション３６２を含む。  
【００４８】
ＲＦ送受信機３１０は、アンテナ３０５から、ネットワーク１００のｅＮＢによって送信された入るＲＦ信号を受信する。ＲＦ送受信機３１０は中間周波数(ｉｎｔｅｒｍｅｄｉａｔｅ ｆｒｅｑｕｅｎｃｙ；ＩＦ)又は基底帯域信号を生成するために入るＲＦ信号を下向き変換する。ＩＦ又は基底帯域信号は基底帯域又はＩＦ信号をフィルタリング、デコーディング及び／又はデジタル化することによって処理された基底帯域信号を生成するＲＸ処理回路３２５で送信される。ＲＸ処理回路３２５は処理された基底帯域信号を(音声データのような)スピーカー３３０又は(ウェブブラウジングデータ(ｗｅｂ ｂｒｏｗｓｉｎｇ ｄａｔａ)のような)追加の処理のためのプロセッサ３４０で送信する。
【００４９】
一部実施形態で、ＲＦ送受信機３１０はダウンリンクチャンネルを介して１次同期化信号(ＰＳＳ) 及び２次同期化信号(ＳＳＳ)を受信することができる。
【００５０】
ＴＸ処理回路３１５はマイクロフォン３２０からアナログ又はデジタル音声データを受信するかプロセッサ３４０から(ウェブデータ、電子メール又は対話形ビデオゲームデータのような)他の出る基底帯域データを受信する。ＴＸ処理回路３１５は処理された基底帯域又はＩＦ信号を生成するために出る基底帯域データをエンコーディング、多重化及び／又はデジタル化する。ＲＦ送受信機３１０はＴＸ処理回路３１５から出る処理された基底帯域又はＩＦ信号を受信し、基底帯域又はＩＦ信号をアンテナ３０５を介して送信されるＲＦ信号で上向き変換する。
【００５１】
プロセッサ３４０は一つ以上のプロセッサ又は他の処理デバイスを含むことができ、ＵＥ１１６の全体動作を制御するためにメモリー３６０に記憶されたＯＳ３６１を行うことができる。例えば、プロセッサ３４０はよく知られた原理によってＲＦ送受信機３１０、ＲＸ 処理回路３２５及びＴＸ処理回路３１５によって順方向チャンネル信号の受信及び逆方向チャンネル信号の送信を制御することができる。一部実施形態で、プロセッサ３４０は少なくとも一つのマイクロプロセッサ又はマイクロ制御機を含む。
【００５２】
プロセッサ３４０はさらにアップリンクチャンネル上でＮＲ−ＳＳバーストセットのためのプロセスのようにメモリー３６０に常住する他のプロセス及びプログラムを行うことができる。プロセッサ３４０は実行プロセス(ｅｘｅｃｕｔｉｎｇ ｐｒｏｃｅｓｓ)によって要求されるようにメモリー３６０)内外でデータを移動させることができる。一部実施形態で、プロセッサ３４０はＯＳ３６１に基づくかｅＮＢ又はオペレーターから受信された信号に応答してアプリケーション３６２を行うように構成される。プロセッサ３４０はさらにラップトップコンピューター及びハンドヘルドコンピューター(ｈａｎｄｈｅｌｄ ｃｏｍｐｕｔｅｒ)のような他のデバイスに接続する能力をＵＥ１１６に提供するＩ／Ｏインターフェース３４５に結合される。Ｉ／Ｏ インターフェース３４５はこのようなアクセサリー(ａｃｃｅｓｓｏｒｙ)とプロセッサ３４０の間の通信経路(ｃｏｍｍｕｎｉｃａｔｉｏｎ ｐａｔｈ)である。
【００５３】
プロセッサ３４０はさらにタッチスクリーン３５０及びディスプレー３５５に結合される。ＵＥ１１６のオペレーターはタッチスクリーン３５０を用いてデータをＵＥ１１６に入力することができる。ディスプレー３５５は液晶ディスプレー(ｌｉｑｕｉｄ ｃｒｙｓｔａｌ ｄｉｓｐｌａｙ)、発光ダイオードディスプレー(ｌｉｇｈｔ ｅｍｉｔｔｉｎｇ ｄｉｏｄｅ ｄｉｓｐｌａｙ)、又はウェブサイト(ｗｅｂ ｓｉｔｅ)からのようにテキスト及び／又は少なくとも制限されたグラフィックをレンダリング(ｒｅｎｄｅｒｉｎｇ)することができる他のディスプレーであれば良い。
【００５４】
一部実施形態で、プロセッサ３４０は周波数ドメインでＢＰＳＫ(ＢＰＳＫ)変調された長さ−１２７Ｍ−シーケンスに基づいて生成される多数のＰＳＳシーケンスのうちの一つを含むＰＳＳを決定することができ、ここでＰＳＳはセル識別(ＩＤ)情報の一部を含み、ＳＳＳは周波数ドメインで多数のＢＰＳＫ変調された長さ−１２７Ｍ−シーケンスに基づいて生成される多数のＳＳＳシーケンスのうちの一つを含み、ここで、ＳＳＳはセル識別(ＩＤ)情報を含む。
【００５５】
一部実施形態で、プロセッサ３４０はＰＳＳによってそれぞれ搬送されるセルＩＤ仮説の数に相応するＰＳＳシーケンスの数；及びＰＳＳ及びＳＳＳによってそれぞれ搬送されるセルＩＤ仮説の数に相応するＳＳＳシーケンスの数を決定することができる。
【００５６】
一部実施形態で、プロセッサ３４０はＰＳＳシーケンスを生成するＭ−シーケンスに対する多項式及びＰＳＳによって搬送されたセルＩＤ情報に基づくＭ−シーケンスに対する循環シフトを決定することができ、セルＩＤに対するＭ−シーケンスへの循環シフトを行うことによってＰＳＳシーケンスを生成することができる。
【００５７】
一部実施形態で、プロセッサ３４０はＳＳＳシーケンスを生成する第１Ｍ−シーケンスに対する多項式、ＰＳＳ及びＳＳＳによって搬送されたセルＩＤ情報に基づく第１Ｍ−シーケンスに対する第１循環シフト、ＳＳＳシーケンスを生成する第２Ｍ−シーケンスに対する多項式、ＰＳＳ及びＳＳＳによって搬送されたセルＩＤ情報に基づく第２Ｍ−シーケンスに対する第２循環シフトを決定することができ、第１及び第２Ｍ−シーケンスの倍を行うことによってＳＳＳシーケンスを生成することができ、第１及び第２Ｍ−シーケンスのそれぞれはセルＩＤに対して第１及び第２循環シフトによってそれぞれ生成される。
【００５８】
このような実施形態で、Ｍ−シーケンスに対する多項式はｘ７＋ｘ４＋１によって与えられ、相応する再帰的構造方式はｄＭ(ｉ＋７)＝[ｄＭ (ｉ＋４)＋ｄＭ (ｉ)]ｍｏｄ２,０≦ｉ≦１１９によって与えられ、第１Ｍ−シーケンスに対する多項式はｘ７＋ｘ４＋１によって与えられ、相応する再帰的構造はｄＭ (ｉ＋７)＝[ｄＭ (ｉ＋４)＋ｄＭ (ｉ)]ｍｏｄ２,０≦ｉ≦１１９によって与えられ、第２Ｍ−シーケンスに対する多項式はｘ７＋ｘ＋１によって与えられ、相応する再帰的構造はｄＭ (ｉ＋７)＝[ｄＭ (ｉ＋１＋ｄＭ (ｉ)]ｍｏｄ２,０≦ｉ≦１１９によって与えられる。
【００５９】
メモリー３６０はプロセッサ３４０に結合される。メモリー３６０の一部はランダムアクセスメモリー(ｒａｎｄｏｍ ａｃｃｅｓｓ ｍｅｍｏｒｙ；ＲＡＭ)を含むことができ、メモリー３６０の他の部分はフラッシュメモリー又は他の読み出し専用メモリー(ｒｅａｄ−ｏｎｌｙ ｍｅｍｏｒｙ；ＲＯＭ)を含むことができる。
【００６０】
図３は、ＵＥ１１６の一例を示すが、図３に対する多様な変更が成ることができる。例えば、図３の多様な構成要素は組み合せたり、より細分化されたり、省略されることができ、特定必要によって付加的な構成要素が付加されることができる。特定例として、プロセッサ３４０は一つ以上の中央処理ユニット(ｃｅｎｔｒａｌ ｐｒｏｃｅｓｓｉｎｇ ｕｎｉｔ；ＣＰＵ)及び一つ以上のグラフィック処理ユニット(ｇｒａｐｈｉｃｓ ｐｒｏｃｅｓｓｉｎｇ ｕｎｉｔ；ＧＰＵ)のような多数のプロセッサに分割されることができる。さらに、図３は移動電話又はスマートフォンとして設定されたＵＥ１１６を示すが、ＵＥは他のタイプの移動又は固定デバイスとして動作するように設定されることができる。
【００６１】
図４ａは、送信経路回路(ｔｒａｎｓｍｉｔ ｐａｔｈ ｃｉｒｃｕｉｔｒｙ)のハイレベルダイヤグラムである。例えば、送信経路回路はＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)通信のために用いられることができる。図４ｂは、受信経路回路(ｒｅｃｅｉｖｅ ｐａｔｈ ｃｉｒｃｕｉｔｒｙ)のハイレベルダイヤグラムである。例えば、受信経路回路はＯＦＤＭＡ通信のために用いられることができる。図４ａ及び図４ｂで、ダウンリンク通信のために、送信経路回路は基地局(ｅＮＢ)１０２又はＲＳ(ｒｅｌａｙ ｓｔａｔｉｏｎ)で具現されることができ、受信経路回路はユーザ装置(例えば、図１のユーザ装置１１６)で具現されることができる。他の例で、アップリンク通信のために、受信経路回路４５０は基地局(例えば、図１のｅＮＢ１０２又はＲＳで具現されることができ、送信経路回路はユーザ装置(例えば、図１のユーザ装置１１６)で具現されることができる。
【００６２】
送信経路回路はチャンネルコーディング及び変調ブロック(ｃｈａｎｎｅｌ ｃｏｄｉｎｇ ａｎｄ ｍｏｄｕｌａｔｉｏｎ ｂｌｏｃｋ)４０５、直列対並列(ｓｅｒｉａｌ−ｔｏ−ｐａｒａｌｌｅｌ；
Ｓ−ｔｏ−Ｐ)ブロック４１０、大きさＮ逆高速フーリエ変換(Ｉｎｖｅｒｓｅ Ｆａｓｔ Ｆｏｕｒｉｅｒ Ｔｒａｎｓｆｏｒｍ；ＩＦＦＴ)ブロック４１５、並列対直列(ｐａｒａｌｌｅｌ−ｔｏ−ｓｅｒｉａｌ；Ｐ−ｔｏ−Ｓ)ブロック４２０、付加サイクリックプレフィックスブロック(ａｄｄ ｃｙｃｌｉｃ ｐｒｅｆｉｘ ｂｌｏｃｋ)４２５及びアップコンバータ(ｕｐ−ｃｏｎｖｅｒｔｅｒ；ＵＣ)４３０を含む。受信経路回路４５０はダウンコンバータ(ｄｏｗｎ−ｃｏｎｖｅｒｔｅｒ；ＤＣ)４５５、消去サイクリックプレフィックスブロック(ｒｅｍｏｖｅ ｃｙｃｌｉｃ ｐｒｅｆｉｘ ｂｌｏｃｋ)４６０、直列対並列(Ｓ−ｔｏ−Ｐ)ブロック４６５、大きさＮ高速フーリエ変換(Ｆａｓｔ Ｆｏｕｒｉｅｒ Ｔｒａｎｓｆｏｒｍ；ＦＦＴ)ブロック４７０、並列対直列(Ｐ−ｔｏ−Ｓ)ブロック４７５、及びチャンネルデコーディング及び復調ブロック(ｃｈａｎｎｅｌ ｄｅｃｏｄｉｎｇ ａｎｄ ｄｅｍｏｄｕｌａｔｉｏｎ ｂｌｏｃｋ)４８０を含む。
【００６３】
図４ａ(４００)及び４ｂ(４５０)での構成要素のうちの少なくとも一部はソフトウェアで具現されることができるが、他の構成要素は設定可能なハードウェア又はソフトウェア及び設定可能なハードウェアの混合によって具現されることができる。特に、本開示文書で説明されたＦＦＴブロック及びＩＦＦＴブロックは設定可能なソフトウェアアルゴリズムとして具現されることができ、ここで大きさＮの値は具現によって修正されることができるということが注目される。
【００６４】
さらに、本開示は高速フーリエ変換及び逆高速フーリエ変換を具現する実施形態に関するが、これはただ例示のためのことで、本開示の範囲を制限することに解釈されてはいけない。本開示の代案的な実施形態で、高速フーリエ変換関数及び逆高速フーリエ変換関数はそれぞれ離散フーリエ変換(ｄｉｓｃｒｅｔｅ Ｆｏｕｒｉｅｒ ｔｒａｎｓｆｏｒｍ；ＤＦＴ)関数及び逆離散フーリエ変換(ｉｎｖｅｒｓｅ ｄｉｓｃｒｅｔｅ Ｆｏｕｒｉｅｒ ｔｒａｎｓｆｏｒｍ；ＩＤＦＴ)関数で容易に取り替えられることができるということが理解されるだろう。ＤＦＴ及びＩＤＦＴ関数に対し、Ｎ変数の値は任意の整数(すなわち、１、４、３、４など)であれば良いが、ＦＦＴ及びＩＦＦＴ関数に対しては、Ｎ 変数の値は２の累乗である任意の整数(すなわち、１、２、４、８、１６など)であれば良い。
【００６５】
送信経路回路４００で、チャンネルコーディング及び変調ブロック４０５は一つのセットの情報ビット(ｉｎｆｏｒｍａｔｉｏｎ ｂｉｔ)を受信し、コーディング(例えば、ＬＤＰＣコーディング)を適用し、一連の周波数ドメイン変調シンボル(ｆｒｅｑｕｅｎｃｙ−ｄｏｍａｉｎ ｍｏｄｕｌａｔｉｏｎ ｓｙｍｂｏｌ)を生成するために入力ビット(ｉｎｐｕｔ ｂｉｔ)を変調させる(例えば、ＱＰＳＫ(ｑｕａｄｒａｔｕｒｅ ｐｈａｓｅ ｓｈｉｆｔ ｋｅｙｉｎｇ)又はＱＡＭ(ｑｕａｄｒａｔｕｒｅ ａｍｐｌｉｔｕｄｅ ｍｏｄｕｌａｔｉｏｎ))。直列対並列ブロック(ｓｅｒｉａｌ−ｔｏ−ｐａｒａｌｌｅｌ ｂｌｏｃｋ)４１０は、ＮがＢＳ１０２及びＵＥ１１６で用いられるＩＦＦＴ／ＦＦＴ 大きさであるＮ個の並列シンボルストリーム(ｐａｒａｌｌｅｌ ｓｙｍｂｏｌ ｓｔｒｅａｍ)を生成するために直列変調されたシンボル(ｓｅｒｉａｌ ｍｏｄｕｌａｔｅｄ ｓｙｍｂｏｌ)を並列データ(ｐａｒａｌｌｅｌ ｄａｔａ)で変換する(すなわち、逆多重化する(ｄｅ−ｍｕｌｔｉｐｌｅｘ))。その次、大きさＮ ＩＦＦＴブロック４１５は時間−ドメイン出力信号(ｔｉｍｅ−ｄｏｍａｉｎ ｏｕｔｐｕｔ ｓｉｇｎａｌ)を生成するためにＮ個の並列シンボルストリーム上でＩＦＦＴ演算を行う。並列対直列ブロック４２０は直列時間−ドメイン信号(ｓｅｒｉａｌ ｔｉｍｅ−ｄｏｍａｉｎ ｓｉｇｎａｌ)を生成するために大きさ Ｎ ＩＦＦＴブロック４１５からの並列時間−ドメイン出力シンボル(ｐａｒａｌｌｅｌ ｔｉｍｅ−ｄｏｍａｉｎ ｏｕｔｐｕｔ ｓｙｍｂｏｌ)を変換する(すなわち、多重化する)。その次、付加サイクリックプレフィックスブロック４２５はサイクリックプレフィックス(ｃｙｃｌｉｃ ｐｒｅｆｉｘ)を時間−ドメイン信号に挿入する。最終的に、アップコンバータ４３０は無線チャンネルを通じる送信のために付加サイクリックプレフィックスブロック４２５の出力をＲＦ周波数で変調させる(例えば、アップ変換させる)。信号はさらにＲＦ周波数で変換する前に基底帯域でフィルタリングされることができる。
【００６６】
送信されたＲＦ信号は無線チャンネルを通過した後、ＵＥ１１６に到逹し、ｅＮＢ１０２での動作との逆動作(ｒｅｖｅｒｓｅ ｏｐｅｒａｔｉｏｎ)が行われる。ダウンコンバータ４５５は受信された信号を基底帯域周波数でダウン変換させ、消去サイクリックプレフィックスブロック４６０は直列時間−ドメイン基底帯域信号を生成するためにサイクリックプレフィックスを消去する。直列対並列ブロック４６５は時間−ドメイン基底帯域信号を並列時間−ドメイン信号で変換する。その次、大きさＮ ＦＦＴブロック４７０はＮ個の並列周波数ドメイン信号を生成するためにＦＦＴアルゴリズムを行う。並列対直列ブロック４７５は並列周波数ドメイン信号を一連の変調されたデータシンボルで変換する。チャンネルデコーディング及び復調ブロック４８０は元々の入力データストリームを復元するために変調されたシンボルを復調してデコーディングする。
【００６７】
ｅＮＢ１０１−１０３のそれぞれは、ダウンリンクでユーザ装置１１１−１１６で送信することと類似の送信経路を具現することができ、アップリンクでユーザ装置１１１−１１６から受信することと類似の受信経路を具現することができる。同様に、ユーザ装置１１１−１１６のそれぞれはアップリンクでｅＮＢ１０１−１０３で送信するためのアーキテクチァー(ａｒｃｈｉｔｅｃｔｕｒｅ)に相応する送信経路を具現することができ、ダウンリンクでｅＮＢ１０１−１０３から受信するためのアーキテクチァーに相応する受信経路を具現することができる。
【００６８】
５Ｇ通信システムの使用ケースは識別されて説明された。このような使用ケースは、おおよそ３つグループで分類されることができる。例えば、強化されたモバイル広帯域(ｅｎｈａｎｃｅｄ ｍｏｂｉｌｅ ｂｒｏａｄｂａｎｄ、ｅＭＢＢ)はより少なく厳格な(ｓｔｒｉｎｇｅｎｔ)待機時間及び信頼性要求事項で高いビット／超要求事項に係ることで決定される。他の例で、ＵＲＬＬ(ｕｌｔｒａ ｒｅｌｉａｂｌｅ ａｎｄ ｌｏｗ ｌａｔｅｎｃｙ)はより少なく厳格なビット／超要求事項で決定される。また他の例で、ｍＭＴＣ(ｍａｓｓｉｖｅ ｍａｃｈｉｎｅ ｔｙｐｅ ｃｏｍｍｕｎｉｃａｔｉｏｎ)はデバイスの数がｋｍ２当り１０万乃至１百万ほども多いことがあると決定されるが、信頼性／処理量／待機時間要求事項はより少なく厳格であれば良い。このようなシナリオはさらにバッテリー消耗ができるだけ最小化されなければならないという点でパワー効率要求事項を含むことができる。
【００６９】
通信システムは基地局(ＢＳ)又はＮｏｄｅＢのような送信ポイントからユーザ装置(ＵＥ)に信号を伝達するダウンリンク(ＤＬ)及びＵＥからＮｏｄｅＢのような受信ポイントで信号を伝達するアップリンク(ＵＬ)を含む。また、一般的に端末機又は移動局として指称されるＵＥは固定式又は移動式であっても良く、セルラーフォン、個人用コンピューターデバイス又は自動化されたデバイスであっても良い。一般的に固定局であるｅＮｏｄｅＢはさらにアクセスポイント又は他の同等な用語として指称されることができる。ＬＴＥシステムの場合、ＮｏｄｅＢはたびたびｅＮｏｄｅＢとして指称される。
【００７０】
ＬＴＥシステムのような通信システムで、ＤＬ信号は情報コンテンツを伝達するデータ信号、ＤＬ 制御情報(ＤＬ ｃｏｎｔｒｏｌ ｉｎｆｏｒｍａｔｉｏｎ、ＤＣＩ)を伝達する制御信号、及びパイロット信号としても知られた基準信号(ｒｅｆｅｒｅｎｃｅ ｓｉｇｎａｌ、ＲＳ)を含むことができる。 ｅＮｏｄｅＢは物理的ＤＬ共有チャンネル(ｐｈｙｓｉｃａｌ ＤＬ ｓｈａｒｅｄ ｃｈａｎｎｅｌ、ＰＤＳＣＨ)を介してデータ情報を送信する。 ｅＮｏｄｅＢは物理的ＤＬ制御チャンネル(ｐｈｙｓｉｃａｌ ＤＬ ｃｏｎｔｒｏｌ ｃｈａｎｎｅｌ、ＰＤＣＣＨ)又はＥＰＤＣＣＨ(Ｅｎｈａｎｃｅｄ ＰＤＣＣＨ)を介して ＤＣＩを送信する。
【００７１】
ｅＮｏｄｅＢはＰＨＩＣＨ(ｐｈｙｓｉｃａｌ ｈｙｂｒｉｄ ＡＲＱ ｉｎｄｉｃａｔｏｒ ｃｈａｎｎｅｌ)でＵＥからのデータ送信ブロック(ｔｒａｎｓｐｏｒｔ ｂｌｏｃｋ、ＴＢ)送信に応答して確認応答情報(ａｃｋｎｏｗｌｅｄｇｅｍｅｎｔ ｉｎｆｏｒｍａｔｉｏｎ)を送信する。 ｅＮｏｄｅＢはＵＥ−共通ＲＳ(ｃｏｍｍｏｎ ＲＳ、ＣＲＳ)、チャンネル状態情報ＲＳ(ＣＳＩ−ＲＳ)又は復調ＲＳ(ｄｅｍｏｄｕｌａｔｉｏｎ ＲＳ、ＤＭＲＳ)を含む多数のＲＳタイプのうちのの一つ以上を送信する。ＣＲＳはＤＬシステム帯域幅(ＢＷ)を介して送信され、データ又は制御情報を復調したり測定を行うためにチャンネル推定値を獲得するためにＵＥによって用いられることができる。ＣＲＳオーバーヘッドを減らすために、ｅＮｏｄｅＢはＣＲＳより時間及び／又は周波数ドメインでより小さい密度を有するＣＳＩ−ＲＳを送信することができる。ＤＭＲＳはそれぞれのＰＤＳＣＨ又はＥＰＤＣＣＨのＢＷにだけ送信されることができ、ＵＥはＰＤＲＳＣＨ又はＥＰＤＣＣＨでそれぞれデータ又は制御情報を復調するためにＤＭＲＳを用いることができる。ＤＬチャンネルに対する送信時間間隔はサブフレームとして指称され、例えば、１ミリ秒の持続期間を有することができる。
【００７２】
ＤＬ信号はさらにシステム制御情報を搬送する論理チャンネルの送信を含む。ＢＣＣＨはＤＬ信号がＭＩＢ(ｍａｓｔｅｒ ｉｎｆｏｒｍａｔｉｏｎ ｂｌｏｃｋ)を伝達する時にはブロードキャストチャンネル(ｂｒｏａｄｃａｓｔ ｃｈａｎｎｅｌ、ＢＣＨ)として指称される送信チャンネルにマッピングされたりＤＬ信号がＳＩＢ(Ｓｙｓｔｅｍ Ｉｎｆｏｒｍａｔｉｏｎ Ｂｌｏｃｋ)を伝達する時にはＤＬ共有チャンネル(ＤＬ−ＳＣＨ)にマッピングされる。大部分のシステム情報はＤＬ−ＳＣＨを用いて送信される相違するＳＩＢに含まれる。サブフレームでのＤＬ−ＳＣＨ上のシステム情報の存在は特別なシステム情報ＲＮＴＩ(ＳＩ−ＲＮＴＩ)でスクランブリングされたＣＲＣ(ｃｙｃｌｉｃ ｒｅｄｕｎｄａｎｃｙ ｃｈｅｃｋ)を有するコードワードを伝達する相応するＰＤＣＣＨの送信によって示されることができる。代案で、ＳＩＢ送信に対するスケジューリング情報は以前のＳＩＢに提供されることができ、第１ＳＩＢ(ＳＩＢ−１)に対するスケジューリング情報はＭＩＢによって提供されることができる。
【００７３】
ＤＬリソース割り当てはサブフレームのユニット及び物理的リソースブロック(ｐｈｙｓｉｃａｌ ｒｅｓｏｕｒｃｅ ｂｌｏｃｋ、ＰＲＢ)のグループで行われる。送信ＢＷはリソースブロック(ＲＢ)として指称される周波数リソースユニットを含む。それぞれのＲＢは
【数１】
2020508614.tif 000003
サブキャリア、又は１２個のＲＥのようなリソース要素(ＲＥ)を含む。一つのサブフレームにかけた一つのＲＢのユニットはＰＲＢとして指称される。ＵＥはＰＤＳＣＨ送信ＢＷに対する総
【数２】
2020508614.tif 000004
ＲＥに対する
【数３】
2020508614.tif 000005
ＲＢが割り当てられることができる。
【００７４】
ＵＬ信号はデータ情報を伝達するデータ信号、ＵＬ制御情報(ＵＣＩ)を伝達する制御信号及びＵＬ ＲＳを含むことができる。ＵＬ ＲＳはＤＭＲＳ及びＳＲＳ(Ｓｏｕｎｄｉｎｇ ＲＳ)を含む。ＵＥはそれぞれのＰＵＳＣＨ又はＰＵＣＣＨのＢＷにだけＤＭＲＳを送信する。 ｅＮｏｄｅＢはＤＭＲＳを用いてデータ信号又はＵＣＩ信号を復調することができる。ＵＥはｅＮｏｄｅＢにＵＬ ＣＳＩを提供するように ＳＲＳを送信する。ＵＥはそれぞれの物理的ＵＬ共有チャンネル(ＰＵＳＣＨ)又は物理的ＵＬ制御チャンネル(ＰＵＣＣＨ)を介してデータ情報又はＵＣＩを送信する。ＵＥが同一なＵＬサブフレームでデータ情報及びＵＣＩを送信する必要がある場合、ＵＥは２つともをＰＵＳＣＨに多重化することができる。ＵＣＩはＰＤＳＣＨでデータＴＢに対する正しい(ｃｏｒｒｅｃｔ)(ＡＣＫ)又は正しくない(ｉｎｃｏｒｒｅｃｔ)(ＮＡＣＫ)検出又はＰＤＣＣＨ検出(ＤＴＸ)の不在を示すＨＡＲＱ−ＡＣＫ(Ｈｙｂｒｉｄ Ａｕｔｏｍａｔｉｃ Ｒｅｐｅａｔ ｒｅｑｕｅｓｔ ａｃｋｎｏｗｌｅｄｇｅｍｅｎｔ)情報、ＵＥがＵＥのバッファー内にデータを有するがを示すスケジューリングリクエスト(ｓｃｈｅｄｕｌｉｎｇ ｒｅｑｕｅｓｔ、ＳＲ)、ランクインジケーター(ｒａｎｋ ｉｎｄｉｃａｔｏｒ、ＲＩ)、及びｅＮｏｄｅＢがＵＥへのＰＤＳＣＨ送信のためにリンク適応を行うことができるようにするチャンネル状態情報(ＣＳＩ)を含む。ＨＡＲＱ−ＡＣＫ情報はさらに半永久的にスケジューリングされたＰＤＳＣＨの解除を示すＰＤＣＣＨ／ＥＰＤＣＣＨの検出に応答してＵＥによって送信される。
【００７５】
ＵＬサブフレームは２個のスロットを含む。それぞれのスロットはデータ情報、ＵＣＩ、ＤＭＲＳ又はＳＲＳを送信するための
【数４】
2020508614.tif 000006
シンボルを含む。ＵＬシステムＢＷの周波数リソースユニットはＲＢである。ＵＥは送信ＢＷに対する総
【数５】
2020508614.tif 000007
ＲＥに対する
【数６】
2020508614.tif 000008
ＲＢが割り当てられる。ＰＵＣＣＨの場合、
【数７】
2020508614.tif 000009
。最後のサブフレームシンボルは一つ以上のＵＥからＳＲＳ送信を多重化するのに用いられることができる。データ／ＵＣＩ／ＤＭＲＳ送信に利用可能なサブフレームシンボルの数は
【数８】
2020508614.tif 000010
であり、ここで最後のサブフレームシンボルがＳＲＳを送信するのに用いられると、
【数９】
2020508614.tif 000011
であり、そうではなければ、
【数１０】
2020508614.tif 000012
である。
【００７６】
図５は、本開示の実施形態によるサブフレームでのＰＤＳＣＨに対する送信機ブロック図５００を示す。図５に示された送信機ブロック図５００の実施形態はただ例示のためのことである。図５は本開示の範囲を送信機ブロック図５００の任意の特定具現で制限しない。
【００７７】
図５に示されたように、情報ビット５１０はターボエンコーダーのようなエンコーダー５２０によってエンコーディングされ、例えば、 ＱＰＳＫ(ｑｕａｄｒａｔｕｒｅ ｐｈａｓｅ ｓｈｉｆｔ ｋｅｙｉｎｇ)変調を用いて変調器５３０によって変調される。直列対並列(Ｓ／Ｐ)変換器５４０は割り当てられたＰＤＳＣＨ送信ＢＷに対して送信ＢＷ選択ユニット５５５によって選択されたＲＥにマッピングされるようにマッパー５５０に後続して提供されるＭ個の変調シンボルを生成し、ユニット５６０はＩＦＦＴ(Ｉｎｖｅｒｓｅ ｆａｓｔ Ｆｏｕｒｉｅｒ ｔｒａｎｓｆｏｒｍ)を適用してから、出力は時間−ドメイン信号を生成するために並列台直列(Ｐ／Ｓ)変換器５７０によって直列化され、フィルタリングはフィルター５８０によって適用され、信号は送信される(５９０)。データスクランブリング、サイクリックプレフィックス挿入(ｃｙｃｌｉｃ ｐｒｅｆｉｘ ｉｎｓｅｒｔｉｏｎ)、時間ウィンドウイング、インターリビングなどのような付加的な機能は本技術分野によく知られており、簡潔性のために図示しなかった。
【００７８】
図６は、本開示の実施形態によるサブフレームでのＰＤＳＣＨに対する受信機ブロック図６００を示す。図６に示されたダイヤグラム６００の実施形態はただ例示のためのことである。図６は、本開示の範囲をダイヤグラム６００の任意の特定具現で制限しない。
【００７９】
図６に示されたように、受信された信号６１０はフィルター６２０によってフィルタリングされ、割り当てられた受信 ＢＷに対するＲＥ６３０はＢＷ選択器６３５によって選択され、ユニット６４０は高速フーリエ変換(ＦＦＴ)を適用し、出力は並列対直列変換器６５０によって直列化される。続いて、復調器６６０はＤＭＲＳ又はＣＲＳ(図示せず)から獲得されたチャンネル推定値を適用することによってデータシンボルを一貫性あるように復調し、ターボデコーダーのようなデコーダー６７０は情報データビット６８０の推定値を提供するために復調されたデータをデコーディングする。時間ウィンドウイング、サイクリックプレフィックス除去、デ−スクランブリング、チャンネル推定及びデ−インターリビングのような付加的な機能は簡潔性のために図示しなかった。
【００８０】
図７は、本開示の実施形態によるサブフレームでのＰＵＳＣＨに対する送信機ブロック図７００を示す。図７に示されたブロック図７００の実施形態はただ例示のためのことである。図７は本開示の範囲をブロック図７００の任意の特定具現で制限しない。
【００８１】
図７に示されたように、情報データビット７１０はターボエンコーダーのようなエンコーダー７２０によってエンコーディングされ、変調器７３０によって変調される。離散フーリエ変換(ｄｉｓｃｒｅｔｅ Ｆｏｕｒｉｅｒ ｔｒａｎｓｆｏｒｍ、ＤＦＴ)ユニット７４０は変調されたデータビット上にＤＦＴを適用し、割り当てられたＰＵＳＣＨ送信ＢＷに相応するＲＥ７５０は送信ＢＷ選択ユニット７５５によって選択され、ユニット７６０はＩＦＦＴを適用し、サイクリックプレフィックス挿入(ｃｙｃｌｉｃ ｐｒｅｆｉｘ ｉｎｓｅｒｔｉｏｎ)(図示せず)後に、フィルタリングはフィルター７７０によって適用され、信号は送信される(７８０)。
【００８２】
図８は、本開示の実施形態によるサブフレームでのＰＵＳＣＨに対する受信機ブロック図８００を示す。図８に示されたブロック図８００の実施形態はただ例示のためのことである。図８は、本開示の範囲をブロック図８００の任意の特定具現で制限しない。
【００８３】
図８に示されたように、受信された信号８１０はフィルター８２０によってフィルタリングされる。その後、サイクリックプレフィックスが除去された後(図示せず)、ユニット８３０はＦＦＴを適用し、割り当てられたＰＵＳＣＨ 受信ＢＷに相応するＲＥ８４０は受信ＢＷ選択器８４５によって選択され、ユニット８５０はＩＤＦＴ(ｉｎｖｅｒｓｅ ＤＦＴ)を適用し、復調器８６０はＤＭＲＳ(図示せず)から獲得されたチャンネル推定値(ｃｈａｎｎｅｌ ｅｓｔｉｍａｔｅ)を適用することによってデータシンボルを一貫性あるように復調する。ターボデコーダーのようなデコーダー８７０は情報データビット８８０の推定値を提供するために復調されたデータをデコーディングする。
【００８４】
次世代セルラーシステムでは多様なユースケース(ｕｓｅ ｃａｓｅ)がＬＴＥシステムの能力以上のことで想像される。５Ｇ又は５世代セルラシステムにおいて、６ＧＨｚ以下及び６ＧＨｚ以上で動作することができるシステム(例えば、ｍｍＷａｖｅ体制(ｒｅｇｉｍｅ))が要求事項中の一つとなる。３ＧＰＰ仕様では７４個の５Ｇユースケースが確認されて説明され；このようなユースケースは大きく３つの異なるグループで分類されることができる。第１グループは’ｅＭＢＢ(ｅｎｈａｎｃｅｄ ｍｏｂｉｌｅ ｂｒｏａｄｂａｎｄ)’と呼ばれ、待機時間と信頼性要求事項がより少なく厳格な高いデータの速度サービスを目標とする。第２グループは、データ速度要求事項が僅か厳格であるが待機時間に対する耐性が少ないアプリケーションを目標とする“ＵＲＬＬ(ｕｌｔｒａ−ｒｅｌｉａｂｌｅ ａｎｄ ｌｏｗ ｌａｔｅｎｃｙ)”と言う。第３グループは信頼性、データ速度及び待機時間要求事項がより少なく厳格なｋｍ２当り１百万のような多数の低電力デバイス接続を目標とする“大規模 ＭＴＣ(ｍａｓｓｉｖｅ ＭＴＣ、ｍＭＴＣ)”と言う。
【００８５】
５Ｇネットワークが異なるサービス品質(ｑｕａｌｉｔｙ ｏｆ ｓｅｒｖｉｃｅ、ＱｏＳ)を有したような多様なサービスをサポートするためには、ネットワークスライシングと呼ばれるＬＴＥ仕様で一つの方法が確認された。ＰＨＹリソースを効率的に活用してＤＬ−ＳＣＨで(相違するリソース割り当て方式、ヌメロロジー(ｎｕｍｅｒｏｌｏｇｙ)及びスケジューリング戦略を有する) 多様なスライスを多重化するためには、柔軟で独立的な(ｓｅｌｆ−ｃｏｎｔａｉｎｅｄ)フレーム又はサブフレーム設計が活用される。
【００８６】
図９は、本開示の実施形態による２つのスライス９００の例示的な多重化を示す。図９に示された２個のスライス９００の多重化の実施形態はただ例示のためのことである。図９は本開示の範囲を２つのスライス９００の多重化の任意の特定具現で制限しない。
【００８７】
共通サブフレーム又はフレーム内で２個のスライスを多重化する２つの例示的なインスタンス(ｉｎｓｔａｎｃｅ)が図９に示される。このような例示的な実施形態で、スライスは一つの送信インスタンスが制御(ＣＴＲＬ)構成要素(例えば、９２０ａ、９６０ａ、９６０ｂ、９２０ｂ又は９６０ｃ)及びデータ構成要素(例えば、９３０ａ、９７０ａ、９７０ｂ、９３０ｂ又は９７０ｃ)を含む１つ又は２つの送信インスタンスから構成されることができる。実施形態９１０で、２つのスライスは周波数ドメインで多重化される一方に、実施形態９５０では２つのスライスが時間−ドメインで多重化される。このような２個のスライスは相違するヌメロロジーセットで送信されることができる。  
【００８８】
ＬＴＥ仕様は最大３２個のＣＳＩ−ＲＳアンテナポートをサポートしてｅＮＢが多くの数のアンテナ要素(例えば、６４又は１２８)を装着することができるようにする。この場合に、複数のアンテナ要素は一つのＣＳＩ−ＲＳポート上にマッピングされる。５Ｇのような次世代セルラシステムの場合、ＣＳＩ−ＲＳポートの最大数は同様に維持されたり増加することができる。
【００８９】
図１０は、本開示の実施形態による例示的なアンテナブロック１０００を示す。図１０に示されたアンテナブロック１０００の実施形態はただ例示のためのことである。図１０は本開示の範囲をアンテナブロック１０００の任意の特定具現で制限しない。
【００９０】
ｍｍＷａｖｅ 帯域の場合、アンテナ要素の数が与えられたフォーム係数(ｆｏｒｍ ｆａｃｔｏｒ)に対してより大きくなることができるが、デジタルプリコーディングされたポートの数に相応するＣＳＩ−ＲＳポートの数は図１０に示されたように(ｍｍＷａｖｅ周波数で多くの数のＡＤＣ／ＤＡＣを設置する可能性のような)ハードウェア制約によって制限されるきらいがある。この場合に、一つのＣＳＩ−ＲＳポートはアナログ位相シフタのバンク(ｂａｎｋ)によって制御されることができる多数のアンテナ要素にマッピングされる。その後、一つのＣＳＩ−ＲＳポートはアナログビームフォミングを介して狭いアナログビームを生成する一つのサブアレイに相応することができる。このようなアナログビームはシンボル又はサブフレームにかけて位相シフタバンクを変化させることによってさらに広い範囲の角度にかけてスイーピング(ｓｗｅｅｐｉｎｇ)するように設定されることができる。(ＲＦチェーンの数と同一な)サブアレイの数はＣＳＩ−ＲＳポートの数ＮＣＳＩ−ＰＯＲＴと同一である。デジタルビームフォーミングユニットはＮＣＳＩ−ＰＯＲＴアナログビームにかけて線形組み合せを行ってプリコーディング利得をより増加させる。アナログビームは広帯域(したがって、周波数選択的ではない)であるが、デジタルプリコーディングは周波数副帯域又はリソースブロックにかけて変化されることができる。
【００９１】
３ＧＰＰ ＬＴＥ通信システムにおいて、ネットワークアクセス及び無線リソース管理(ＲＲＭ)は物理的階層同期化信号及び上位(ＭＡＣ)階層手続きによって可能となる。特に、ＵＥは初期アクセスのために少なくとも一つのセルＩＤと共に同期化信号の存在を検出しようと試みる。ＵＥがネットワークにあり、サービングセルと連関されると、ＵＥは同期化信号を検出しようと試みて／試みたり連関されたセル特定ＲＳ)を測定することによって(例えば、ＲＳＲＰを測定することによって)多くの隣接したセルをモニタリングする。３ＧＰＰ−ＮＲ(ｎｅｗ ｒａｄｉｏ ａｃｃｅｓｓ ｏｒ ｉｎｔｅｒｆａｃｅ)のような次世代セルラシステムの場合、(それぞれ相違するカバレッジ要求事項に相応するｅＭＢＢ、ＵＲＬＬＣ、ｍＭＴＣのような)多様なユースケース及び(相違する電波損失を有する)周波数帯域に対して作動する効率的で統合された無線リソース獲得又は追跡メカニズムが好ましい。大部分の相違するネットワーク及び無線リソースパラダイムで設計され、円滑な低待機時間ＲＲＭがさらに好ましい。このような目標はアクセス、無線リソース及び移動性管理フレームワークを設計する時の少なくとも次のような問題を申し立てる。
【００９２】
第１、ＮＲがより多様化されたネットワークトポロジーをサポートする可能性があるので、セルの概念(ｎｏｔｉｏｎ)は再定義されたり他の無線リソースエンティティー(ｒａｄｉｏ ｒｅｓｏｕｒｃｅ ｅｎｔｉｔｙ)で取り替えられることができる。例えば、同期ネットワークの場合、一つのセルはＬＴＥ仕様でＣＯＭＰ(ｃｏｏｒｄｉｎａｔｅｄ ｍｕｌｔｉｐｏｉｎｔ ｔｒａｎｓｍｉｓｓｉｏｎ)シナリオと類似の複数のＴＲＰ(ｔｒａｎｓｍｉｔ−ｒｅｃｅｉｖｅ ｐｏｉｎｔ)と連関されることができる。この場合に、円滑な移動性が好ましい特徴(ｆｅａｔｕｒｅ)である。
【００９３】
第２、大型アンテナアレイ(ｌａｒｇｅ ａｎｔｅｎｎａ ａｒｒａｙ)及びビームフォーミングが用いられる時、(多分、相違するように呼ばれても)ビームの観点で無線リソースを定義することは自然的な接近方式(ｎａｔｕｒａｌ ａｐｐｒｏａｃｈ)であれば良い。多数のビームフォーミングアーキテクチァーが利用されることができると仮定すると、多様なビームフォーミングアーキテクチァー(又は代りにビームフォーミングアーキテクチァーに対する不可知論(ａｇｎｏｓｔｉｃ))を収容するアクセス、無線リソース及び移動性管理フレームワークが好ましい。
【００９４】
図１１は、本開示の実施形態による例示的なＵＥ移動性シナリオ１１００を示す。図１１に示されたＵＥ移動性シナリオ１１００の実施形態はただ例示のためのことである。図１１は本開示の範囲をＵＥ移動性シナリオ１１００の任意の特定具現で制限しない。
【００９５】
例えば、フレームワークは一つのビームが一つのＣＳＩ−ＲＳポート(例えば、複数のアナログポートが一つのデジタルポートに接続され、広く分離された複数のデジタルポートが用いられる場合)に対して形成されたり一つのビームが複数のＣＳＩ−ＲＳポートによって形成されるか否かにかかわらず適用することができる。さらに、フレームワークは(図１１に示されたような)ビームスイーピング(ｂｅａｍ ｓｗｅｅｐｉｎｇ)が用いられるか否かにかかわらず適用することができる。
【００９６】
第３、相違する周波数帯域とユースケースは相違するカバレッジ限界(ｃｏｖｅｒａｇｅ ｌｉｍｉｔａｔｉｏｎ)を賦課する。例えば、ｍｍＷａｖｅ帯域は大きい電波損失を賦課する。したがって、どんな形態のカバレッジ向上方式(ｃｏｖｅｒａｇｅ ｅｎｈａｎｃｅｍｅｎｔ ｓｃｈｅｍｅ)が必要である。いくつかの候補は(図１０に示されたような)ビームスイーピング、繰り返し(ｒｅｐｅｔｉｔｉｏｎ)、ダイバーシティー(ｄｉｖｅｒｓｉｔｙ) 及び／又は多重ＴＲＰ送信を含む。送信帯域幅が小さいｍＭＴＣの場合、十分なカバレッジを確保するために時間−ドメイン繰り返しが必要である。
【００９７】
２レベルの無線リソースエンティティーを用いるＵＥ中心アクセス(ＵＥ−ｃｅｎｔｒｉｃ ａｃｃｅｓｓ)が図１１で説明される。このような２レベルは“セル”及び“ビーム”として指称されることができる。このような２つの用語は例示的で、例示のために用いられる。無線リソース(ｒａｄｉｏ ｒｅｓｏｕｒｃｅ、ＲＲ)１及び２のような他の用語がさらに用いられることができる。付加的に、無線リソースユニットとしての“ビーム”という用語は例えば、図１０でビームスイーピングに用いられるアナログビームと区別されなければならない。
【００９８】
図１１に示されたように、第１ＲＲレベル(“セル”と言い)はＵＥがネットワークに進入する時に適用され、したがって、初期アクセス手続きに関与される。１１１０で、ＵＥ１１１１は同期化信号の存在を検出することを含む初期アクセス手続きを行った後のセル１１１２に接続される。同期化信号はサービングセルと連関されたセル識別(セルＩＤ)を検出するだけでなく粗いタイミング(ｃｏａｒｓｅ ｔｉｍｉｎｇ)及び周波数獲得のために用いられることができる。このような第１レベルで、ＵＥは相違するセルが相違するセルＩＤと連関されることができるからセル境界(ｃｅｌｌ ｂｏｕｎｄａｒｉｅｓ)を観測する。図１１で、一つのセルは一つのＴＲＰと連関される(一般的に、一つのセルは複数のＴＲＰと連関されることができる)。セルＩＤがＭＡＣ階層エンティティであるので、初期アクセスは(同期化信号獲得を通じるセル検索(ｃｅｌｌ ｓｅａｒｃｈ)のような)物理的階層手続きだけではなくＭＡＣ階層手続きを含む。
【００９９】
第２ＲＲレベル(“ビーム”と言い)はＵＥが予めセルに接続されてネットワークに接続される時に適用される。このような第２レベルで、ＵＥ１１１１は実施形態１１５０に示されたようにセル境界を観測せずネットワーク内で移動することができる。すなわち、ＵＥ移動性はセルレベルよりはビームレベル上で処理され、ここで一つのセルはＮ個のビームと連関されることができる(Ｎは１又は＞１日であれば良い)。しかし、セルと異なり、ビームは物理的階層エンティティである。したがって、ＵＥ移動性管理は物理的階層上にだけ処理される。第２レベルＲＲに基づいたＵＥ移動性シナリオの例は図１１の実施形態１１５０に与えられる。
【０１００】
ＵＥ１１１１がサービングセル１１１２と連関された後、ＵＥ１１１１はビーム１１５１とさらに連関される。これはＵＥがビームアイデンティティー(ｂｅａｍ ｉｄｅｎｔｉｔｙ)又は識別を獲得することができるビーム又は無線リソース(ＲＲ)獲得信号を獲得することによって達成される。ビーム又はＲＲ獲得信号の例は測定基準信号(ＲＳ)である。ビーム(又はＲＲ)獲得信号を獲得すると、ＵＥ１１１１はネットワーク又は連関されたＴＲＰに状態を報告することができる。このようなレポート(ｒｅｐｏｒｔ)の例は測定されたビームパワー(ｍｅａｓｕｒｅｄ ｂｅａｍ ｐｏｗｅｒ)(又は測定ＲＳパワー)又は少なくとも一つの勧告された“ビームアイデンティティー(ＩＤ)”又は“ＲＲ−ＩＤ”のセットを含む。このようなレポートに基づいて、ネットワーク又は連関されたＴＲＰはデータ及び制御送信のためにビームを(無線リソースとして)ＵＥ１１１１に割り当てることができる。ＵＥ１１１１が他のセルで移動する時、以前のセルと以後のセルの間の境界はＵＥ１１１１で観察されず見えない。セルハンドオーバーの代りに、ＵＥ１１１１はビーム１１５１からビーム１１５２にスイッチングする。特に、ＵＥ１１１１がＭ個のビーム(又はＲＲ)獲得信号を獲得して測定することによってＭ＞１個の好ましいビームアイデンティティーのセットを報告する時、このような円滑な移動はＵＥ７１１からネットワーク又は連関されたＴＲＰへのレポートによって容易くなる。
【０１０１】
図１２は、本開示の実施形態による例示的なビームスイーピング動作１２００を示す。図１２に示されたビームスイーピング動作１２００の実施形態はただ例示のためのことである。図１２は本開示の範囲をビームスイーピング動作１２００の任意の特定具現で制限しない。
【０１０２】
図１２に示されたように、上述した初期アクセス手続き(ｉｎｉｔｉａｌ ａｃｃｅｓｓ ｐｒｏｃｅｄｕｒｅ)１２１０とＵＥの観点で上述した移動性又は無線リソース管理１２２０が説明される。初期アクセス手続き１２１０はＤＬ同期化信号からのセルＩＤ獲得１２１１だけでなく(ランダムアクセス手続き(ｒａｎｄｏｍ ａｃｃｅｓｓ ｐｒｏｃｅｄｕｒｅ)を含むことができるＵＬ同期化に従う(ＤＬ及びＵＬ接続を設定するためにＵＥが要するシステム情報と共に)ブロードキャスト情報の検索を含む。ＵＥが１２１１及び１２１２を完了すると、ＵＥはネットワークに接続されてセルと連関される。初期アクセス手続きの完了に従って、ＵＥ、可能するようにモバイル(ｍｏｂｉｌｅ)は１２２０で説明されたＲＲＭ状態にある。このような状態は先ずＵＥが(測定ＲＳのような)“ビーム”又はＲＲ獲得信号から“ビーム”又はＲＲ ＩＤを周期的に(繰り返し的に)獲得しようと試みることができる獲得ステージ１２２１を含む。
【０１０３】
ＵＥはモニタリングするビーム／ＲＲ ＩＤのリストで設定されることができる。このような“ビーム”／ＲＲ ＩＤのリストはＴＲＰ／ネットワークによってアップデートされたり再設定されることができる。このような設定は上位階層(例えば、ＲＲＣ)シグナリング又は専用Ｌ１又はＬ２制御チャンネルを介してシグナリングされることができる。このようなリストに基づいてＵＥはこのようなビーム／ＲＲ ＩＤのそれぞれと連関された信号をモニタリングして測定することができる。このような信号はＬＴＥシステムでのＣＳＩ−ＲＳリソースと類似の測定ＲＳリソースに相応することができる。この場合に、ＵＥはモニタリングするＫ＞１個のＣＳＩ−ＲＳリソースのセットで設定されることができる。測定レポート１２２２に対する多くのオプションが可能である。第１に、ＵＥはＫ個のＣＳＩ−ＲＳリソースのそれぞれを測定し、相応するＲＳ電力(ＬＴＥシステムでのＲＳＲＰ又はＲＳＲＱと類似)を計算し、ＲＳ電力をＴＲＰ(又はネットワーク)に報告することができる。第２で、ＵＥはＫ個のＣＳＩ−ＲＳリソースのそれぞれを測定し、連関されたＣＳＩ(ＣＱＩとＲＩ及びＰＭＩのような潜在的に異なるＣＳＩパラメーターを含むことができる)を計算し、ＣＳＩをＴＲＰ(又はネットワーク)に報告することができる。ＵＥからのレポートに基づいて、ＵＥは上位階層(ＲＲＣ)シグナリング又はＬ１／Ｌ２制御シグナリング１２２３を介して Ｍ≧１個の“ビーム”又はＲＲが割り当てられる。したがって、ＵＥはこのようなＭ個の“ビーム”／ＲＲに接続される。
【０１０４】
非同期ネットワークのような特定シナリオで、ＵＥは３ＧＰＰ ＬＴＥシステムと類似のセル ＩＤ基盤又はセルレベル移動性管理で フォールバック(ｆａｌｌ ｂａｃｋ)できる。したがって、無線リソースエンティティー(セル)の２つのレベルのうちの一つだけが適用可能である。２−レベル(“セル”及び“ビーム”)無線リソースエンティティー又は管理が用いられる時、同期化信号は主にネットワークへの初期アクセスのために設計されることができる。(図１２に示されたように)アナログビームスイーピング又は繰り返しが(同期化信号及びブロードキャストチャンネルのような)共通信号のカバレッジを向上させるために用いられることができるｍｍＷａｖｅシステムに対し、同期化信号はＯＦＤＭ シンボル又はスロット又はサブフレームのような)時間にかけて繰り返されることができる。しかし、このような繰り返し因子(ｒｅｐｅｔｉｔｉｏｎ ｆａｃｔｏｒ)はセル当り又はＴＲＰ当りサポートされる“ビーム”(ビームスイーピングに用いられるアナログビームと差別化される無線リソース単位として定義される)の数と必ず相関されることではない。したがって、ビーム識別(ＩＤ)は同期化信号から獲得されたり検出されたりしない。代わり、ビームＩＤは測定ＲＳのようなビーム(ＲＲ)獲得信号によって搬送される。同様に、ビーム(ＲＲ)獲得信号はセルＩＤを搬送しない(しがたって、セルＩＤは借り又はＲＲ獲得信号から検出されない)。
【０１０５】
したがって、新しい無線アクセス技術(ＮＲ)に対する初期アクセス手続き及びＲＲＭでの上述した新しい挑戦を考慮し、ブロードキャスト情報(例えば、マスター情報ブロック又はＭＩＢ)を搬送する主要ブロードキャストチャンネル及び同期化信号(連関されたＵＥ手続きと共に)を設計する必要がある。
【０１０６】
本開示で、ヌメロロジーはサブフレーム持続期間(ｓｕｂｆｒａｍｅ ｄｕｒａｔｉｏｎ)、サブキャリア間隔、サイクリックプレフィックス長さ、送信帯域幅、又はこのような信号パラメーターの任意の組み合せを含むことができる信号パラメーターのセットを指称する。
【０１０７】
ＬＴＥに対し、１次及び２次同期化信号(それぞれｐｒｉｍａｒｙ ａｎｄ ｓｅｃｏｎｄａｒｙ ｓｙｎｃｈｒｏｎｉｚａｔｉｏｎ ｓｉｇｎａｌ、ＰＳＳ及びＳＳＳ)は大略的なタイミング及び周波数同期化及びセルＩＤ獲得のために用いられる。ＰＳＳ／ＳＳＳは１０ｍｓ無線フレームごとに２回送信され、システムフレーム番号(ｓｙｓｔｅｍ ｆｒａｍｅ ｎｕｍｂｅｒ)(ＭＩＢに含まれたＳＦＮ)の側面で時間ドメイン列挙化(ｔｉｍｅ−ｄｏｍａｉｎ ｅｎｕｍｅｒａｔｉｏｎ)が導入されるので、フレームタイミングはＰＳＳ／ＳＳＳから検出されてＰＢＣＨからの検出負担(ｄｅｔｅｃｔｉｏｎ ｂｕｒｄｅｎ)を増加させる必要がない。
【０１０８】
さらに、ＣＰ(ｃｙｃｌｉｃ ｐｒｅｆｉｘ)長さと、わからない場合、二重方式(ｄｕｐｌｅｘｉｎｇ ｓｃｈｅｍｅ)が ＰＳＳ／ＳＳＳから検出されることができる。ＰＳＳは長さ６３の周波数−ドメインＺＣシーケンスから構成され、中間要素はｄ.ｃ.サブキャリアを使用しないために切断される(ｔｒｕｎｃａｔｅｄ)。ＰＳＳがそれぞれのセルのグループ内で３個の物理的階層アイデンティティーを示すために３個のルート(ｒｏｏｔ)が選択される。ＳＳＳシーケンスは最大長さシーケンス(Ｍ−シーケンスとしても知られ)に基づく。それぞれのＳＳＳシーケンスは変調前の２つのソースシーケンスが同一なＭ−シーケンスの異なる循環シフトである周波数ドメインで２個の長さ−３１ＢＰＳＫ変調されたシーケンスをインターリビング(ｉｎｔｅｒｌｅａｖｉｎｇ)することによって設定される。
【０１０９】
循環シフトインデックスは物理的セルＩＤグループで設定される。ＰＳＳ／ＳＳＳ検出は(例えば、ＰＳＳ／ＳＳＳの自動及び交差相関特性(ｃｒｏｓｓ−ｃｏｒｒｅｌａｔｉｏｎ ｐｒｏｐｅｒｔｉｅｓ)の非理想性(ｎｏｎ−ｉｄｅａｌｉｔｉｅｓ)及びＣＲＣ保護の不足により)不完全(ｆａｕｌｔｙ)であるので、ＰＳＳ／ＳＳＳから検出されたセルＩＤ仮説は時々ＰＢＣＨ 検出を介して確認されることができる。ＰＢＣＨは主にＤＬ及びＵＬシステム帯域幅情報(３ビット)、ＰＨＩＣＨ情報(３ビット)及びＳＦＮ(８ビット)から構成されるマスターブロック情報(ＭＩＢ)をシグナリングするのに用いられる。(ＭＴＣのような他の使用のための)１０予約されたビットを付加すると、ＭＩＢペイロードは２４ビットとなる。
【０１１０】
１６ビットＣＲＣが追加された後、レート−１／３テール−バイティン畳み込みコーディング(ｒａｔｅ−１／３ ｔａｉｌ−ｂｉｔｉｎｇ ｃｏｎｖｏｌｕｔｉｏｎａｌ ｃｏｄｉｎｇ)、４ｘ繰り返し及びＱＰＳＫ変調は４０ビットコードワードに適用される。生成されたＱＰＳＫシンボルストリームは４個の無線フレームを介して分散された４個のサブフレームを介して送信される。ＭＩＢを検出すること以外に、ＰＢＣＨに対してはＣＲＳポートの数のブラインド検出(ｂｌｉｎｄ ｄｅｔｅｃｔｉｏｎ)がさらに必要である。ＬＴＥでＰＢＣＨの８ビットＳＦＮは最上位ビット(ｍｏｓｔ ｓｉｇｎｉｆｉｃａｎｔ ｂｉｔ、ＭＳＢ)であり、４０ｍｓごとにアップデートされる。無線フレーム番号の２ビット最下位ビット(ｌｅａｓｔ ｓｉｇｎｉｆｉｃａｎｔ ｂｉｔ、ＬＳＢ)はＰＢＣＨペイロードに明示的に示さない。ＵＥは４回のＮＲ−ＰＢＣＨ送信が４０ｍｓ内でコヒーレントに(ｃｏｈｅｒｅｎｔｌｙ)組み合せることができるようにＬＳＢを識別するためにＰＢＣＨスクランブリングコードに対して４個の可能な位相のブラインド検出に依存する。表１はＬＴＥシステム設計のためのＰＳＳ／ＳＳＳ／ＰＢＣＨを示す。
【０１１１】
【表１】
2020508614.tif 000013
【０１１２】
必須システム情報はＢＣＨ又はＤＬ ＳＣＨで論理チャンネルを介してＬＴＥ ｅＮＢによって示される。ＳＩ静的部分と動的部分の２つの部分がある。静的部分はＭＩＢとして呼ばれ、ＢＣＨを用いて送信され、４０ｍｓごとに１ずつＰＢＣＨによって搬送される。ＭＩＢはチャンネル帯域幅、ＰＨＩＣＨ設定詳細事項(ＰＨＩＣＨ ｃｏｎｆｉｇｕｒａｔｉｏｎ ｄｅｔａｉｌｓ)、送信電力、アンテナ番号及びＤＬ−ＳＣＨ上の異なる情報と共に送信されるＳＩＢスケジューリング情報を含む有用な情報を搬送する。動的部分はＳＩＢとして呼ばれ、ＤＬ−ＳＣＨを介してＲＲＣＳＩメッセージ(ＳＩ−１、２、３、４、５、６、７、８、９、１０、１１)上にマッピングされ、周期的間隔でＰＤＳＣＨを用いて送信される。ＳＩ−１は８０ｍｓごとに送信され、ＳＩ−２は１６０ｍｓごとに送信され、ＳＩ−３は３２０ｍｓごとに送信される。システム情報ブロックはＳＩコンテナ(ＳＩ ｃｏｎｔａｉｎｅｒ)でグループ化される。それぞれのＳＩは多数のＳＩＢから構成される。それぞれのＳＩは普通異なる送信周波数を有することができ、単一サブフレームで送信されることができる。ＳＩＢはＤＬ−ＳＣＨ上にマッピングされたＢＣＣＨを用いて送信され、ＰＤＳＣＨ上にマッピングされる。
【０１１３】
しかし、ＮＲの搬送波周波数と帯域幅は相違する。ＮＲに対し、同期化信号及びＰＢＣＨを含む送信帯域幅はＬＴＥより大きいことで仮定される。さらに、従来の周期的なＣＲＳはＬＴＥとして利用可能ではないこともある。ＮＲは新しい設計だけではなく相応する送信方式を要する。
【０１１４】
ＮＲは少なくとも２個のタイプの同期化信号:ＮＲ−ＰＳＳ及びＮＲ−ＳＳＳを定義する。ＮＲ−ＰＳＳは少なくともＮＲセルに対する初期シンボル境界同期化(ｉｎｉｔｉａｌ ｓｙｍｂｏｌ ｂｏｕｎｄａｒｙ ｓｙｎｃｈｒｏｎｉｚａｔｉｏｎ)のために定義される。ＮＲ−ＳＳＳはＮＲセルＩＤ又はＮＲセルＩＤの少なくとも一部の検出のために定義される。少なくとも一つのブロードキャストチャンネル(ＮＲ−ＰＢＣＨ)が定義される。ＮＲ−ＰＢＣＨは搬送波周波数範囲によって仕様に予め定義された固定されたペイロード大きさ及び周期を有する最小システム情報(ｍｉｎｉｍｕｍ ｓｙｓｔｅｍ ｉｎｆｏｒｍａｔｉｏｎ)の少なくとも一部を搬送するスケジューリングされない(ｎｏｎ−ｓｃｈｅｄｕｌｅｄ)ブロードキャストチャンネルである。
【０１１５】
単一ビーム及び多重ビームシナリオのいずれも、ＰＳＳ、ＳＳＳ及びＰＢＣＨの時分割多重化がサポートされる。ＮＲ−ＰＳＳ、ＮＲ−ＳＳＳ及びＮＲ−ＰＢＣＨはＳＳブロック内で送信されることができる。与えられた周波数帯域に対し、ＳＳブロックはデフォルトサブキャリア間隔に基づいたＮ個のＯＦＤＭシンボルに相応し、Ｎは常数である。信号多重化構造は仕様(ｓｐｅｃｉｆｉｃａｔｉｏｎ)に固定されている。ＵＥは少なくともＯＦＤＭシンボルインデックス、無線フレームでのスロットインデックス及び無線フレーム番号をＳＳブロックから識別することができる。
【０１１６】
ＳＳブロックで、少なくとも２個のタイプの同期化信号:ＮＲ−ＰＳＳ及びＮＲ−ＳＳＳがある。ＮＲ−ＰＳＳはＮＲセルに対する初期シンボル境界同期化のために定義され、ＮＲ−ＳＳＳはＮＲセルＩＤ又はセルＩＤの少なくとも一部を検出するために定義される。ＳＳブロックには最大(Ｎ−２個のＮＲ−ＰＢＣＨシンボルがある。さらに、ＮＲ−ＰＢＣＨデコーディングのためのＵＥモニタリング帯域幅はＩＤＬＥモードでのセル(再)選択手続きの複雑性及び電力消費を考慮して制限されることができる。ＮＲ−ＰＳＳ／ＳＳＳと比べて同一であるかやや広い帯域幅がベースライン(ｂａｓｅｌｉｎｅ)として見なされることができる。
【０１１７】
図１３は、本開示の実施形態によるＬＴＥ１３００での例示的なＳＳＳ／ＰＳＳ／ＰＢＣＨを示す。図１３に示されたＬＴＥ１３００のＳＳＳ／ＰＳＳ／ＰＢＣＨの実施形態はただ例示のためのことである。図１３は本開示の範囲を任意の特定具現で制限しない。
【０１１８】
ＬＴＥで、１２ｘ６ＲＢｓｘ４−シンボル＝１２ｘ２４＝２８８ＲＥは１０ｍｓ周期でＰＢＣＨシンボル上で多重化された４８個のＲＥを有するＰＢＣＨ及びＣＲＳに利用可能で、２４０個のＲＥは図１３に示されたように４０ビットペイロード大きさを有するＰＢＣＨに用いられる。ＣＲＳはＰＢＣＨを復調するために用いられる。
【０１１９】
ＮＲ−ＰＢＣＨペイロード大きさは多重ビームスイーピングを考慮してＰＢＣＨより大きくなることができる。ビームスイーピングはＮＲ−ＰＳＳ／ＳＳＳ／ＰＢＣＨを送信するのに用いられ、ビーム数は設定可能である。搬送波周波数＜６ＧＨｚの場合には少ない数の広いビームが考慮されることができるが；多くの数の狭いビームは相当な経路損失(ｓｉｇｎｉｆｉｃａｎｔ ｐａｔｈ ｌｏｓｓ)／シャドーイング(ｓｈａｄｏｗｉｎｇ)を防止して(ｃｏｍｂａｔ)カバレッジを拡張させるために ３０ＧＨｚのように搬送波周波数＞６ＧＨｚで用いられることができる。
【０１２０】
図１４は、本開示の実施形態による例示的な多重ビームＮＲ−ＰＳＳ／ＳＳＳ／ＰＢＣＨ１４００を示す。図１４に示された多重ビームＮＲ−ＰＳＳ／ＳＳＳ／ＰＢＣＨ１４００の実施形態はただ例示のためのことである。図１４は本開示の範囲を任意の特定具現で制限しない。
【０１２１】
多重ビームＮＲ−ＰＳＳ／ＳＳＳ／ＰＢＣＨに対するビームスイーピングは図１４に示され、ここでＳＳバーストセットは多数の不連続(ｎｏｎ−ｃｏｎｔｉｇｕｏｕｓ)ＳＳバーストから構成され、それぞれのＳＳバーストは連続的なシンボル又はスロットに位置される多数のＳＳブロックを含む。ＳＳバーストセットは全体セルカバレッジにかけてビームスイーピングを行うのに用いられる。ＤＬ ＳＳスロットはＤＬ ＳＳブロックを含む予め定義された持続期間を有するＤＬスロットとして定義される。“ＳＳスロット”に対して同一な意味に関する他の用語があり得るということを注目する。
【０１２２】
例えば、予め定義された持続期間は１ｍｓのサブフレームで、一つ以上のＳＳブロック(予め決定された数のＳＳブロック／位置を有し)は同一なサブフレーム内に置かれると、これは共にＤＬ ＳＳスロットとして見なされることができる。それぞれのＳＳブロックにはビームフォーミング／プリコーディング／アンテナウェート／空間フィルタリングでｇＮＢ／ＴＲＰによって送信されるＮＲ−ＰＳＳ／ＳＳＳ／ＮＲ−ＰＢＣＨがある。ＳＳバーストセットに係る情報はＳＳバーストセット周期、ＳＳバーストセット当りＳＳバーストの数、バースト当りＳＳブロックの数、ＳＳバーストセットの周波数オフセット、それぞれのバーストの時間オフセット、バーストでのそれぞれのＳＳブロックの時間オフセットなどを含む。ＵＥ検索のための複雑も及び電力節減だけではなくシグナリングオーバーヘッドを減少させるためにＳＳバーストセット周期、ＳＳバースト当り第１ＳＳブロックの時間オフセットなどのような情報の一部が固定されることができる。
【０１２３】
シンボル当り２８８個のＲＥを有するＮＲ−ＳＳブロックを設計するための一部実施形態で、ＮＲ−ＰＳＳを送信するために一つのＯＦＤＭシンボル内で利用可能なリソース要素の最大数は２８８(２４個のＲＢと同等)であり、これは１５ｋＨｚサブキャリア間隔及び５ＭＨｚＮＲ−ＰＳＳ送信帯域幅(保護帯域(ｇｕａｒｄ ｂａｎｄ)を含み)と連関された周波数範囲Ａ；３０ｋＨｚサブキャリア間隔及び１０ＭＨｚ ＮＲ−ＰＳＳ送信帯域幅(保護帯域を含み)と連関された周波数範囲Ｂ；６０ｋＨｚサブキャリア間隔及び２０ＭＨｚ ＮＲ−ＰＳＳ送信帯域幅(保護帯域を含み)と連関された周波数範囲 Ｃ；１２０ｋＨｚサブキャリア間隔及び４０ＭＨｚ ＮＲ−ＰＳＳ送信帯域幅(保護帯域を含み)と連関された周波数範囲Ｄ；２４０ｋＨｚサブキャリア間隔及び８０ＭＨｚ ＮＲ−ＰＳＳ送信帯域幅(保護帯域を含み)と連関された周波数範囲Ｅに相応する。
【０１２４】
例えば、周波数範囲Ａは約０乃至２ＧＨｚであれば良く、周波数範囲Ｂは約２乃至６ＧＨｚであれば良く、周波数範囲Ｄは６ＧＨｚであれば良い。他の例として、周波数範囲Ａは約０乃至２ＧＨｚであれば良く、周波数範囲Ｂは約２乃至６ＧＨｚであれば良く、周波数範囲Ｅは６ＧＨｚであれば良い。
また他の例として、周波数範囲Ａは約０乃至６ＧＨｚであれば良く、周波数範囲Ｄは６ＧＨｚであれば良い。また、他の例として、周波数範囲Ａは約０乃至６ＧＨｚであれば良く、周波数範囲Ｅは６ＧＨｚであれば良い。表２Ａ−１、表２Ａ−２、表２Ｂ−１及び表２Ｂ−２はＮＲ−ＳＳ設計を示す。
【０１２５】
【表２Ａ−１】
2020508614.tif 000014
【０１２６】
【表２Ａ−２】
2020508614.tif 000015
【０１２７】
【表２Ｂ−１】
2020508614.tif 000016
【０１２８】
【表２Ｂ−２】
2020508614.tif 000017
【０１２９】
一実施形態で、ＮＲ−ＳＳ／ＰＢＣＨヌメロロジー、最小ＢＷだけでなく１０ｍｓ及び２０ｍｓのＮＲ−ＳＳバーストセット周期を有するＮＲ−ＳＳ設計がそれぞれ表２Ａ−１及び表２Ａ−２に示される。時間／周波数で類似のオーバーヘッドを維持するために、予め定義されたＳＳバーストセット周期内のＳＳブロックの最大数はサブキャリア間隔(ｓｕｂｃａｒｒｉｅｒ ｓｐａｃｉｎｇ、ＳＣＳ)、最小帯域幅(ＢＷ)、システムＢＷ及び周期性によってスケーリング(ｓｃａｌｉｎｇ)される。ＳＳブロックインデックス(又は相応する時間インデックス)はそれぞれのＳＳブロックに対して相違する 。
【０１３０】
例えば、ＳＣＳ＝１５ｋＨｚ*２ｎがＮＲ−ＳＳブロックで定義されると、ＮＲ ＳＳバーストセット周期が１０ｍｓの場合にＳＳブロックの最大数は２ｘ２ｎと同一である。ＤＬ ＳＳスロットがＤＬ ＳＳブロックの対を含むと仮定すると、ＤＬ ＳＳスロット数の最大数はＬ＝２ｎである。他の例はＳＣＳ＝１５ｋＨｚ*２ｎがＮＲ−ＳＳブロックで定義されると、ＮＲ ＳＳバーストセット周期が２０ｍｓの場合にＳＳブロックの最大数は２ｘ２ｎ＋１と同一である。ＤＬ ＳＳスロットが２個のＤＬ ＳＳブロックを含むと仮定すると、ＤＬ ＳＳスロット数の最大数はＬ＝２ｎ＋１である。
【０１３１】
シンボル当り１４４個のＲＥを有するＮＲ−ＳＳブロックを設計するための一部実施形態で、ＮＲ−ＰＳＳを送信するために一つのＯＦＤＭシンボル内で利用可能なリソース要素の最大数は１４４(１２個のＲＢと同等)であり、これは１５ｋＨｚサブキャリア間隔及び２．５ＭＨｚ ＮＲ−ＰＳＳ送信帯域幅(保護帯域を含み)と連関された周波数範囲Ａ；３０ｋＨｚサブキャリア間隔及び５ＭＨｚ ＮＲ−ＰＳＳ送信帯域幅(保護帯域を含み)と連関された周波数範囲Ｂ；６０ｋＨｚサブキャリア間隔及び１０ＭＨｚ ＮＲ−ＰＳＳ送信帯域幅(保護帯域を含み)と連関された周波数範囲Ｃ；１２０ｋＨｚサブキャリア間隔及び２０ＭＨｚ ＮＲ−ＰＳＳ送信帯域幅(保護帯域を含み)と連関された周波数範囲Ｄ；２４０ｋＨｚサブキャリア間隔及び４０ＭＨｚ ＮＲ−ＰＳＳ送信帯域幅(保護帯域を含み)と連関された周波数範囲Ｅに相応する。
【０１３２】
例えば、周波数範囲Ａは約０乃至２ＧＨｚであれば良く、周波数範囲Ｂは約２乃至６ＧＨｚであれば良く、周波数範囲Ｄは６ＧＨｚであれば良い。他の例として、周波数範囲Ａは約０乃至２ＧＨｚであれば良く、周波数範囲Ｂは約２乃至６ＧＨｚであれば良く、周波数範囲Ｅは６ＧＨｚであれば良い。また他の例として、周波数範囲Ａは約０乃至６ＧＨｚであれば良く、周波数範囲Ｄは６ＧＨｚであれば良い。また他の例として、周波数範囲Ａは約０乃至６ＧＨｚであれば良く、周波数範囲Ｄは６ＧＨｚであれば良い。また他の例として、周波数範囲Ａは約０乃至６ＧＨｚであれば良く、周波数範囲Ｅは６ＧＨｚであれば良い。表２Ｃ−１、表２Ｃ−２、表２Ｄ−１ 及び表２Ｄ−２はＮＲ−ＳＳ設計を示す。
【０１３３】
【表２Ｃ−１】
2020508614.tif 000018
【０１３４】
【表２Ｃ−２】
2020508614.tif 000019
【０１３５】
【表２Ｄ−１】
2020508614.tif 000020
【０１３６】
【表２Ｄ−２】
2020508614.tif 000021
【０１３７】
一実施形態で、ＮＲ−ＳＳ／ＰＢＣＨヌメロロジー、最小ＢＷだけでなく１０ｍｓ及び２０ｍｓのＮＲ−ＳＳバーストセット周期を有するＮＲ−ＳＳ設計がそれぞれ表２Ｃ−１、表２Ｃ−２、表２Ｄ−１及び表２Ｄ−２に示す。時間／周波数で類似のオーバーヘッドを維持するために、予め定義されたＳＳバーストセット周期内のＳＳブロックの最大数はサブキャリア間隔(ＳＣＳ)、最小帯域幅(ＢＷ)、システムＢＷのパラメーターセット及び周期によってスケーリングされる。ＳＳブロックインデックス(又は相応する時間インデックス)はそれぞれのＳＳブロックに対して相違する。
【０１３８】
例えば、ＳＣＳ＝１５ｋＨｚ*２ｎがＮＲ−ＳＳブロックで定義されると、ＮＲ ＳＳバーストセット周期が０ｍｓの場合にＳＳブロックの最大数は２ｘ２ｎと同一である。ＤＬ ＳＳスロットがＤＬ ＳＳブロックの対を含むと仮定すると、ＤＬ ＳＳスロット数の最大数はＬ＝２ｎである。他の例はＳＣＳ＝１５ｋＨｚ*２ｎがＮＲ−ＳＳブロックで定義されると、ＮＲ ＳＳバーストセット周期が２０ｍｓの場合にＳＳブロックの最大数は２ｘ２ｎ＋１と同一である。ＤＬ ＳＳスロットが２個のＤＬ ＳＳブロックを含むと仮定すると、ＤＬ ＳＳスロット数の最大数はＬ＝２ｎ＋１である。
【０１３９】
図１５は、本開示の実施形態による例示的なＮＲ−ＳＳバーストセット構成１５００を示す。図１５に示されたＮＲ−ＳＳ バーストセット構成１５００の実施形態はただ例示のためのことである。図１５は本開示の範囲を任意の特定具現で制限しない。
【０１４０】
図１６は、本開示の実施形態による他の例示的なＮＲ−ＳＳ バーストセット構成１６００を示す。図１６に示されたＮＲ−ＳＳバーストセット構成１６００の実施形態はただ例示のためのことである。図１６は本開示の範囲を任意の特定具現で制限しない。
【０１４１】
ＮＲ−ＳＳバーストセット構成を設計するための一部実施形態で、ＮＲ−ＳＳバーストセット構成はそれぞれ１０ｍｓのＳＳバーストセット周期の場合に対しては図１５に示され、２０ｍｓのＳＳバーストセット周期の場合に対しては図１６に示される。
【０１４２】
図１５の一実施形態で、無線フレーム当りＤＬ送信のためにサブフレーム＃０及び＃５に位置される１０ｍｓのＤＬ ＳＳバーストセット周期内には２個のＤＬ ＳＳバーストがある。無線フレーム当り他のサブフレーム＃１乃至＃４及び＃６乃至＃９は例えば、ＴＤＤ ＤＬ／ＵＬ設定に対して柔軟性(ｆｌｅｘｉｂｌｅ)がある。それぞれのＤＬ ＳＳバーストは最大(Ｌ／２)ＮＲ ＤＬ−ＳＳスロットを有し、それぞれのＤＬ ＳＳスロットは一対のＳＳブロックを有する。連続的な最大(Ｌ／２)ＤＬ ＳＳスロットから構成されたＤＬ ＳＳバースト内の少なくともＮＲ ＤＬ−ＳＳブロックはコヒーレントコンバイニング(ｃｏｈｅｒｅｎｔ ｃｏｍｂｉｎｉｎｇ)のための共通ＰＢＣＨ ペイロードを有することができる。不連続ＤＬ ＳＳスロットに分散された相違するＤＬ ＳＳバーストのＮＲ ＤＬ−ＳＳブロックは相違するＰＢＣＨ ペイロードを有することができる。
【０１４３】
一実施形態で、ＮＲ ＳＳバーストインデックスはＮＲ−ＰＢＣＨペイロードに指示されることができ、ｌ＝１．．．(Ｌ／２)であるＤＬ ＳＳスロットインデックス又はＤＬ ＳＳバースト当りｌ＝１．．．(Ｌ／２)であるＤＬ ＳＳブロックインデックス(２ｌ−１)又は２ｌは復調ＮＲ−ＰＢＣＨのために付加的なＤＭＲＳを用いることによって指示される。他の実施形態で、ＮＲ ＳＳバーストインデックス及びｌ＝１．．．(Ｌ／２)であるＤＬ ＳＳスロットインデックス又はＤＬ ＳＳバースト当りｌ＝１．．．(Ｌ／２)である ＤＬ ＳＳブロックインデックス(２ｌ−１)又は２ｌ(又は２つのタイミング情報を示す単一インデックスと同等)は復調ＮＲ−ＰＢＣＨのために付加的なＤＭＲＳを用いることによって指示される。
【０１４４】
図１５の一実施形態で、無線フレーム当りＤＬ送信のためにサブフレーム＃０に位置される１０ｍｓのＤＬ ＳＳバーストセット周期内には一つのＤＬ ＳＳバーストだけがある。無線フレーム当り他のサブフレーム＃１乃至＃９は例えば、ＴＤＤ ＤＬ／ＵＬ設定に対して柔軟性がある。ＤＬ ＳＳバーストは最大(Ｌ)ＮＲ ＤＬ−ＳＳスロットを有し、それぞれのＤＬ ＳＳスロットは一対のＳＳブロックを有する。連続的な最大(Ｌ)ＤＬ ＳＳスロットから構成されるＤＬ ＳＳバースト内のＮＲ ＤＬ−ＳＳブロックはコヒーレント組み合せのための共通ＰＢＣＨペイロードを有することができる。ｌ＝１．．．(Ｌ)であるＤＬ ＳＳスロットインデックス又はＤＬ ＳＳバースト当りｌ＝１．．．(Ｌ)であるＤＬ ＳＳブロックインデックス(２ｌ−１)又は２ｌは復調ＮＲ−ＰＢＣＨのために付加的なＤＭＲＳを用いることによって示す。他の例は一つ以上の連続的なＤＬサブフレームにＳＳバーストを配置したり一つ以上の連続的なＤＬサブフレームにＳＳバーストをおくことである。
【０１４５】
図１６の一実施形態で、無線フレーム当りＤＬ送信のためにサブフレーム＃０及び＃５に位置される２０ｍｓのＤＬ ＳＳバーストセット周期内には４個のＤＬ ＳＳバーストがある。無線フレーム当り他のサブフレーム＃１乃至＃４及び＃６乃至＃９は例えば、ＴＤＤ ＤＬ／ＵＬ設定に対して柔軟性がある。それぞれのＤＬ ＳＳバーストは最大(Ｌ／４)ＮＲ ＤＬ−ＳＳスロットを有し、それぞれのＤＬ ＳＳスロットは一対のＳＳブロックを有する。連続的な最大(Ｌ／４)ＤＬ ＳＳスロットから構成されたＤＬ ＳＳバースト内の少なくともＮＲ ＤＬ−ＳＳブロックはコヒーレント組み合せのための共通ＰＢＣＨペイロードを有することができる。不連続ＤＬ ＳＳスロットで分散された相違するＤＬ ＳＳバーストのＮＲ ＤＬ−ＳＳブロックは相違するＰＢＣＨペイロードを有することができる。
【０１４６】
一実施形態で、ＮＲ ＳＳバーストインデックスはＮＲ−ＰＢＣＨペイロードに示されることができ、ｌ＝１．．．(Ｌ／４)であるＤＬ ＳＳスロットインデックス又はＤＬ ＳＳバースト当りｌ＝１．．．(Ｌ／４)であるＤＬ ＳＳブロックインデックス(２ｌ−１)又は２ｌは復調ＮＲ−ＰＢＣＨのために付加的なＤＭＲＳを用いることによって示される。他の実施形態で、ＮＲ ＳＳバーストインデックス及びｌ＝１．．．(Ｌ／４)であるＤＬ ＳＳスロットインデックス又はＤＬ ＳＳバースト当りｌ＝１．．．(Ｌ／４)であるＤＬ ＳＳブロックインデックス(２ｌ−１)又は２ｌ(又は２つのタイミング情報を示す単一インデックスと同等)は復調ＮＲ−ＰＢＣＨのために付加的なＤＭＲＳを用いることによって示される。
【０１４７】
図１６の一実施形態で、無線フレーム当りＤＬ送信のためにサブフレーム＃０又はサブフレーム ＃５に位置されたり、２０ｍｓのＤＬ ＳＳバーストセット周期内には一つの無線フレームのサブフレーム＃０及び＃５に位置される２０ｍｓのＤＬ ＳＳバーストセット周期内には２個のＤＬ ＳＳバーストがある。無線フレーム内の他のサブフレームは例えば、ＴＤＤ ＤＬ／ＵＬ設定に対して柔軟性がある。それぞれのＤＬ ＳＳバーストは最大(Ｌ／２)ＮＲ ＤＬ−ＳＳスロットを有し、それぞれのＤＬ ＳＳスロットは一対のＳＳブロックを有する。連続的な最大(Ｌ／２)ＤＬ ＳＳスロットから構成されるＤＬ ＳＳバースト内の少なくともＮＲ ＤＬ−ＳＳブロックはコヒーレント組み合せのための共通ＰＢＣＨペイロードを有することができる。
【０１４８】
不連続ＤＬ ＳＳスロットで分散された相違するＤＬ ＳＳバーストのＮＲ ＤＬ−ＳＳブロックは相違するＰＢＣＨペイロードを有することができる。一実施形態で、ＮＲ ＳＳバーストインデックスはＮＲ−ＰＢＣＨペイロードに示されることができ、ｌ＝１．．．(Ｌ／２)であるＤＬ ＳＳスロットインデックス又はＤＬ ＳＳバースト当りｌ＝１．．．(Ｌ／２)であるＤＬ ＳＳブロックインデックス(２ｌ−１)又は２ｌは復調ＮＲ−ＰＢＣＨのために付加的なＤＭＲＳを用いることによって示される。他の実施形態で、ＮＲ ＳＳバーストインデックス及びｌ＝１．．．(Ｌ／２)であるＤＬ ＳＳスロットインデックス又はＤＬ ＳＳバースト当りｌ＝１．．．(Ｌ／２)であるＤＬ ＳＳブロックインデックス(２ｌ−１)又は２ｌ(又は２つのタイミング情報を示す単一インデックスと同等)は復調ＮＲ−ＰＢＣＨのために付加的なＤＭＲＳを用いることによって示される。
【０１４９】
図１６の一実施形態で、無線フレーム当りＤＬ送信のためにサブフレーム＃０に位置される２０ｍｓのＤＬ ＳＳバーストセット周期内には一つのＤＬ ＳＳバーストだけがある。２０ｍｓのＤＬ ＳＳバーストセット周期内の他のサブフレームは例えば、ＴＤＤ ＤＬ／ＵＬ設定に対して柔軟性がある。ＤＬ ＳＳバーストは最大(Ｌ)ＮＲ ＤＬ−ＳＳスロットを有し、それぞれのＤＬ ＳＳスロットは一対のＳＳブロックを有する。連続的な最大(Ｌ)ＤＬ ＳＳスロットから構成されるＤＬ ＳＳバースト内のＮＲ ＤＬ−ＳＳブロックはコヒーレント組み合せのための共通ＰＢＣＨ ペイロードを有することができる。ｌ＝１．．．(Ｌ)であるＤＬ ＳＳスロットインデックス又はＤＬ ＳＳバースト当り ｌ＝１．．．(Ｌ)であるＤＬ ＳＳブロックインデックス(２ｌ−１)又は２ｌは復調ＮＲ−ＰＢＣＨのために付加的なＤＭＲＳを用いることで示す。
【０１５０】
上述した実施形態／下位実施形態に対し、ＳＳバーストセット構成の重要な様態はＳＳブロックを ＤＬ ＳＳスロットとマッピングする方法である((ＤＬ ＳＳスロット内でマッピングするＳＳブロック上の設計の下位実施形態はＳＳバースト構成に関するすべての上述した実施形態／下位実施形態と組み合せることができるということを注目する)。ＤＬ−ＳＳブロックにマッピングされるシンボルは同一なＮＲスロットでＮＲ−ＰＤＣＣＨ(ＮＲスロットの始めで潜在的に１乃至２シンボル)又はＮＲ−ＰＵＣＣＨ(ＮＲスロットの終りで潜在的に１乃至２シンボル)に対してマッピングされたシンボルと重ならないこともある。さらに、設計は正常ＣＰを用いる１４個のシンボルと同一なスロット持続期間又は拡張されたＣＰを用いる１２個のシンボルと同一なスロット持続期間でデータフィールドの可能性を考慮することができる。
【０１５１】
図１７ａは、本開示の実施形態による例示的なＳＳブロック位置１７００を示す。図１７ａに示されたＳＳブロック位置１７００の実施形態はただ例示のためのことである。図１７ａは本開示の範囲を任意の特定具現で制限しない。
【０１５２】
一実施形態で、ＤＬ ＳＳスロット＃１内のＳＳブロック位置は図１７ａに示され、ここで、ＮＲ−ＳＳブロック(ＳＣＳ_ＳＳ)に対するサブキャリア間隔(ＳＣＳ)がデータのＳＣＳ(ＳＣＳ_ｄａｔａ)と同一である。ハーフスロット境界(ｈａｌｆ ｓｌｏｔ ｂｏｕｎｄａｒｙ)に対して対称位置に一対のＳＳブロックがある。ＳＳブロック＃(２ｌ−１)はハーフスロット境界の左側に配置され、ＳＳブロック(２ｌ)はハーフスロット境界の右側に配置される。ＤＬ ＳＳスロット内の相手位置は正常ＣＰ又は拡張されたＣＰが用いられるか否かに関係なく(拡張されたＣＰがＮＲ ＳＳブロックに対してサポートされる場合)固定される。例えば、正常ＣＰは７％シンボル長さとして定義され、拡張されたＣＰは２５％シンボル長さとして定義される。その後、ＵＥはＤＬ ＳＳスロット内のどのＳＳブロックが検出されるかにかかわらずハーフスロット境界を識別することができる。
【０１５３】
例えば、ＳＳブロックインデックスを＃(２ｌ−１)として検出すると、ＵＥはＳＳブロックの終了タイミングを用いてハーフスロット境界を識別することができる。類似に、ＳＳブロックインデックスを＃(２ｌ)として検出すると、ＵＥはＳＳブロックの始めタイミングを用いてハーフスロット境界を識別することができる。ＣＰ情報は検出されたＳＳブロック、例えば、ＮＲ−ＰＢＣＨで又はＮＲ−ＰＢＣＨペイロードのＣＲＣを用いるかＮＲ−ＰＢＣＨを復調するためにＮＲ−ＰＳＳ／ＳＳＳシーケンス又は付加的なＤＭＲＳを用いて明示的／暗示的に示される。ＣＰタイプに対する知識で、シンボル境界はＵＥ側で計算されることができる。一つのＳＳブロックは固定された数のシンボルを有する。一例で、数は４であれば良い。他の例で、数は３又は５であれば良い。
【０１５４】
図１７ｂは、本開示の実施形態による他の例示的なＳＳブロック位置１７２０を示す。図１７ｂに示されたＳＳブロック位置１７２０の実施形態はただ例示のためのことである。図１７ｂは本開示の範囲を任意の特定具現で制限しない。
【０１５５】
一実施形態で、図１７ｂに示されたように、それぞれＳＣＳ_ｄａｔａ＝２ｘＳＣＳ_ＳＳ、ＳＣＳ_ｄａｔａ＝１ｘＳＣＳ_ＳＳ、ＳＣＳ_ｄａｔａ＝(１／２)ｘＳＣＳ_ＳＳ及びＳＣＳ_ｄａｔａ＝(１／４)ｘＳＣＳ_ＳＳの相違する場合に対するスロットでのＮＲ−ＳＳブロックのマッピングパターンであり、ここでスロットは正常ＣＰで１４個のシンボルを有する。(１３０１ｂに示されたように)ＳＣＳ_ｄａｔａ＝２ｘＳＣＳ_ＳＳの場合に、スロット内には最大１個のＤＬ ＳＳブロックがある。(１３０２ｂに示されたように)ＳＣＳ_ｄａｔａ＝１ｘＳＣＳ_ＳＳの場合に、スロット内には最大２個のＤＬ ＳＳブロックがある。(１３０３ｂに示されたように)ＳＣＳ_ｄａｔａ＝(１／２)ｘＳＣＳ_ＳＳ ＳＳの場合に、スロット内には最大４個のＤＬ ＳＳブロックがある。(１７２４ｂに示されたように)ＳＣＳ_ｄａｔａ＝(１／４)ｘＳＣＳ_ＳＳ ＳＳの場合に、スロット内には最大８個のＤＬ ＳＳブロックがある。すべての場合に、ＤＬ ＳＳブロックは始めでの可能な１乃至２個のＰＤＣＣＨシンボル及び１４−シンボルスロットの終りでの可能な１乃至２個のＰＤＣＣＨシンボルと重ならない。送信されるＮＲ−ＳＳブロックが４個未満の場合には、それぞれの１４−シンボルスロットでのＰＤＣＣＨ／ＰＵＣＣＨを用いて残りのリソースを設定するのに柔軟性がある。
【０１５６】
図１７ｃは、本開示の実施形態によるまた他の例示的なＳＳブロック位置１７４０を示す。図１７ｃに示されたＳＳブロック位置１７４０の実施形態はただ例示のためのことである。図１７ｃは本開示の範囲を任意の特定具現で制限しない。
【０１５７】
一実施形態で、図１７ｃに示されたように、それぞれＳＣＳ_ｄａｔａ＝２ｘＳＣＳ_ＳＳ、ＳＣＳ_ｄａｔａ＝１ｘＳＣＳ_ＳＳ、ＳＣＳ_ｄａｔａ＝(１／２)ｘＳＣＳ_ＳＳ及びＳＣＳ_ｄａｔａ＝(１／４)ｘＳＣＳ_ＳＳの相違する場合に対するスロットでのＮＲ−ＳＳブロックのマッピングパターンであり、ここでスロットは拡張されたＣＰで１２個のシンボルを有する。(１７４１ｃに示されたように)ＳＣＳ_ｄａｔａ＝２ｘＳＣＳ_ＳＳの場合に、スロット内には最大１個のＤＬ ＳＳブロックがある。(１７４２ｃに示されたように)ＳＣＳ_ｄａｔａ＝１ｘＳＣＳ_ＳＳの場合に、スロット内には最大２個のＤＬ ＳＳブロックがある。(１７４３ｃに示されたように)ＳＣＳ_ｄａｔａ＝(１／２)ｘＳＣＳ_ＳＳ ＳＳの場合に、スロット内には最大４個のＤＬ ＳＳブロックがある。
【０１５８】
(１７４４ｃに示されたように)ＳＣＳ_ｄａｔａ＝(１／４)ｘＳＣＳ_ＳＳ ＳＳの場合に、スロット内には最大８個のＤＬ ＳＳブロックがある。すべての場合に、ＤＬ ＳＳブロックは始めでの可能な１乃至２個のＰＤＣＣＨシンボル及び１２−シンボルスロットの終りでの可能な１乃至２個のＰＵＣＣＨシンボルと重ならない。送信されるＮＲ−ＳＳブロックが４個未満の場合には、それぞれの１２−シンボルスロットでのＰＤＣＣＨ／ＰＵＣＣＨを用いて残りのリソースを設定するのに柔軟性がある。
【０１５９】
ＳＣＳ_ＳＳ＝(ｋ)ｘＳＣＳ_ｄａｔａ、すなわち、ｋ＝(１／４)，(１／２)，１，２，４であるＳＣＳ_ｄａｔａ＝(１／ｋ)ＳＣＳ_ＳＳであればスロットに最大２ｋ個のＮＲ−ＳＳブロックがある場合までより拡張されることができ、ここでスロットは正常ＣＰを有した１４個のシンボルと拡張されたＣＰを有する１２個のシンボルを有する。ｋ＝(１／２)，１，２，４であれば、(２ｋ)個のＮＲ−ＳＳブロックは連続的なシンボルであり、スロットの中間にマッピングされ、例えば、第０乃至(ｋ−１)ＮＲ−ＳＳブロックはハーフスロット境界の左側に位置され、第のｋ乃至(２ｋ)ＮＲ−ＳＳブロックはハーフスロット境界の右側に位置される。
【０１６０】
これはスロットの始めでの１乃至２個のＮＲ−ＰＤＣＣＨシンボル及びスロットの終りでの１乃至２個のＮＲ−ＰＵＣＣＨ シンボルとの重ねを避けることができる。ｋ＝(１／４)であれば、１個のＮＲ−ＳＳブロックは２個のデータスロットの対にかけてマッピングされ、例えば、ＮＲ−ＳＳブロックの第１ハーフは左側スロットに位置され、ＮＲ−ＳＳブロックの第２ハーフは右側スロットに位置される。これは２個のスロット対の始めでの１乃至２個のＮＲ−ＰＤＣＣＨシンボル及び終りでの１乃至２個のＮＲ−ＰＵＣＣＨシンボルとの重ねを避けることができる。サブフレームでＳＳブロックの固定／予め定義された位置／パターンに対するブラインド検出とスロット境界にかけたＳＳブロックがない。これはＵＥがＰＤＣＣＨ／ＰＵＣＣＨを判読するように許容することによって残りのリソースの柔軟な設定を許容する。
【０１６１】
図１７ｄａ及び図１７ｄｂは、本開示の実施形態によるまた他の例示的なＳＳブロック位置１７６０を示す。図１７ｄａ 及び図１７ｄｂに示されたＳＳブロック位置１７６０の実施形態はただ例示のためのことである。図１７ｄａ 及び図１７ｄｂは本開示の範囲を任意の特定具現で制限しない。
【０１６２】
ＳＣＳ_ｄａｔａとＳＣＳ_ＳＳの関係、例えば、(ｋ＝１／４)，(１／２)，１，２，４であるＳＣＳ_ＳＳ＝ｋ＊ＳＣＳ_ｄａｔａの５つの場合は検出されたＳＳブロック、例えば、ＮＲ−ＰＢＣＨで又はＮＲ−ＰＢＣＨペイロードのＣＲＣを用いるかＮＲ−ＰＢＣＨを復調するためにＮＲ−ＰＳＳ／ＳＳＳシーケンス又は付加的なＤＭＲＳを用いて明示的／暗示的に示されるか部分的に示されることができる。例えば、＜６ＧＨｚの場合、ＳＣＳ_ｄａｔａ＝１５／３０／６０ｋＨｚ、すなわち、ｋ＝１，(１／２)，(１／４)であるＳＣＳ_ＳＳ＝１５ｋＨｚの場合は図１７ｄａの１７６１ｄに示されたように、ＳＣＳ_ｄａｔａ＝１５／３０／６０ｋＨｚ、すなわち、ｋ＝(１／２)，１，２であるＳＣＳ_ＳＳ＝３０ｋＨｚの場合は図１７ｄａの１７６２ｄに示された通りである。
【０１６３】
例えば、＞６ＧＨｚの場合、ＳＣＳ_ｄａｔａ＝６０／１２０／２４０ｋＨｚ、すなわち、ｋ＝２，１，(１／２)であるＳＣＳ_ＳＳ＝１２０ｋＨｚの場合は図１７ｄａの１７６１ｄに示されたように、ＳＣＳ_ｄａｔａ＝６０／１２０／２４０ｋＨｚ、すなわち、ｋ＝４，２，１であるＳＣＳ_ＳＳ＝２４０ｋＨｚの場合は図１７ｄａの１７６２ｄに示された通りである。それぞれのタイプのＳＣＳ_ＳＳに対して２ビットインディケーション(ｉｎｄｉｃａｔｉｏｎ)だけが必要である。
【０１６４】
１ｍｓのサブフレームは(２ｎ／ｋ)時間セグメント及び (ｋ／２ｎ)ｘ１ｍｓの時間セグメント当り最大２(ｋ)個のＮＲ−ＳＳブロックで分散するＳＣＳ_ＳＳ＝(２ｎ)ｘ１５ｋＨｚを有する最大(２ｎ＋１)個のＮＲ−ＳＳブロックを含み、ここで、ｎは(２ｎ)＝１，２，４，８，１６，３２となるようにｎ＝０、１，２，３，４，５のような整数で、ｋは(１／４)，１／２，１，２又は４であれば良い。一つの時間セグメントはＮＲ−ＳＳブロックのクラスタに対する持続期間として定義されたりＮＲ−ＳＳスロット(又はＤＬ ＳＳスロット又はＤＬ ＮＲ−ＳＳスロット)として見なされる。したがって、１ｍｓ内に(２ｎ／ｋ)個のＮＲ−ＳＳクラスタが存在し、それぞれのＮＲ−ＳＳクラスタは時間セグメントの中間又はＮＲ−ＳＳスロットに位置されるＳＣＳ_ＳＳ＝(２ｎ)*１５ｋＨｚを用いて(２ｋ)個の連続的なＮＲ−ＳＳブロックを有する。１ｍｓ内のＮＲ−ＳＳスロットの数はパラメーター(ｋ)及びＳＣＳ_ＳＳに依存する。ＮＲ−ＳＳバーストパターン及びＮＲ−ＳＳバースト内のＮＲ−ＳＳスロットパターン及びＮＲ−ＳＳスロット内のＮＲ−ＳＳブロックパターンは(ｋ)及びＳＣＳ_ＳＳに対する知識を要する。
【０１６５】
ＮＲ−ＳＳブロックの実際数がＳＣＳ_ＳＳ＝(２ｎ)*１５ｋＨｚに対してＸと仮定すると、Ｘ≦＝２ｎ＋１であれば、ＮＲ−ＳＳブロックはＮＲ−ＳＳバーストセット周期内の第０サブフレームのように予め定義された１ｍｓ−サブフレームで送信され、(２ｎ＋１)＜Ｘ＝＜２*(２ｎ＋１)であれば、第０サブフレームを第０ＮＲ−ＳＳバーストとして、第５サブフレームを１０ｍｓのＮＲ−ＳＳバーストセット周期内の第１ＮＲ−ＳＳバーストとして、又は２０ｍｓのＮＲ−ＳＳバーストセット周期内の１０ｍｓ−フレーム当り第０サブフレームとしてのように２個の予め定義された１ｍｓサブフレームで送信される。 ｘ＝{０,．．．Ｘ−１}はＮＲ−ＳＳブロックのインデックスで、ＸはＮＲ−ＳＳブロックの予め定義された最大数Ｌより小さい。例えば、ｉ＝{０，１，．．．(２ｎ／ｋ)−１}である(ｉ) * (２ｋ)＜＝ｘ＜＝(ｉ＋１) * (２ｋ)であれば、ＮＲ−ＳＳブロックは第０ＮＲ−ＳＳバースト内の第ｉ ＮＲ−ＳＳ スロットで送信され；ｉ＝{０，１，．．．(２ｎ／ｋ)−１}である(２ｎ＋１)＋(ｉ) *(２ｋ)＜＝ｘ＜＝(２ｎ＋１)＋(ｉ＋１)* (２ｋ)であれば、ＮＲ−ＳＳブロックは第１ＮＲ−ＳＳ バースト内の第ｉ ＮＲ−ＳＳスロットで送信される。
【０１６６】
ＳＣＳ_ｄａｔａ及びＳＣＳ_ＳＳの関係をＳＣＳ_ＳＳ＝ｋ*ＳＣＳ_ｄａｔａとして分かって、ＮＲ ＳＳブロックの相応する予め定義されたマッピングパターン及びＣＰタイプ、例えば、正常ＣＰ又は拡張されたＣＰに対する１−ビットが分かっていることによって、スロット境界及びシンボル境界はＵＥ側で計算されることができる。一つのＳＳブロックは固定された数のシンボルを有する。一例で、数は４であれば良い。他の例で、数は３又は５であれば良い。
【０１６７】
データのＳＣＳだけでなくＮＲ−ＳＳブロックの可能なＳＣＳは表３に示す。１ｍｓのサブフレーム内で相違するデータのＳＣＳ及びＮＲ−ＳＳブロックを有するスロットの数は表４に与えられ、ここでそれぞれのスロットは正常ＣＰを有する１４個のシンボル及び拡張されたＣＰを有する１２個のシンボルを有する。
【０１６８】
【表３】
2020508614.tif 000022
【０１６９】
【表４】
2020508614.tif 000023
【０１７０】
図１７ｅａ及び図１７ｅｂは本開示の実施形態によるまた他の例示的なＳＳブロック位置１７８０を示す。図１７ｅａ及び図１７ｅｂに示されたＳＳブロック位置１７８０実施形態はただ例示のためのことである。図１７ｅａ及び図１７ｅｂは本開示の範囲を任意の特定具現で制限しない。
【０１７１】
一実施形態で、図１７ｅａ及び図１７ｅｂで定義された一つのパターンは予め定義された時間セグメント持続期間又は予め定義されたＮＲ−ＳＳスロット持続期間でＳＣＳ_ＳＳのタイプのために用いられる。したがって、パターンはＳＣＳ_ＳＳにだけ依存し、どんな種類のＳＣＳ_ｄａｔａが制御及びデータ領域で用いても固定される。ＮＲ−ＳＳスロットとして定義されたそれぞれの時間セグメントが予め定義されたＮＲ−ＳＳスロット持続期間での中間にマッピングされた最大(２ｋ')連続ＮＲ−ＳＳブロックを有するｑ個の時間セグメントがある。
【０１７２】
図１７ｆは、本開示の実施形態によるまた他の例示的なＳＳブロック位置１７８５を示す。図１７ｆに示されたＳＳブロック位置１７８５の実施形態はただ例示のためのことである。図１７ｆは本開示の範囲を任意の特定具現で制限しない。
【０１７３】
図１７ｅａ、図１７ｅｂ 及び図１７ｆで、ＮＲ−ＳＳスロットは(１／ｑ)ｘ１ｍｓの時間セグメントである。データ／制御シンボルがＳＣＳ_ｄａｔａ＝(ｑ)ｘ１５ｋＨｚを用いる場合、定義された時間セグメント又はＮＲ−ＳＳ スロットは正常ＣＰを有する１４個のシンボル及び拡張されたＣＰを有する１２個のシンボルを有する。 ｑ＝２ｎ−ｎ'である(１／ｑ)×１ｍｓの持続期間を有するこのようなスロットで、第０乃至第(２ｎ'−１)ＮＲ−ＳＳブロックはハーフＮＲ−ＳＳスロット境界の左側に位置され、第２ｎ' 乃至第(２ｎ'＋１)ＮＲ−ＳＳブロックはハーフＮＲ−ＳＳスロット境界の右側に位置される。ＮＲ−ＳＳスロットの始めでの１乃至２個のＮＲ−ＰＤＣＣＨシンボル及びＮＲ−ＳＳスロットの終りでの１乃至２個のＮＲ−ＰＵＣＣＨシンボルとの重ねを避けることによって、ＳＳブロックの固定された／予め定義された位置／パターンのブラインド検出がない。これはＵＥが(１／ｑ)×１ｍｓの予め定められた持続期間内でＰＤＣＣＨ／ＰＵＣＣＨを判読することができるようにすることでＮＲ−ＳＳスロット内の残りのリソースの柔軟な設定を許容する。
【０１７４】
１ｍｓのサブフレームはｑ時間セグメント及び(１／ｑ)ｘ１ｍｓの時間セグメント当り最大(２ｎ’)個のＮＲ−ＳＳブロックで分散される最大(２ｎ＋１)個のＮＲ−ＳＳブロックを含み、ここでｎは(２ｎ)＝１，２，４，８，１６，３２となるようにｎ＝０，１，２，３，４，５のような整数であり、ｎ’は(２ｎ')＝１,２,４,８,１６であるがｎ＞＝ｎ'であり ｑ＝２ｎ−ｎ'＞＝１となるようにｎ’＝０，１，２，３，４のような整数である。一つの時間セグメントはＮＲ−ＳＳブロックのクラスタに対する時間持続期間として定義されたりＮＲ−ＳＳスロット(又はＤＬ ＳＳスロット又はＤＬ ＮＲ−ＳＳスロット)として見なされる。
【０１７５】
したがって、１ｍｓ内にｑ＝２ｎ−ｎ'個のＮＲ−ＳＳスロットが存在し、それぞれのＮＲ−ＳＳスロットは時間セグメント又はＮＲ−ＳＳスロットの中間に位置されるＳＣＳ_ＳＳ＝(２ｎ)ｘ１５ｋＨｚを用いる(２ｎ’＋１)個の連続的なＮＲ−ＳＳブロックのクラスタを有する。１ｍｓ内のＮＲ−ＳＳスロットの数はＳＣＳ_ＳＳに依存する。ＮＲ−ＳＳバーストパターンだけでなくＮＲ−ＳＳバースト内のＮＲ−ＳＳスロットパターン及びＮＲ−ＳＳスロット内のＮＲ−ＳＳブロックパターンを識別するためにブラインド検出が必要ではない。
【０１７６】
ＮＲ−ＳＳブロックの実際数がＳＣＳ_ＳＳ＝(２ｎ)ｘ１５ｋＨｚに対してＸと仮定すると、Ｘ≦＝(２ｎ＋１)であれば、ＮＲ−ＳＳブロックはＮＲ−ＳＳバーストセット周期内の第０サブフレームのように予め定義された１ｍｓ−サブフレームで送信され；(２ｎ＋１)＜Ｘ＝＜２ｘ(２ｎ＋１)であれば、ＮＲ−ＳＳブロックは第０サブフレームを第０ＮＲ−ＳＳバーストとして、第５サブフレームを１０ｍｓのＮＲ−ＳＳバーストセット周期内の第１ＮＲ−ＳＳバーストとして、又は２０ｍｓのＮＲ−ＳＳバーストセット周期内の１０ｍｓ−フレーム当り第０サブフレームとしてのようにＮＲ−ＳＳバースト当り１ｍｓ−サブフレームで２個の予め定義されたＮＲ−ＳＳバーストで送信される。
【０１７７】
ｘ＝{０,．．．Ｘ−１}はＮＲ−ＳＳブロックのインデックスで、ＸはＮＲ−ＳＳブロックの予め定義された最大数Ｌより小さい。例えば、ｉ＝{０，１，．．．ｑ−１}である(ｉ)＊(２ｎ＋１)／ｑ＜＝ｘ＜＝(ｉ＋１) ＊(２ｎ＋１)／ｑ)であれば、ＮＲ−ＳＳブロックは第０ＮＲ−ＳＳバースト内の第ｉ ＮＲ−ＳＳスロットで送信され、ｉ＝{０，１，．．．ｑ−１}である(２ｎ＋１)＋(ｉ) ＊ (２ｎ＋１)／ｑ＜＝ｘ＜＝(２ｎ＋１)＋(ｉ＋１) ＊ (２ｎ＋１)／ｑであれば、ＮＲ−ＳＳブロックは第１ＮＲ−ＳＳ バースト内の第ｉ ＮＲ−ＳＳスロットで送信される。
【０１７８】
ＳＣＳ_ＳＳ＝(２ｎ)ｘ１５ｋＨｚ＝(２ｎ')ｘ(ｑ)ｘ１５ｋＨｚとして定義されるＮＲ−ＳＳブロックのサブキャリア間隔は搬送波周波数帯域に依存する。例えば、搬送波周波数ｆｃ＜６ＧＨｚに対し、例えば、ｆｃ＝２又は４ＧＨｚで用いられるＳＣＳ_ＳＳ＝１５ｋＨｚの場合、すなわち、(２ｎ')＝１及びｑ＝１は図１３ｅの１７８１ｅに示された通りであり、例えば、ｆｃ＝２又は４ＧＨｚで用いられるＳＣＳ_ＳＳ＝３０ｋＨｚの場合、すなわち、(２ｎ')＝２及びｑ＝１は図１７ｅの１７８２ｅに示された通りである。ＮＲバースト内にはｑ＝１ＮＲ−ＳＳスロットが存在し、それぞれのＮＲ−ＳＳスロットはＳＣＳ_ＳＳ＝１５ｋＨｚの場合に２個のＮＲ−ＳＳブロックのクラスタを有するかＳＣＳ_ＳＳ＝３０ｋＨｚの場合には４個のＮＲ−ＳＳブロックのクラスタを有する。ＮＲ−ＳＳパターンは予め定義された１ｍｓの持続期間で固定され、６ＧＨｚ以下(ｓｕｂ６ＧＨｚ)で用いられるＳＣＳ_ｄａｔａ＝１５／３０／６０ｋＨｚに対しては変更されない。
【０１７９】
例えば、搬送波周波数ｆｃ＞６ＧＨｚに対し、例えば、ｆｃ＝３０ＧＨｚ、すなわち、(２ｎ')＝２及びｑ＝４で用いられると、ＳＣＳ_ＳＳ＝１２０ｋＨｚの場合は図１７ｅｂの１７８３ｅに示された通り、例えば、ｆｃ＝３０ＧＨｚ、すなわち、(２ｎ')＝４、ｑ＝４で用いられると、ＳＣＳ_ＳＳ＝２４０ｋＨｚの場合は図１７ｅｂの１７８４ｅに示された通りである。ＮＲバースト内にはｑ＝４個のＮＲ−ＳＳスロットが存在し、それぞれのＮＲ−ＳＳスロットはＳＣＳ_ＳＳ＝１２０ｋＨｚの場合に４個のＮＲ−ＳＳブロックのクラスタを有するかＳＣＳ_ＳＳ＝２４０ｋＨｚの場合には８個のＮＲ−ＳＳブロックのクラスタを有する。ＮＲ−ＳＳパターンは予め定義された(１／ｑ)＊１ｍｓ＝０．２５ｍｓの持続期間で固定され、６ＧＨｚ以下で用いられるＳＣＳ_ｄａｔａ＝６０／１２０／２４０ｋＨｚに対しては変更されない。
【０１８０】
他の例として、搬送波周波数ｆｃ＞６ＧＨｚに対し、例えば、ｆｃ＝３０ＧＨｚ、すなわち、(２ｎ')＝１及びｑ＝８で用いられると、ＳＣＳ_ＳＳ＝１２０ｋＨｚの場合は図１７ｆの１７８６ｅに示された通り、例えば、ｆｃ＝３０ＧＨｚ、すなわち、(２ｎ')＝２、ｑ＝８で用いられると、ＳＣＳ_ＳＳ＝２４０ｋＨｚの場合は図１７ｆの１７８７ｅに示された通りである。ＮＲバースト内にはｑ＝８個のＮＲ−ＳＳスロットが存在し、それぞれのＮＲ−ＳＳスロットはＳＣＳ_ＳＳ＝１２０ｋＨｚの場合に２個のＮＲ−ＳＳブロックのクラスタを有するかＳＣＳ_ＳＳ＝２４０ｋＨｚの場合には４個のＮＲ−ＳＳブロックのクラスタを有する。ＮＲ−ＳＳパターンは予め定義された(１／ｑ) ＊１ｍｓ＝０．１２５ｍｓの持続期間で固定され、６ＧＨｚ以下で用いられるＳＣＳ_ｄａｔａ＝１２０／２４０／４８０ｋＨｚに対しては変更されない。
【０１８１】
それぞれの周波数帯域に対し、ＵＥは相違するＳＣＳ_ＳＳを用いてＮＲ−ＳＳブロックを検出する。それぞれのＳＣＳ_ＳＳに相応し、ＵＥは(１／ｑ)ｘ１ｍｓのセグメント境界を識別するために予め定義された時間持続期間でＮＲ ＳＳブロックの予め定義されたマッピングパターンを用いる。
【０１８２】
ＳＣＳ_ｄａｔａ(又はＳＣＳ_ＳＳ＝ｋ*ＳＣＳ_ｄａｔａの関係)とＣＰのような制御／データのスロット／シンボルヌメロロジー情報は少なくとも残りの最小システム情報を検出するためにＵＥがスロット境界及びシンボル境界を検出するようにするのに必要である。このようなスロット／シンボルヌメロロジー情報はＮＲ−ＰＢＣＨ 周期内で共通情報としてＮＲ−ＰＢＣＨ内に明示的に示されるか部分的に示されることができる。又はこれはＣＲＣの相違するリダンダンシーバージョン(ｒｅｄｕｎｄａｎｃｙ ｖｅｒｓｉｏｎ)(ＲＢ)で示されることができ、これはＮＲ−ＰＢＣＨ周期内で可変的であれば良い。スロット／シンボルヌメロロジー情報を指示するための他の方法は相違するルート(ｒｏｏｔ)(例えば、コンジュゲイトルート(ｃｏｎｊｕｇａｔｅ ｒｏｏｔ))を有するＮＲ−ＰＳＳシーケンス又は相違する循環シフトを有するＮＲ−ＳＳＳシーケンス、又はＮＲ−ＳＳＳシーケンス又はＮＲ−ＤＭＲＳシーケンスの仮説を含むか、ＤＭＲＳ サブキャリアの相違する周波数オフセットを有する ＮＲ−ＰＢＣＨシンボル内のＮＲ−ＤＭＳＲ ＩＦＤＭ パターンを含む。
【０１８３】
１ｍｓを有した１個のサブフレームでのＮＲ−ＳＳブロックの最大数、例えば、サブフレーム＃０での一つのＮＲ ＳＳバーストはＳＣＳ_ＳＳ＝(２ｎ)*１５ｋＨｚの場合にＬ＝(２ｎ＋１)として計算される。２ｍｓを有した２個のサブフレームでのＮＲ−ＳＳブロックの最大数、例えば、サブフレーム＃０及びサブフレーム＃５での２個のＮＲ ＳＳバーストはＳＣＳ_ＳＳ＝(２ｎ)*１５ｋＨｚの場合にＬ＝(２ｎ＋２)である。１ｍｓのサブフレーム内のＮＲ−ＳＳブロックのクラスタはＮＲバーストとして見なされることができる。表４はＳＳブロックの最大数を示す。
【０１８４】
【表５】
2020508614.tif 000024
【０１８５】
ＮＲ−ＳＳブロックの実際数及び／又はＮＲ−ＳＳバーストセット当りＮＲ−ＳＳバーストの数はｇＮＢ／ＴＲＰによって設定されることができる。ＮＲ−ＳＳブロックの実際数及び／又はＮＲ−ＳＳバーストセット当りＮＲ−ＳＳ バーストの数はＰＢＣＨによって示されることができる。ユーザはＰＢＣＨを検出してＳＳブロックの実際数が分かっている。検出されたＮＲ−ＳＳブロックインデックスと予め定義されたＮＲ−ＳＳマッピングパターンに対する知識を用い、ユーザはフレーム境界、サブフレームインデックス／境界、スロットインデックス／境界、シンボルインデックス／境界を識別することができる。ＮＲ−ＳＳブロックの実際数はユーザが残りのスロット／シンボルを用いてＤＬ ＮＲ−ＳＳブロックを含むＤＬサブフレームの制御／データ信号を検出することを助ける。
【０１８６】
Ｘ＜＝Ｌである実際Ｘ個のＮＲ−ＳＳブロックのマッピング位置に係って、これはＬ個のＮＲ−ＳＳブロックの場合に対して予め定義されたパターンのＮＲ−ＳＳブロックの第１Ｘ位置を用いることができ、ＮＲ−ＳＳブロックの残りの(Ｌ−Ｘ)位置はデータ送信のために解除される。
【０１８７】
例えば、ＮＲ ＳＳブロック送信のために予め定義された時間セグメント又はサブフレーム内のスロット内に均等に分散したＸ個のＮＲ−ＳＳブロックを有するＮＲ−ＳＳブロックの調整されたＸ位置が用いられる。このような例で、ＮＲ−ＳＳブロックに対して予め定義されたそれぞれの時間セグメント及びそれぞれのサブフレームでのＮＲ−ＳＳブロックの開始位置は固定されるが、それぞれの時間セグメント又はサブフレームでのＮＲ−ＳＳブロックの数は実際Ｘ個のＮＲ−ＳＳブロックに基礎して調整される。
【０１８８】
図１８ａ 及び図１８ｂは、本開示の実施形態によってＮＲ−ＰＢＣＨ１８００を復調するために用いられる例示的なＲＳを示す。図１８ａ 及び図１８ｂに示されたＮＲ−ＰＢＣＨ１８００を復調するために用いられるＲＳの実施形態はただ例示のためのことである。図１８ａ及び図１８ｂは本開示の範囲を任意の特定具現で制限しない。
【０１８９】
ＮＲ−ＰＢＣＨを復調するために用いられるＲＳは図１８に示されたようにＮＲ−ＳＳＳ及び／又は付加的なＮＲ−ＤＭＲＳを含むことができる。ＮＲ−ＤＭＲＳは１８０１ａ及び１８０１ｂに示されたようにＮＲ−ＰＢＣＨシンボル後にＴＤＭ(ｔｉｍｅ−ｄｏｍａｉｎ ｍｕｌｔｉｐｌｅｘｅｄ)になることができるか、１８０２ａ及び１８０２ｂに示されたようにＮＲ−ＮＲ−ＰＢＣＨシンボル内でＩＦＤＭ(ｉｎｔｅｒｌｅａｖｅｄ ｆｒｅｑｕｅｎｃｙ−ｄｏｍａｉｎ ｍｕｌｔｉｐｌｅｘｅｄ)されることができる。ここで、ＮＲ−ＰＳＳ／ＳＳＳ、ＮＲ−ＰＢＣＨ及びＮＲ−ＤＭＲＳは同一なＳＣＳを有するが、ＮＲ−ＰＳＳ、ＳＳＳ、ＮＲ−ＰＢＣＨ、ＮＲ−ＤＭＲＳに対するＲＥの数は相違することができる。
【０１９０】
図１８ａの１８０１ａに示されたような一実施形態で、ＮＲ−ＰＢＣＨ ＲＥの数はＮＲ−ＤＭＲＳ ＲＥと同一である。長いシーケンス(ｌｏｎｇ ｓｅｑｕｅｎｃｅ)はＮＲ−ＰＢＣＨと同一なアンテナポートを有するＮＲ−ＤＭＲＳに用いられることができる。例えば、ＮＲ−ＰＢＣＨシンボル内に ２８８個のＲＥがあれば、２５５−長さシーケンス、例えば、Ｚａｄｏｆｆ−Ｃｈｕシーケンス又はｍ−シーケンスはＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。１０ｍｓのＤＬ ＳＳバーストセット周期に対する表２Ａ−１を参照すれば、ＳＣＳ＝３０ｋＨｚ＝２ｘ１５ｋＨｚで、４個の直交又は低相関シーケンスが最大４個のＳＳブロックを識別するのに用いられ；ＳＣＳ＝１２０ｋＨｚ＝８ｘ１５ｋＨｚであり、１６個の直交シーケンスが最大１６個のＳＳブロックを識別するのに用いられるか８個の直交又は低相関シーケンスが最大８個のＳＳスロットを識別するのに用いられる。
【０１９１】
一実施形態で、図１８ａの１８０１ｂに示されたように、ＮＲ−ＰＢＣＨ ＲＥの数はＮＲ−ＤＭＲＳ ＲＥの２倍である。ＮＲ−ＰＢＣＨと同一なアンテナポートを有するＮＲ−ＤＭＲＳに対して短いシーケンスが用いられることができる。例えば、ＮＲ−ＰＢＣＨシンボル内に２８８個のＲＥがあれば、２個のサブキャリアごとにマッピングする１２７−長さシーケンス、例えば、Ｚａｄｏｆｆ−Ｃｈｕシーケンス又はｍ−シーケンスはＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。
【０１９２】
一実施形態で、図１８ａの１８０２ａに示されたように、ＮＲ−ＤＭＲＳ ＲＥはＩＦＤＭ(ｉｎｔｅｒｌｅａｖｅｄ ｆｒｅｑｕｅｎｃｙ−ｄｏｍａｉｎ ｍｕｌｔｉｐｌｅｘｅｄ)パターンを有するＮＲ−ＰＢＣＨシンボルに挿入される。例えば、２５５個のＲＥ(保護帯域を除き)を有るＮＲ−ＰＢＣＨシンボル当り１／６ＲＥがＮＲ−ＤＭＲＳ ＲＥとして用いられると仮定すると、２個のＮＲ−ＰＢＣＨシンボル内に８５個のＲＥがある。ＮＲ−ＰＢＣＨと同一なアンテナポートを有するＮＲ−ＤＭＲＳに対して短いシーケンスが用いられることができる。例えば、２個のサブキャリアごとにマッピングするＬＤＭＲＳ−長さシーケンス、例えば、Ｚａｄｏｆｆ−Ｃｈｕシーケンス(ＬＤＭＲＳ＝８５又は８３又は６３又はｍ−シーケンス(ＬＤＭＲＳ＝６３を有する単一シーケンス又は長さが３１であるインターリビングされた２個のｍ−シーケンス)はＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。
【０１９３】
一実施形態で、図１８ａの１８０２ｂに示されたように、ＮＲ−ＤＭＲＳ ＲＥは隣接したＮＲ−ＰＢＣＨシンボルで同一なサブキャリア位置を有するＮＲ−ＰＢＣＨシンボルに挿入される。２５５個のＲＥ(保護帯域を除き)を有するＮＲ−ＰＢＣＨシンボル当り１／６ ＲＥがＮＲ−ＤＭＲＳ ＲＥとして用いられると仮定すると、２個のＮＲ−ＰＢＣＨシンボル内に８５個のＲＥがある。ＮＲ−ＰＢＣＨと同一なアンテナポートを有するＮＲ−ＤＭＲＳに対して短いシーケンスが用いられることができる。例えば、６個のサブキャリアごとに一つのサブキャリア上にマッピングするＬＤＭＲＳ−長さシーケンス、例えば、Ｚａｄｏｆｆ−Ｃｈｕシーケンス(ＬＤＭＲＳ＝８３又は６３又はｍ−シーケンス(ＬＤＭＲＳ＝６３を有する単一シーケンス又は長さが３１であるインターリビングされた２個のｍ−シーケンス)はＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。
【０１９４】
他の例として、２個のサブキャリアごとにマッピングするＬＤＭＲＳ−長さシーケンス及び２個のシンボル内のシーケンスは同一で(実際で、ＮＲ−ＰＢＣＨとＮＲ−ＤＭＲＳをいずれも含む２個のシンボルは同一)、例えば、Ｚａｄｏｆｆ−Ｃｈｕシーケンス(ＬＤＭＲＳ＝４３又は４１又は３１又はｍ−シーケンス(ＬＤＭＲＳ＝３１を有する単一シーケンス又は長さが１５であるインターリビングされた２個のｍ−シーケンス)はＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。
【０１９５】
一実施形態で、図１８ｂの１８０３ａに示されたように、ＮＲ−ＳＳブロックには３個のシンボルがある。ＮＲ−ＤＲＭＳ ＲＥを挿入したＮＲ−ＰＢＣＨシンボルはＮＲ−ＰＳＳ／ＳＳＳより広い帯域幅を有する。より広い帯域幅は情報伝達のために周波数ドメインでより多くのＲＥを提供する。挿入されたＮＲ−ＤＭＲＳは広いＢＷを介してＣＳＩ推定値(ＣＳＩ ｅｓｔｉｍａｔｉｏｎ)を達成するために用いられる。例えば、ＮＲ−ＤＭＲＳオーバーヘッドがＮＲ−ＰＢＣＨシンボル内で１／３ＲＥであれば、ＢＷはＮＲ−ＤＭＲＳがない場合に類似のＮＲ−ＰＢＣＨ コーディングレートを維持するために同期ＢＷの１．５倍まで拡張されることができる。ＮＲ−ＤＭＲＳオーバーヘッドがＮＲ−ＰＢＣＨシンボル内の１／２ ＲＥであれば、ＢＷは同期ＢＷの２倍まで拡張されることができる。
【０１９６】
一実施形態で、図１８ｂの１８０３ｃに示されたように、ＮＲ−ＳＳブロックには３個のシンボルがある。ＮＲ−ＤＲＭＳ ＲＥを挿入したＮＲ−ＰＢＣＨシンボルはＮＲ−ＰＳＳ／ＳＳＳと同一な帯域幅を有する。２つのシンボルＮＲ−ＰＢＣＨと比べ、情報伝達のために少ない数のＲＥが利用可能である。ＮＲ−ＳＳＳと共に挿入されたＮＲ−ＤＭＲＳは同期 ＢＷを介して改善したＣＳＩ推定値を達成するために用いられることができる。
【０１９７】
図１９ａ、図１９ｂ 及び図１９ｃは本開示の実施形態による例示的なＴＤＭ ＰＳＳ／ＳＳＳ／ＰＢＣＨシンボル１９００を示す。図１９ａ、図１９ｂ 及び図１９ｃに示されたＴＤＭ ＰＳＳ／ＳＳＳ／ＰＢＣＨシンボル１９００の実施形態はただ例示のためのことである。図１９ａ、図１９ｂ及び図１９ｃは本開示の範囲を任意の特定具現で制限しない。
【０１９８】
図２０ａ、図２０ｂ及び図２０ｃは本開示の実施形態による他の例示的なＴＤＭ ＰＳＳ／ＳＳＳ／ＰＢＣＨシンボル２０００を示す。図２０ａ、図２０ｂ及び図２０ｃに示されたＴＤＭ ＰＳＳ／ＳＳＳ／ＰＢＣＨシンボル２０００)の実施形態はただ例示のためのことである。図２０ａ、図２０ｂ及び図２０ｃは本開示の範囲を任意の特定具現で制限しない。
【０１９９】
ＰＳＳ／ＳＳＳ／ＰＢＣＨシンボルだけではなくＩＦＤＭ ＰＢＣＨ／ＤＭＲＳの多様な位置を有するより多い実施形態が図１９ａ、図１９ｂ、図１９ｃ、図２０ａ、図２０ｂ及び図２０ｃに示される。
【０２００】
図１９ａ、図１９ｂ及び図１９ｃはＴＤＭ ＰＳＳ／ＳＳＳ／ＰＢＣＨシンボルの実施形態を示し、ここでＤＭＲＳ ＲＥはＩＦＤＭを用いることでＰＢＣＨシンボルに挿入される。ＮＲ−ＳＳＳはＤＭＲＳシーケンスのコヒーレント検出(ｃｏｈｅｒｅｎｔ ｄｅｔｅｃｔｉｏｎ)に用いられることができる。ＮＲ−ＰＢＣＨ 復調はＤＭＲＳと共にＮＲ−ＳＳＳによって獲得されたＣＳＩに基づく。ＮＲ−ＳＳＳ及びＮＲ−ＰＢＣＨの相手位置は特にモバイルユーザ端末機(ｍｏｂｉｌｅ ｕｓｅｒ ｔｅｒｍｉｎａｌ)に対するチャンネル推定正確度に相違する影響を及ぼすことができる。
【０２０１】
図１９ａ、図１９ｂ及び図１９ｃに示されたように、図１９ａの１９０１ａ／ｂ／ｃで、ＤＭＲＳ ＲＥは一つ以上のＰＢＣＨシンボルで同一なサブキャリア位置を用いる。図１９ｂの１９０２ａ／ｂ／ｃで、ＤＭＲＳ ＲＥは２個のＰＢＣＨシンボルでシフトされたサブキャリア位置を用いる。ＤＭＲＳ ＲＥは２個のＰＢＣＨシンボル内でシフトされ、これはＣＳＩ補間／平滑化(ｉｎｔｅｒｐｏｌａｔｉｏｎ／ｓｍｏｏｔｈｉｎｇ)のために共同で用いられることができる。例えば、１／６ＤＭＲＳオーバーヘッドを仮定すると、ＤＭＲＳ ＲＥは６個のサブキャリアごとにマッピングされ、第２ＰＢＣＨシンボルのＤＭＲＳ ＲＥは第１ ＰＢＣＨシンボルのＤＭＲＳ ＲＥに対して３個のサブキャリアほどシフトされる。同一なＰＢＣＨビットは２個のＰＢＣＨシンボル内の残りＲＥ上にマッピングされることができる。２個のＰＢＣＨシンボルの同一なＲＥ間の時間−ドメイン位相比較はＰＢＣＨデコーディング前にＣＦＯ推定のために用いられることができる。
【０２０２】
図１９ａの１９０１ａ／ｂ／ｃ及び図１９ｂの１９０２ａ／ｂ／ｃに対し、一つのＰＢＣＨシンボル内の同一な短いＤＭＲＳシーケンス及び多数のＰＢＣＨシンボルにかけた長いＤＭＲＳシーケンスはいずれも考慮されることができる。一つの下位実施形態はそれぞれのＰＢＣＨシンボルで同一な短いＤＭＲＳシーケンスを用い、ＤＭＲＳ長さはそれぞれのＰＢＣＨシンボルでＤＭＲＳ ＲＥに依存する。例えば、１／６ＤＭＲＳオーバーヘッドを仮定すると、２５５個のＲＥを有した一つのＰＢＣＨシンボルには４２個のＤＭＲＳ ＲＥがある。６個のサブキャリアごとに一つのサブキャリア上にマッピングするＬＤＭＲＳ−長さシーケンス、例えば、Ｚａｄｏｆｆ−Ｃｈｕシーケンス(ＬＤＭＲＳ＝３１、３７又は４１)又はｍ−シーケンス(ＬＤＭＲＳ＝３１を有する単一シーケンス)はＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。
【０２０３】
一実施形態で、２個のＰＢＣＨシンボルのＤＭＲＳ ＲＥにマッピングする長いＤＭＲＳシーケンス及びＤＭＲＳシーケンス長さは２個のＰＢＣＨシンボルの全体ＤＭＲＳ ＲＥに依存する。例えば、１／４ＤＭＲＳオーバーヘッドを仮定すると、２５５個のＲＥを有した一つのＰＢＣＨシンボルには６３個のＤＭＲＳ ＲＥがある。４個のサブキャリアごとに一つのサブキャリア上にマッピングするＬＤＭＲＳ−長さシーケンス、例えば、Ｚａｄｏｆｆ−Ｃｈｕシーケンス(ＬＤＭＲＳ＝６１又はｍ−シーケンス(ＬＤＭＲＳ＝６３を有する単一シーケンス又は長さが３１であるインターリビングされた２個のｍ−シーケンス)はＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。
【０２０４】
一実施形態で、２個のＰＢＣＨシンボル及び２*６３の長さを有るＤＭＲＳシーケンスのＤＭＲＳ ＲＥにマッピングする長いＤＭＲＳシーケンスは６３の長さを有するインターリビングされた２個のｍ−シーケンスを用いることができる。例えば、１／３ＤＭＲＳオーバーヘッドを仮定すると、シンボル当り２５５個のＲＥを有する２個のＰＢＣＨシンボルには８５個のＤＭＲＳ ＲＥがある。２個のＰＢＣＨシンボルで３個のサブキャリアごとにマッピングするＬＤＭＲＳ−長さシーケンス、例えば、Ｚａｄｏｆｆ−Ｃｈｕシーケンス(ＬＤＭＲＳ＝８３又は７９)又はｍ−シーケンス(ＬＤＭＲＳ＝６３を有する単一シーケンス又は長さが３１であるインターリビングされた２個のｍ−シーケンス)はＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。ＤＭＲＳシーケンスは相違する仮説を識別するのに用いられ、より長いＤＭＲＳシーケンス長さはＵＥ側でより高い検出複雑性の対価で多くの数の仮説を搬送する。
【０２０５】
一実施形態で、図１９ｃの１９０３ａ／ｂ／ｃに示されたように、ＮＲ−ＳＳブロックには３個のシンボルがある。ＮＲ−ＤＲＭＳ ＲＥを挿入したＮＲ−ＰＢＣＨシンボルはＮＲ−ＰＳＳ／ＳＳＳより広い帯域幅を有する。より広い帯域幅は情報伝達のために周波数ドメインでより多くのＲＥを提供する。挿入されたＮＲ−ＤＭＲＳは広いＢＷを介してＣＳＩ推定値を達成するために用いられる。例えば、ＮＲ−ＤＭＲＳオーバーヘッドがＮＲ−ＰＢＣＨシンボル内で１／６ ＲＥであれば、ＢＷはＮＲ−ＤＭＲＳがない場合に同等なＮＲ−ＰＢＣＨコーディングレートを有する同期ＢＷよりやや大きく拡張されることができる。ＤＭＲＳシーケンスの長さはＮＲ−ＰＢＣＨシンボルでのＤＭＲＳ ＲＥの総数に依存する。
【０２０６】
例えば、１／６ＤＭＲＳオーバーヘッドを仮定すると、ＰＢＣＨシンボルが全体的に２５２、２８８又は３００個のＲＥを有する場合に４２、４８又は５０個のＤＭＲＳ ＲＥがある。２個のＰＢＣＨシンボルで６個のサブキャリアごとにマッピングするＬＤＭＲＳ−長さシーケンス、例えば、Ｚａｄｏｆｆ−Ｃｈｕシーケンス(ＬＤＭＲＳ＝４１,４３又は４７)又はｍ−シーケンス(ＬＤＭＲＳ＝３１を有する単一シーケンス)が用いられることができる。他の例として、１／６ＤＭＲＳオーバーヘッドを仮定すると、ＰＢＣＨシンボルが２５個のＲＢ総３００個のＲＥを有する場合に２５個のＲＢを有した５０個のＤＭＲＳ ＲＥがある。２個のＰＢＣＨシンボルで６個のサブキャリアごとにマッピングするＬＤＭＲＳ−長さシーケンス、例えば、Ｚａｄｏｆｆ−Ｃｈｕシーケンス(ＬＤＭＲＳ＝５３又はｍ−シーケンス(ＬＤＭＲＳ＝３１を有する単一シーケンス又は長さが３１であるインターリビングされた２個のｍ−シーケンス)が用いられることができる。
【０２０７】
図２０ａ、図２０ｂ及び図２０ｃはブロックＩＦＤＭ ＤＭＲＳパターンがＰＢＣＨシンボルに挿入されたＤＭＲＳに対して用いられるＴＤＭ ＰＳＳ／ＳＳＳ／ＰＢＣＨシンボルの実施形態を示す。連続的なＤＭＲＳ ＲＥのグループはブロックとして見なされる。例えば、１／３ＤＭＲＳオーバーヘッドを仮定すると、ＤＭＲＳブロックは６個のサブキャリアごとに２個のサブキャリアをマッピングする２個の連続的なサブキャリアを有する。ＮＲ−ＳＳＳはＤＭＲＳシーケンスのコヒーラント検出に用いられることができる。ＮＲ−ＰＢＣＨ復調はＤＭＲＳと共にＮＲ−ＳＳＳによって獲得されたＣＳＩに基づく。ＮＲ−ＳＳＳ及びＮＲ−ＰＢＣＨの相手位置は特にモバイルユーザ端末機に対するチャンネル推定正確度に相違する影響を及ぼすことができる。
【０２０８】
図２０ａ、図２０ｂ及び図２０ｃに示されたように、図２０ａの２００１ａ／ｂ／ｃで、ＤＭＲＳ ＲＥは一つ以上のＰＢＣＨシンボルで同一なサブキャリア位置を用いる。図２０ｂの２００２ａ／ｂ／ｃで、ＤＭＲＳ ＲＥは２個のＰＢＣＨシンボルでシフトされたサブキャリア位置を用いる。ＤＭＲＳ ＲＥブロックは２個のＰＢＣＨシンボルにシフトされ、これはＣＳＩ補間／平滑化のために共同で用いられることができる。例えば、１／３ＤＭＲＳオーバーヘッドを仮定すると、２個のサブキャリアを有するそれぞれのＤＭＲＳ ＲＥブロックは６個のサブキャリアごとにマッピングされ、第２ ＰＢＣＨシンボルのＤＭＲＳ ＲＥブロックは第１ＰＢＣＨシンボルのＤＭＲＳ ＲＥに対して３個のサブキャリアほどシフトされる。同一なＰＢＣＨビットは２個のＰＢＣＨシンボル内の残りＲＥ上にマッピングされることができる。２個のＰＢＣＨシンボルの同一なＲＥ間の時間−ドメイン位相比較はＰＢＣＨデコーディング前にＣＦＯ推定のために用いられることができる。
【０２０９】
図２０ａの２００１ａ／ｂ／ｃ 及び図２０ｂの２００２ａ／ｂ／ｃに対し、ＰＢＣＨシンボル当り同一な短いＤＭＲＳシーケンス及びＰＢＣＨシンボルにかけた長いＤＭＲＳシーケンスはいずれも考慮されることができる。一つの下位実施形態はそれぞれのＰＢＣＨシンボルで同一な短いＤＭＲＳシーケンスを用い、ＤＭＲＳ長さはそれぞれのＰＢＣＨシンボルでＤＭＲＳ ＲＥに依存する。例えば、１／６ＤＭＲＳオーバーヘッドを仮定すると、２５５個のＲＥを有した一つのＰＢＣＨシンボルには４２個のＤＭＲＳ ＲＥがある。６個のサブキャリアごとに一つのサブキャリア上にマッピングするＬＤＭＲＳ−長さシーケンス、例えば、Ｚａｄｏｆｆ−Ｃｈｕシーケンス(ＬＤＭＲＳ＝８３又は７９)又はｍ−シーケンス(ＬＤＭＲＳ＝６３を有する単一シーケンス又は長さが３１であるインターリビングされた２個のｍ−シーケンス)はＳＳバースト当りＳＳブロックインデックス、及び／又はＳＳバースト当りＳＳスロットインデックス、及び／又は一つ以上のＳＳバーストがある場合、ＳＳＳＳブロックタイミング又はＳＳブロックタイミングの一部を示すために用いられることができる。
【０２１０】
一実施形態で、２個のＰＢＣＨシンボル及びＤＭＲＳシーケンス長さのＤＭＲＳ ＲＥにマッピングする長い ＤＭＲＳシーケンスは２個のＰＢＣＨシンボルの全体 ＤＭＲＳ ＲＥに依存する。他の例とし、１／４ ＤＭＲＳオーバーヘッドを仮定すると、２５５個のＲＥを有した一つのＰＢＣＨシンボルには６３個のＤＭＲＳ ＲＥがある。４個のサブキャリアごとに一つのサブキャリア上にマッピングするＬＤＭＲＳ−長さシーケンス、例えば、Ｚａｄｏｆｆ−Ｃｈｕシーケンス(ＬＤＭＲＳ＝６１)又はｍ−シーケンス(ＬＤＭＲＳ＝６３を有する単一シーケンス又は長さが３１であるインターリビングされた２個のｍ−シーケンス)はＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。
【０２１１】
一実施形態で、２個のＰＢＣＨシンボル及び２*６３の長さを有するＤＭＲＳシーケンスのＤＭＲＳ ＲＥにマッピングする長いＤＭＲＳシーケンスは６３の長さを有するインターリビングされた２個のｍ−シーケンスを用いることができる。例えば、１／３ＤＭＲＳオーバーヘッドを仮定すると、シンボル当り２５５個のＲＥを有する２個のＰＢＣＨシンボルには１７０個のＤＭＲＳ ＲＥがある。２個のＰＢＣＨシンボルで６個のサブキャリアごとにマッピングするＬＤＭＲＳ−長さシーケンス、例えば、Ｚａｄｏｆｆ−Ｃｈｕシーケンス(ＬＤＭＲＳ＝１２７、１６３又は１６７)又はｍ−シーケンス(ＬＤＭＲＳ＝１２７を有する単一シーケンス又は長さが６３であるインターリビングされた２個のｍ−シーケンス)はＳＳバースト当りＳＳブロックインデックス、及び／又はＳＳバースト当りＳＳスロットインデックス、及び／又は一つ以上のＳＳバーストがある場合、ＳＳバーストインデックスのようにＳＳブロックタイミング又はＳＳブロックタイミングの一部を示すために用いられることができる。ＤＭＲＳシーケンスは相違する仮説を識別するのに用いられ、より長いＤＭＲＳシーケンス長さはＵＥ側でより高い検出複雑性の対価で多くの数の仮説を搬送する。
【０２１２】
一実施形態で、図２０ｃの２００３ａ／ｂ／ｃに示されたように、ＮＲ−ＳＳブロックには３個のシンボルがある。ＮＲ−ＤＲＭＳ ＲＥブロックを挿入したＮＲ−ＰＢＣＨシンボルはＮＲ−ＰＳＳ／ＳＳＳより広い帯域幅を有する。より広い帯域幅は情報伝達のために周波数ドメインでより多くのＲＥを提供する。挿入されたＮＲ−ＤＭＲＳは広いＢＷを介してＣＳＩ推定値を達成するために用いられる。例えば、ＮＲ−ＤＭＲＳオーバーヘッドがＮＲ−ＰＢＣＨシンボル内で１／６ＲＥであれば、ＢＷはＮＲ−ＤＭＲＳがない場合に同等なＮＲ−ＰＢＣＨ コーディングレートを有する同期ＢＷよりやや大きく拡張されることができる。ＤＭＲＳ シーケンスの長さはＮＲ−ＰＢＣＨシンボルでのＤＭＲＳ ＲＥの総数に依存する。
【０２１３】
例えば、１／６ＤＭＲＳオーバーヘッドを仮定すると、ＰＢＣＨシンボルが全体的に２５２、２８８又は３００個のＲＥを有する場合に４２、４８又は５０個のＤＭＲＳ ＲＥがある。２個のＰＢＣＨシンボルで６個のサブキャリアごとにマッピングするＬＤＭＲＳ−長さシーケンス、例えば、Ｚａｄｏｆｆ−Ｃｈｕシーケンス(ＬＤＭＲＳ＝４１,４３又は４７)又はｍ−シーケンス(ＬＤＭＲＳ＝３１を有する単一シーケンス)が用いられることができる。他の例として、１／６ＤＭＲＳオーバーヘッドを仮定すると、ＰＢＣＨシンボルが２５個のＲＢの総３００個のＲＥを有する場合に２５個のＲＢを有した５０個のＤＭＲＳ ＲＥがある。２個のＰＢＣＨシンボルで６個のサブキャリアごとにマッピングするＬＤＭＲＳ−長さシーケンス、例えば、Ｚａｄｏｆｆ−Ｃｈｕシーケンス(ＬＤＭＲＳ＝５３)又はｍ−シーケンス(ＬＤＭＲＳ＝６３を有する単一シーケンス又は長さが３１であるインターリビングされた２個のｍ−シーケンス)が用いられることができる。
【０２１４】
ＮＲ−ＰＢＣＨはＮＲ−ＤＭＲＳと共にセル特定シーケンスを用いて相違するセルＩＤでＳＳブロックを分離することでスクランブリングされることを注目する。ＮＲ−ＤＲＭＳシーケンス検出はＮＲ−ＳＳＳによって達成されたＣＳＩ推定値を用いて行われることができる。ＮＲ−ＰＢＣＨはＮＲ−ＳＳＳ及びＮＲ−ＤＭＲＳに基づいたＣＳＩ推定値を共に用いてドップラー及び残留ＣＦＯだけでなく雑音及び干渉を防止することで復調される。
【０２１５】
さらに、ＮＲ−ＤＭＲＳで搬送されるＳＳブロック仮説は全体又は部分ＳＳバーストインデックス及び／又は全体又は部分ＳＳブロックインデックス又はＳＳタイミングインデックスであることができるということを注目する。指示されるＳＳバーストインデックス及び／又はＳＳブロックインデックスの一部の多数の組み合せがあると、ＣＲＣ／逆ＣＲＣ、及び／又はスクランブリングシーケンス、及び／又はＮＲ−ＰＢＣＨ／ＮＲ−ＤＭＲＳ多重化パターン(例えば、相違する多重化パターンとしてのＮＲ−ＤＭＲＳサブキャリアの変化する周波数オフセット)は組み合せの一部を示すために用いられることができ、他の信号及び／又はチャンネルは残りの組み合せを示すために用いられることができる。
【０２１６】
図２１ａａ及び図２１ａｂは、本開示の実施形態による例示的なＮＲ−ＳＳＳシーケンス２１００を示す。図２１ａａ及び図２１ａｂに示されたＮＲ−ＳＳＳシーケンス２１００の実施形態はただ例示のためのことである。図２１ａａ及び図２１ａｂは本開示の範囲を任意の特定具現で制限しない。
【０２１７】
図２１ｂａ及び図２１ｂｂは、本開示の実施形態による他の例示的なＮＲ−ＳＳＳシーケンス２１２０)を示す。図２１ｂａ 及び図２１ｂｂは示されたＮＲ−ＳＳＳシーケンス２１２０の実施形態はただ例示のためのことである。図２１ｂａ 及び図２１ｂｂは本開示の範囲を任意の特定具現で制限しない。
【０２１８】
さらに、ＮＲ−ＤＭＲＳは付加的なＲＳ、付加的なＳＳ、新しいＳＳ、ＴＳＳ(ｔｅｒｔｉａｒｙ ｓｙｎｃ ｓｉｇｎａｌ)、拡張されたＳＳ(ｅｘｔｅｎｄｅｄ ＳＳ、ＥＳＳ)などとしても命名されることができるということを注目する。シーケンス設計に基づいたＲＳ外に、メッセージコーディングに基づいたＲＳはＳＳブロックタイミングに対する情報を示すために用いられることもできる。メッセージ基盤ＲＳはコヒーレント検出のためにＮＲ−ＳＳＳを用いることができる。２個のコードワードはＮＲ−ＰＢＣＨ及びメッセージ基盤ＲＳに対して別個で用いられる。図１８ａ、１８ｂ、１９ａ、１９ｂ、１９ｃ、２０ａ、２０ｂ及び２０ｃに示されたＮＲ−ＰＢＣＨ／ＮＲ−ＤＭＲＳ ＴＤＭ／ＩＦＤＭ多重化パターンはＰＢＣＨシンボルが周波数ダイバーシティー(ｆｒｅｑｕｅｎｃｙ ｄｉｖｅｒｓｉｔｙ)を達成するための帯域幅でメッセージ基盤ＲＳのＲＥを分散するのに用いられることができる。さらに、図１９ａ、図１９ｂ、図１９ｃ、図２０ａ、図２０ｂ、図２０ｃ、図２１ａａ、図２１ａｂ、図２１ｂａ及び図２１ｂｂでＮＲ−ＰＳＳ及びＮＲ−ＳＳＳの位置は下位実施形態の変形としてシフトされることができる。
【０２１９】
図１９ａ、図１９ｂ、図１９ｃ、図２０ａ、図２０ｂ、図２０ｃ、図２１ａａ、図２１ａｂ、図２１ｂａ及び図２１ｂｂで ＮＲ−ＰＢＣＨシンボルの帯域幅はＮＲ−ＰＳＳ／ＳＳＳなどのフィルター処理のようにＭＩＢに含まれるより多い情報ビット又は一部具現考慮事項(ｉｍｐｌｅｍｅｎｔａｔｉｏｎ ｃｏｎｓｉｄｅｒａｔｉｏｎ)を考慮してＮＲ−ＰＳＳ／ＳＳＳよりやや大きく調整されることができる。
【０２２０】
他の実施形態はＮＲ−ＰＳＳ及びＮＲ−ＳＳＳに対して相違する帯域幅を有するが、図２１ａａ、図２１ａｂ、図２１ｂａ及び図２１ｂｂに示されたようにＮＲ−ＳＳＳ帯域幅をＮＲ−ＰＢＣＨと同一又は類似に維持することである。ＮＲ−ＰＳＳ／ＳＳＳ／ＰＢＣＨシンボルに対して同一な送信電力を仮定すると、より小さい帯域幅を通じるパワーブースティング(ｐｏｗｅｒ ｂｏｏｓｔｉｎｇ)を有するＮＲ−ＰＳＳはＵＥ側で検出複雑性を減少させながら類似のタイミング／ＣＦＯ／セルＩＤ検出を達成することができる。
【０２２１】
しかし、より広い帯域幅を有するＮＲ−ＰＢＣＨシンボルはセルフコンテインドＤＭＲＳと、情報ＭＩＢ及び他のタイミングに係る情報、例えば、ＳＳブロックインデックス、バーストインデックス及び／又はＳＦＮ(ｓｙｓｔｅｍ ｆｒａｍｅ ｎｕｍｂｅｒ)のＬＳＢを相違するに十分な残りＲＥを含むようにより多くのＲＥを提供する。ＳＦＮは１０ｍｓ無線フレームのインデックスとして定義される。ＮＲ−ＰＢＣＨと同一であるか類似の帯域幅を有するＮＲ−ＳＳＳはＮＲ−ＳＳＳ及びＮＲ−ＰＢＣＨだけでなくＮＲ−ＤＭＲＳが同一なアンテナポート上で同一な送信方式を用いる場合にＰＢＣＨ復調及びＤＭＲＳ／ＴＳＳ復調のためのチャンネル推定値を獲得するのに用いられることができる。
【０２２２】
例えば、ＮＲ−ＰＳＳ帯域幅は１２個のＲＢを有し、１２７の長さを有するＮＲ−ＰＳＳシーケンスは{−６３，−６２．．．−１，０，１，．．．６２，６３}の連続的な１２７個のサブキャリア上にマッピングされる。エッジ(ｅｄｇｅ)での１４４−１２７＝１７個のサブキャリアはデータヌメロロジーがＮＳ−ＰＳＳ ＯＦＤＭシンボルのデータヌメロロジーと相違する場合にデータからの干渉を避けるために１１．８％保護帯域として予約される。
【０２２３】
ＮＲ−ＳＳＳ帯域幅及びＮＲ−ＳＳＳシーケンス設計に係って、次の２つの下位実施形態が例示される。ＮＲ−ＳＳＳ 帯域幅がＮＲ−ＰＳＳの帯域幅より大きいがＮＲ−ＰＢＣＨの帯域幅と同一な２４個のＲＢを有する図２１ａａ及び図２１ａｂに一つの下位実施形態が示す。ＮＲ−ＳＳＳ帯域幅が ＮＲ−ＰＳＳの帯域幅と類似の１２個のＲＢを有する図２１ｂａ及び図２１ｂｂに他の下位実施形態が示す。
【０２２４】
２４個のＲＢを有したＮＲ−ＳＳＳを有する図２１ａａ及び図２１ａｂの場合に、２５５の長さを有するＮＲ−ＳＳＳシーケンスは{−１２７，−１２６，．．．−１，０，１，２，．．．，１２６，１２７}として２５５個のサブキャリア(ＤＣを含み)の連続的なサブキャリア上にマッピングされることができる。他の代案は１２７の長さを有するＮＲ−ＳＳＳシーケンスが {−１２６，−１２４，．．．−２，０，２，４，．．．,１２４，１２６}又は{−１２５，−１２３，．．．−１，１３，．．．１２５，１２７}として２５４個のサブキャリアの偶数又は奇数サブキャリア上にマッピングされるということである。エッジでの２８８−２５４＝３４個のサブキャリアはデータヌメロロジーがＮＳ−ＰＳＳ ＯＦＤＭシンボルのデータヌメロロジーと相違する場合にデータからの干渉を避けるために１１．８％保護帯域として予約される。
【０２２５】
ＮＲ−ＰＢＣＨ帯域幅はさらに２４個のＲＢを有して、２５４(又は２６０)個のＲＥが用いられ、エッジでの２８８−２５４＝３４(又は２８８−２６０＝２８)個のサブキャリアはデータヌメロロジーがＮＳ−ＰＳＳ ＯＦＤＭシンボルのデータヌメロロジーと相違する場合にデータからの干渉を避けるために１１．８％(又は９。７％)保護帯域として予約される。
【０２２６】
したがって、長さを有するＤＭＲＳ−シーケンスは時間ドメイン又は周波数ドメインで２回繰り返されることができる。ＤＭＲＳシーケンスが時間ドメインで繰り返されると、ＮＲ−ＳＳＳ帯域幅と重ねる２個のＮＲ−ＰＢＣＨシンボルの中心２５４−サブキャリア(ＤＣを除き)帯域幅で分散したＤＭＲＳ ＲＥ上にシーケンスがマッピングされる。ＮＲ−ＰＢＣＨシンボルの中心２５４個のＲＥに対し、より少ないオーバーヘッドを有するセルフコンテインドＤＭＲＳ、例えば、４又は６個のサブキャリアごとに１個のＤＭＲＳ ＲＥが改善したチャンネル推定値を達成するために同一なアンテナポート上で同一な送信方式を用いるＮＲ−ＳＳＳとともに用いられることができる。中心２５４個のＲＥ 外部のＲＥ、例えば、２６０−２５４＝６個のＲＥに対し、同一であるかやや大きいオーバーヘッドを有したセルフコンテインドＤＭＲＳは、例えば、３個のサブキャリアごとに１個のＤＭＲＳ ＲＥはチャンネル推定値のみを獲得するのに用いられる。少なくとも一つのＤＭＲＳ ＲＥはチャンネル補間を補助するためにそれぞれのエッジ、それぞれ、例えば、−１３０及び１２９のサブキャリアインデックスに位置されることができるということを注目する。
【０２２７】
奇数サブキャリア又は偶数サブキャリアのうちのいずれか１つの上にマッピングするＮＲ−ＳＳＳシーケンスがいずれもサポートされると、これはＳＳブロックインデックスの１ビット部分、又はＳＳバーストインデックスの１ビット部分、又はＳＦＮの１ビット部分、又はＳＦＮ内の追加のタイミング情報(例えば、ＳＦＮ内の第１又は第２の５ｍｓ)のようなタイミングに係る情報を示すのに用いられることができる。例えば、(ＳＦＮモード８)の７ビットのように明示的及び／又は暗示的にＰＢＣＨに示されたＳＦＮの最上位ビットは８０ｍｓＰＢＣＨ ＴＴＩ内で４個の２０ｍｓを識別するために ＬＴＥと同一なＣＲＣの４個のスクランブリングコードに基づいて暗示的インディケーションを用いることでＭＩＢ及び２ビットで示される。２個のＮＲ−ＳＳＳシーケンスマッピングパターンはＵＥが２０ｍｓごとに２個の１０ｍｓ−フレームを識別するようにするのに用いられる。
【０２２８】
例えば、偶数サブキャリア上だけマッピングするＮＲ−ＳＳＳシーケンスはＵＥが２０ｍｓごとに第１の１０ｍｓを導出するようにするのに用いられ、奇数サブキャリア上だけマッピングするＮＲ−ＳＳＳシーケンスは２０ｍｓごとに第２の１０ｍｓを示すのに用いられる。これは１０ｍｓの周期を有するＣＯＮＮ／ＩＤＬＥ ＵＥがＮＲ−ＳＳブロックのタイミングを識別するのに有用である。５ｍｓの周期を有するＣＯＮＮ／ＩＤＬＥ ＵＥの場合には１０ｍｓフレーム境界を検出してそれぞれの１０ｍｓで検出された第１及び第２ＮＲ−ＳＳブロックを識別することができる。
【０２２９】
他の例で、(ＳＦＮ モード８)の７ビットのように明示的及び／又は暗示的にＰＢＣＨに示されたＳＦＮの最上位ビットは８０ｍｓＰＢＣＨ ＴＴＩ内で８個の１０ｍｓを識別するためにＣＲＣの８個のスクランブリングコードに基づいて暗示的インディケーションを用いることで ＭＩＢ及び３ビットで示される。２個のＮＲ−ＳＳＳシーケンスマッピングパターンはＵＥが１０ｍｓごとに２個の５ｍｓ−フレームを識別するようにするのに用いられる。偶数サブキャリア上だけマッピングするＮＲ−ＳＳＳシーケンスはＵＥが１０ｍｓごとに第１の５ｍｓを導出するようにするのに用いられ、奇数サブキャリア上だけマッピングするＮＲ−ＳＳＳシーケンスは１０ｍｓごとに第２の５ｍｓを示すのに用いられる。これは５ｍｓの周期を有するＣＯＮＮ／ＩＤＬＥ ＵＥがＮＲ−ＳＳブロックのタイミングを識別するのに有用である。
【０２３０】
多数のＮＲ ＳＳＳマッピングパターンに基づいたこのようなインディケーションがない場合、ＰＢＣＨに明示的に示されたＭＩＢ(ＳＦＮ モード ８)でＳＦＮの７ビット最上位ビットを維持するために、ネットワークはＣＲＣの１６個のスクランブリングコードに基づいた４ビット暗示的インディケーションを用いて８０ｍｓ ＰＢＣＨ ＴＴＩ内の１６個の５ｍｓ間隔を識別することができる。そうではなければ、ネットワークがＣＲＣの４個のスクランブリングコードに基づいた２ビット暗示的インディケーションのみを用いて８０ｍｓ ＰＢＣＨ ＴＴＩ内の４個の２０ｍｓ 間隔を識別する。１０ｍｓ(又は５ｍｓ)の周期を有するＵＥは先ず２０ｍｓフレーム境界を検出してから、それぞれの１０ｍｓ(５ｍｓ)で検出された２個(又は４個)のＮＲ−ＳＳブロックを識別しなければならない。ネットワークがＣＲＣの８個のスクランブリングコードに基づいた３ビット暗示的インディケーションのみを用いて８０ｍｓ ＰＢＣＨ ＴＴＩ 内の８個の１０ｍｓ間隔を識別する。５ｍｓの周期を有するＵＥは先ず１０ｍｓフレーム境界を検出してから、それぞれの５ｍｓで検出された２個のＮＲ−ＳＳブロックを識別しなければならない。
【０２３１】
１２個のＲＢを有したＮＲ−ＳＳＳを有する図２１ｂａ及び図２１ｂｂの場合に、１２７の長さを有するＮＲ−ＰＳＳシーケンスは{−６３，−６２．．．−１，０，１，．．．６２，６３}の連続的な１２７個のサブキャリア上にマッピングされる。エッジでの１４４−１２７＝１７個のサブキャリアはデータヌメロロジーがＮＳ−ＰＳＳ ＯＦＤＭシンボルのデータヌメロロジーと相違する場合にデータからの干渉を避けるために１１．８％保護帯域として予約される。
【０２３２】
２４個のＲＢのＮＲ−ＰＢＣＨ帯域幅はＮＲ−ＳＳＳより２倍さらに広い。２５４(又は２６０)個のＲＥが用いられ、エッジでの２８８−２５４＝３４(又は２８８−２６０＝２８)個のサブキャリアはデータヌメロロジーがＮＳ−ＳＳブロックのデータヌメロロジーと相違する場合にデータからの干渉を避けるために１１．８％(又は９．７％)保護帯域として予約される。
【０２３３】
例えば、４個のサブキャリアごとに１個のＤＭＲＳ ＲＥのオーバーヘッドを有するセルフコンテインドＤＭＲＳは２個のＰＢＣＨシンボルで約６３ｘ２個のＲＥを提供する。したがって、長さが６３であるＤＭＲＳ−シーケンスは時間ドメイン又は周波数ドメインで2回繰り返されることができる。ＤＭＲＳシーケンスが周波数ドメインで繰り返されると、(ＮＲ−ＳＳＳがＮＲ−ＰＳＳと同一な場合にＮＲ−ＳＳＳ帯域幅と同一な)ＮＲ−ＰＳＳ帯域幅と重ねる２個のＮＲ−ＰＢＣＨシンボルの中心１２６−サブキャリア(ＤＣを除き)帯域幅で分散したＤＭＲＳ ＲＥ上にシーケンスがマッピングされる。
【０２３４】
繰り返された同一なＤＭＲＳシーケンスは２個のＮＲ−ＰＢＣＨシンボルの中心１２６−サブキャリア帯域幅外部の残りのＤＭＲＳ ＲＥ上にマッピングされる。ＮＲ−ＰＢＣＨシンボルの中心１２６個のＲＥに対し、ＮＲ−ＳＳＳはＮＲ−ＰＢＣＨ及びＤＭＲＳと同一なアンテナポート上の同一な送信方式を用いる場合、ＰＢＣＨペイロードに対するＲＥだけでなくＤＭＲＳ／ＴＳＳシーケンスのコヒーレント復調のためのチャンネル推定値を獲得するのに用いられることができる。周波数ドメインで ＤＭＲＳの相違する繰り返された方法は、定義された場合、タイミングに係る情報を示すのに用いられることもできる。例えば、周波数ドメインでのＤＭＲＳシーケンスは{Ａ，Ｂ}のように２つの部分に分けることができる。周波数ドメインでの{Ａ，Ａ，Ｂ，Ｂ}及び{Ｂ，Ａ，Ｂ，Ａ}の繰り返し方法がいずれもサポートされ、これはＮＲ−ＳＳブロックインデックス、ＮＲ−ＳＳバーストインデックス、及び／又はＳＦＮのＬＳＢ、及び／又はＳＦＮ内の追加のタイミング情報(例えば、ＳＦＮ内の第１又は第２の５ｍｓ)を示すのに用いられることができる。
【０２３５】
識別されたＤＭＲＳシーケンスはＮＲ−ＳＳブロックインデックス、バーストインデックスなどのようなタイミングに係る情報を示すのに用いられる。ＮＲ−ＳＳＳのように識別されたＤＭＲＳシーケンスは同一なアンテナポート上で同一な送信方式を用いて改善したチャンネル推定値を達成する。中心２５４個のＲＥ外部のＲＥ、例えば、２６０−２５４＝６個のＲＥに対し、同一であるかやや大きいオーバーヘッドを有したセルフコンテインドＤＭＲＳは、例えば、３個のサブキャリアごとに１個のＤＭＲＳ ＲＥはチャンネル推定値のみを獲得するのに用いられる。少なくとも一つのＤＭＲＳ ＲＥはチャンネル補間を補助するためにそれぞれのエッジ、それぞれ、例えば −１３０及び１２９のサブキャリアインデックスに位置されることができるということを注目する。単純化のために、２つのエッジでの付加的なＤＭＲＳ ＲＥは隣接したＤＭＲＳ ＲＥを繰り返すことができる。
【０２３６】
図２２ａは、本開示の実施形態によるＮＲ−ＰＢＣＨでの例示的なセルフコンテインドＤＭＲＳ設計２２００を示す。図２２ａに示されたＮＲ−ＰＢＣＨ２２００でのセルフコンテインドＤＭＲＳ設計の実施形態はただ例示のためのことである。図２２ａは本開示の範囲を任意の特定具現で制限しない。
【０２３７】
図２２ｂは、本開示の実施形態によるＮＲ−ＰＢＣＨでの他の例示的なセルフコンテインドＤＭＲＳ設計２２２０を示す。図２２ｂに示されたＮＲ−ＰＢＣＨ２２２０でのセルフコンテインドＤＭＲＳ設計の実施形態はただ例示のためのことである。図２２ｂは本開示の範囲を任意の特定具現で制限しない。
【０２３８】
図２３ａは、本開示の実施形態によるＮＲ−ＰＢＣＨでのまた他の例示的なセルフコンテインドＤＭＲＳ設計２３００を示す。図２３ａに示されたセルフコンテインドＤＭＲＳ設計２３００の実施形態はただ例示のためのことである。図２３ａは本開示の範囲を任意の特定具現で制限しない。
【０２３９】
図２３ｂは、本開示の実施形態によるＮＲ−ＰＢＣＨでのまた他の例示的なセルフコンテインドＤＭＲＳ設計２３２０を示す。図２３ｂに示されたセルフコンテインドＤＭＲＳ設計２３２０の実施形態はただ例示のためのことである。図２３ｂは本開示の範囲を任意の特定具現で制限しない。
【０２４０】
図２４ａは、本開示の実施形態によるＮＲ−ＰＢＣＨでのまた他の例示的なセルフコンテインドＤＭＲＳ設計２４００を示す図２４ａに示されたセルフコンテインドＤＭＲＳ設計２４００の実施形態はただ例示のためのことである。図２４ａは本開示の範囲を任意の特定具現で制限しない。
【０２４１】
図２４ｂは、本開示の実施形態によるＮＲ−ＰＢＣＨでのまた他の例示的なセルフコンテインドＤＭＲＳ設計２４２０を示す。図２４ｂに示されたセルフコンテインドＤＭＲＳ設計２４２０の実施形態はただ例示のためのことである。図２４ｂは、本開示の範囲を任意の特定具現で制限しない。
【０２４２】
図２２ａ、図２２ｂ、図２３ａ、図２３ｂ、図２４ａ 及び図２４ｂにそれぞれ示されたようにＮＲ−ＰＢＣＨのセルフコンテインドＤＭＲＳ設計の一部実施形態では２つのタイプのＤＭＲＳ、例えば、ＤＭＲＳ１及びＤＭＲＳ２が存在する。ＤＭＲＳ１はセル特定シーケンスであり、ＮＲ−ＳＳバーストセットでのＮＲ−ＳＳブロックに対して同様であり、したがって、ＤＭＲＳ１はＮＲ−ＳＳブロックインデックス又は部分ＮＲ−ＳＳブロックインデックスのようなタイミングインデックスの多数の仮説を搬送しない。ＤＭＲＳ２はＮＲ−ＳＳ バーストセット内のＮＲ−ＳＳブロックインデックス又は部分ＮＲ−ＳＳブロックインデックスのようなタイミングインデックスの多数の仮説を搬送するからＤＭＲＳ２はセル特定的なだけでなくＮＲ−ＳＳブロック特定的である。
【０２４３】
部分ＮＲ−ＳＳブロックインデックスはＮＲ−ＳＳ バースト又はグループ内のＮＲ−ＳＳブロックインデックスであることができる。又は部分 ＮＲ−ＳＳブロックインデックスはＮＲ−ＳＳバースト又はグループインデックスであることができる。例えば、ＤＭＲＳ２はＮＲ−ＳＳバースト内のＮＲ−ＳＳブロックインデックス内の３ビット又は４ビット部分ＮＲ−ＳＳブロックインデックスを示す。残りの３ビット又は２ビットＮＲ−ＳＳバーストインデックスは明示的ＰＢＣＨ情報フィールド及び／又は暗示的スクランブリングＣＲＣに含まれる。
【０２４４】
図２４ａ及び図２４ｂで、ＤＭＲＳ１及びＤＭＲＳ２は同一なＲＢに位置されることに示される。例えば、ＲＢ内でＤＭＲＳ１に対する２個のＲＥとＤＭＲＳ２に対する２個のＲＥがある。ＰＳＳ／ＳＳＳに基づいたセルＩＤ検出後に、ＤＭＲＳ１は知られたシーケンスである。ＤＭＲＳ１ ＲＥ及びＤＭＲＳ２ ＲＥはＤＭＲＳ２が知られたシーケンスＤＭＲＳ１を用いるチャンネル推定／補間に基づいて検出されることができるようにインターリビングされる。検出されたＤＭＲＳ２シーケンスはＮＲ−ＰＢＣＨ復調のための全体ＮＲ−ＰＢＣＨ帯域でチャンネル推定をさらに改善することができる。
【０２４５】
ＤＭＲＳ１及びＤＭＲＳ２位置は２個のＮＲ−ＰＢＣＨシンボルに交換されたり、図２４ａの(ａ)で隣接したＮＲ−ＰＢＣＨシンボル、すなわち、図２４ａの(ｂ)の１−シンボル分離したＮＲ−ＰＢＣＨシンボル及び図２４ａの(ｃ)の２−シンボル分離したＮＲ−ＰＢＣＨシンボルのような２個のＮＲ−ＰＢＣＨシンボルに予め定義されたサブキャリアオフセットほどシフトされることができる。代案で、ＤＭＲＳ１及びＤＭＲＳ２位置は図２４ｂの(ａ)で隣接したＮＲ−ＰＢＣＨシンボル、すなわち、図２４ｂの(ｂ)の１−シンボル分離したＮＲ−ＰＢＣＨシンボル及び図２４ｂの(ｃ)の２−シンボル分離されたＮＲ−ＰＢＣＨシンボルのような２個のＮＲ−ＰＢＣＨシンボルに予め定義されたサブキャリアオフセットほどシフトされることができる。
【０２４６】
図２３ａ及び図２４ｂで、ＤＭＲＳ１及びＤＭＲＳ２は相違するＲＢに位置されることに示される。例えば、ＮＲ−ＳＳＳ帯域外部のＲＢにはＤＭＲＳ１に対して４個のＲＥが存在し、ＮＲ−ＳＳＳ帯域内部のＲＢにはＤＭＲＳ２に対して４個のＲＥが存在する。ＰＳＳ／ＳＳＳに基づいたセルＩＤ検出後に、ＤＭＲＳ１は知られたシーケンスであり、ＵＥはＤＭＲＳ１を用いてＳＳＳ帯域外部でチャンネル推定／補間を獲得する。ＮＲ−ＳＳＳ帯域内部で、ＤＭＲＳ２はＮＲ−ＳＳＳを用いるチャンネル推定／補間に基づいて検出されることができる。検出されたＤＭＲＳ２ シーケンスはＮＲ−ＰＢＣＨ復調のためのＮＲ−ＳＳＳ帯域内部でチャンネル推定をさらに改善することができる。
【０２４７】
それぞれのＲＢでのＤＭＲＳ１及びＤＭＲＳ２ 位置は図２３ａの(ａ)で隣接したＮＲ−ＰＢＣＨシンボル、すなわち図２３ａの(ｂ)の１−シンボル分離した ＮＲ−ＰＢＣＨシンボル及び図２３ａの(ｃ)の２−シンボル分離したＮＲ−ＰＢＣＨシンボルのような２個のＮＲ−ＰＢＣＨシンボルにシフトされることができる。代案で、それぞれのＲＢでのＤＭＲＳ１及びＤＭＲＳ２位置は図２３ｂの(ａ)で隣接したＮＲ−ＰＢＣＨシンボル、すなわち、図２３ｂの(ｂ)の１−シンボル分離したＮＲ−ＰＢＣＨシンボル及び図２３ｂの(ｃ)の２−シンボル分離したＮＲ−ＰＢＣＨシンボルのような２個のＮＲ−ＰＢＣＨシンボルにシフトされることができる。
【０２４８】
図２４ａ及び図２４ｂで、ＤＭＲＳ１及びＤＭＲＳ２は相違するＲＢに位置されることで示される。しかし、ＤＭＲＳ１に対するＲＢ及びＤＭＲＳ２に対するＲＢはＮＲ−ＰＢＣＨシンボル内でＲＢブロックインターリビングされる(ＲＢ−ｂｌｏｃｋ−ｉｎｔｅｒｌｅａｖｅｄ)。第１ＮＲ−ＰＢＣＨシンボル内のＤＭＲＳ１に対するＲＢは第２ＮＲ−ＰＢＣＨシンボル内のＤＭＲＳ２に対する同一なＲＢであり；第１ＮＲ−ＰＢＣＨシンボル内のＤＭＲＳ２に対するＲＢは第２ＮＲ−ＰＢＣＨシンボル内のＤＭＲＳ１に対する同一なＲＢである。
【０２４９】
例えば、第１ＮＲ−ＰＢＣＨシンボル内で奇数ＲＢにはＤＭＲＳ１に対して４個のＲＥがあって、偶数ＲＢにはＤＭＲＳ２に対して４個のＲＥがあって；第２ＮＲ−ＰＢＣＨシンボル内で奇数ＲＢにはＤＭＲＳ２に対して４個のＲＥがあって、偶数ＲＢにはＤＭＲＳ１に対して４個のＲＥがある。ＰＳＳ／ＳＳＳに基づいたセルＩＤ検出後に、ＤＭＲＳ１は知られたシーケンスである。ＤＭＲＳ１ＲＥ及びＤＭＲＳ２ＲＥはＤＭＲＳ２が知られたシーケンスＤＭＲＳ１を用いるチャンネル推定／補間に基づいて検出されることができるようにＲＢブロックインターリビングされる。検出されたＤＭＲＳ２シーケンスはＮＲ−ＰＢＣＨ 復調のための全体ＮＲ−ＰＢＣＨ帯域でチャンネル推定をさらに改善することができる。
【０２５０】
ＤＭＲＳ１及びＤＭＲＳ２位置は図２４ａの(ａ)で隣接したＮＲ−ＰＢＣＨシンボル、すなわち、図２４ａの(ｂ)の１−シンボル分離したＮＲ−ＰＢＣＨシンボル及び図２４ａの(ｃ)の２−シンボル分離されたＮＲ−ＰＢＣＨシンボルのような２個のＮＲ−ＰＢＣＨシンボルにシフトされることができる。代案で、ＤＭＲＳ１及びＤＭＲＳ２位置は図２４ｂの(ａ)で隣接したＮＲ−ＰＢＣＨシンボル、すなわち、図２４ｂの(ｂ)の１−シンボル分離したＮＲ−ＰＢＣＨシンボル及び図２４ｂの(ｃ)の２−シンボル分離されたＮＲ−ＰＢＣＨシンボルのような２個のＮＲ−ＰＢＣＨシンボルにシフトされることができる。
【０２５１】
他の下位実施形態はＤＭＲＳに対する１／４ ＲＥのような他のＤＭＲＳオーバーヘッドを含む。例えば、図２４ａ及び図２４ｂと類似に、ＮＲ−ＰＢＣＨシンボル内で２個のＲＢごとにインターリビングされるＤＭＲＳ１に対する３個のＲＥ 及び ＤＭＲＳ２に対する３個のＲＥがある。ＰＳＳ及び／又はＳＳＳの帯域幅はＮＲ−ＰＢＣＨシンボルの帯域幅と類似により大きく拡張されることができる。ＤＭＲＳ２はさらに無線フレーム内のＮＲ−ＰＢＣＨ ＴＴＩ及び／又は２−状態５ｍｓ内で１０ｍｓ、２０ｍｓ及び／又は４０ｍｓのような部分ＳＦＮのような異なるタイミングインデックスを示すのに用いられることができる。
【０２５２】
ＬＴＥと同様に、ＮＲ 時間／周波数同期化はＰＳＳ／ＳＳＳを用いた初期アクセス手続きの大略的な(ｒｏｕｇｈ)時間／周波数同期化持続期間を始めて多数の段階からなる。ＮＲに対し、ＮＲ ＳＳブロック内のＰＢＣＨでのＤＭＲＳ／ＴＳＳはさらに第１段階で同期化をさらに改善させるのに用いられることができる。しかし、ＮＲ ＳＳブロックにだけ基づく大略的な時間／周波数同期化は十分ではない。予め定義された制限された帯域幅で送信されたＮＲ ＳＳブロックは不十分な時間分解能(ｔｉｍｅ ｒｅｓｏｌｕｔｉｏｎ)を有する。さらに、ＬＴＥより長いＳＳブロック当り４又は５個のシンボルを有する制限された時間スパン(ｔｉｍｅ ｓｐａｎ)は不良なドップラー分解能(ｐｏｏｒ Ｄｏｐｐｌｅｒ ｒｅｓｏｌｕｔｉｏｎ)を有する。
【０２５３】
ＮＲ ＳＳバーストセット結果の予め定義された又は設定された周期は非常に稀薄な(ｓｐａｒｓｅ)時間内に満足された周波数オフセット推定も達成することができない。時間／周波数同期化は少なくともＰＤＣＣＨ ＤＭＲＳに基づいたＰＤＣＣＨ復調、ＵＥ送信周波数の同調(ｔｕｎｉｎｇ)、ＣＳＩ−ＲＳに基づいたＵＥ測定、ＰＤＳＣＨ ＤＭＲＳを用いたＰＤＳＣＨ復調及び長期間睡眠(ｌｏｎｇ−ｔｉｍｅ ｓｌｅｅｐ)後のＩＤＬＥ ＵＥに対して速やかに同期化される必要がある。ＬＴＥでのａｌｗａｙｓ−ｏｎ ＣＲＳがＮＲで利用可能ではないので、時間オフセット、周波数オフセット、遅延拡散及びドップラー拡散の推定を含んでＵＥが微細(ｆｉｎｅ)時間／周波数同期化を達成することを助けるためにＴＲＳ(ｔｒａｃｋｉｎｇ ＲＳ)が必要である。
【０２５４】
ＴＲＳはオン／オフ(ｏｎ／ｏｆｆ)、アンテナポート、バースト時間スパン(ｂｕｒｓｔ ｔｉｍｅ ｓｐａｎ)、時間密度、周波数密度、それぞれの周波数帯域に対する帯域幅だけではなくビームスイーピング(ｂｅａｍ ｓｗｅｅｐｉｎｇ)の場合に一つ又は多数のビームに対するＴＲＳとＮＲ ＳＳブロック間の連関(ａｓｓｏｃｉａｔｉｏｎ)(時間／周波数／空間リソースとの関係)のパラメーターを含んでネットワークによって予め定義されたり設定されることができる。例えば、ＴＲＳとＮＲ−ＳＳブロックが同一な送信ビーム／プリコーディングとの一対一マッピング(ｏｎｅ−ｂｙ−ｏｎｅ ｍａｐｐｉｎｇ)であれば良いのである。他の例はＴＲＳ及びＮＲ−ＳＳブロックが一対多マッピング(ｏｎｅ−ｂｙ−ｍａｎｙ ｍａｐｐｉｎｇ)であれば良く、すなわち、同一であるかより広いビームを有した同一なＴＲＳはＮＲ−ＳＳブロックに対してＮＲ ＳＳバーストで同一又は類似のビームで設定されることができるというのである。他の例は、ＴＲＳ及びＮＲ−ＳＳブロックが一対多マッピングであれば良く、すなわち、同一であるかより狭いビームを有する多数のＴＲＳは一つのＮＲ−ＳＳブロックに対して設定されることができるというのである。
【０２５５】
図２５ａは、本開示の実施形態によるＮＲ−ＳＳブロックの例示的な位置２５００を示す。図２５ａに示されたＮＲ−ＳＳブロックの位置２５００の実施形態はただ例示のためのことである。図２５ａは本開示の範囲を任意の特定具現で制限しない。
【０２５６】
図２５ｂは、本開示の実施形態によるＮＲ−ＳＳブロックの他の例示的な位置２５２０を示す。図２５ｂに示されたＮＲ−ＳＳブロックの位置２５２０の実施形態はただ例示のためのことである。図２５ｂは本開示の範囲を任意の特定具現で制限しない。
【０２５７】
ＴＲＳとＮＲ ＳＳブロック間の仕事台仕事マッピングの実施形態は図２５ａ、図２５ｂ、図２５ｃ 及び図２５ｄに示される。図２５ａ、図２５ｂ、図２５ｃ 及び図２５ｄで、それぞれの周波数帯域に対して予め定義されたＮＲ−ＳＳブロックのサブキャリア間隔(ｓｕｂｃａｒｒｉｅｒ ｓｐａｃｉｎｇ、ＳＣＳ)を有する１４−シンボルスロットでは２個のＮＲ−ＳＳブロックがある。例えば、２ＧＨｚ帯域の場合にはＳＣＳ＝１５ｋＨｚ、４ＧＨｚ帯域の場合にはＳＣＳ＝３０ｋＨｚ、３０ＧＨｚ 帯域の場合にはＳＣＳ＝１２０ｋＨｚである。これに相応し、それぞれのＮＲ−ＳＳブロックは同一なＴｘビームを有する一つのＴＲＳと連関される。ＮＲ−ＳＳブロック及びＴＲＳの位置はさらにＵＥ検出複雑性を減少させるために固定／予め定義される。
【０２５８】
残りのリソースを用いる柔軟性と潜在的な制御及び／又は基準信号との衝突／干渉減少の間の多様なトレード・オフ(ｔｒａｄｅｏｆｆ)を考慮し、相違する位置は図２５ａ、図２５ｂ、図２５ｃ及び図２５ｄに示され、このようなトレード・オフはスロットの始めでのＰＤＣＣＨ、ＰＤＳＣＨでのＤＭＲＳ、ＣＳＩ獲得のためのＣＳＩ−ＲＳ、スロットの終りでのＰＵＣＣＨ及びＤＬ／ＵＬ送信のための保護期間を含むが、ここに制限されない。
【０２５９】
図２５ａで、一つのＮＲ−ＳＳブロックは４個の連続的なシンボルを有し、２個のＮＲ−ＳＳブロックは互いに連続的である。図２５ａで、第ｎ ＮＲ−ＳＳブロックはシンボル＃３乃至＃６で送信され、次の第(ｎ＋１)ＮＲ−ＳＳブロックはシンボル＃７乃至＃１０にあり、ここでｎ＝０，１…(Ｌ−１)であり、ＬはＮＲ−ＳＳブロックの最大数である。相応するＴＲＳはそれぞれシンボル＃３乃至＃６と＃７乃至＃１０の時間スパン(ｔｉｍｅ ｓｐａｎ)内に入れ、これは最大４個のポートをサポートする２−シンボルＰＤＣＣＨ及び１−シンボルフォントローディングされた(ｆｏｎｔ−ｌｏａｄｅｄ)ＤＭＲＳと重ならない。図２５ａで、第のｎ ＮＲ−ＳＳブロックはシンボル＃４乃至＃７で送信され、次の第(ｎ＋１) ＮＲ−ＳＳブロックはシンボル＃８乃至＃１１にある。相応するＴＲＳはそれぞれシンボル＃４乃至＃７と＃８乃至＃１１の時間スパン内に入れ、これは４個以上のポートをサポートする２−シンボルＰＤＣＣＨ及び２−シンボルフォントローディングされたＤＭＲＳと重ならない。
【０２６０】
図２５ｂで、一つのＮＲ−ＳＳブロックはさらに４個の連続的なシンボルを有し、２個のＮＲ−ＳＳブロックは互いに連続的ではない。図２５ｂで、第のｎ ＮＲ−ＳＳブロックはシンボル＃３乃至＃６で送信され、次の第(ｎ＋１)ＮＲ−ＳＳブロックはシンボル＃８乃至＃１１にあり、ここでｎ＝０、１…(Ｌ−１)であり、ＬはＮＲ−ＳＳブロックの最大数である。相応するＴＲＳはそれぞれシンボル＃３乃至＃６と＃８乃至＃１１の時間スパン内に入れ、これは最大４個のポートをサポートする２−シンボルＰＤＣＣＨ及び１−シンボルフォントローディングされたＤＭＲＳと重ならない。図２５ｂで、第のｎ ＮＲ−ＳＳブロックはシンボル＃３乃至＃６に送信され、次の第の(ｎ＋１)ＮＲ−ＳＳブロックはシンボル＃９乃至＃１３にある。相応するＴＲＳはそれぞれシンボル＃３乃至＃６と ＃９乃至＃１３の時間スパン内に入れて、これはそれぞれの７−シンボルミニスロット(ｍｉｎｉ ｓｌｏｔ) 内で最大４個のポートをサポートする２−シンボルＰＤＣＣＨ及び１−シンボルフォントローディングされたＤＭＲＳと重ならない。
【０２６１】
図２５ｃは、本開示の実施形態によるＮＲ−ＳＳブロックのまた他の例示的な位置２５４０を示す。図２５ｃに示されたＮＲ−ＳＳブロックの位置２５４０の実施形態はただ例示のためのことである。図２５ｃは本開示の範囲を任意の特定具現で制限しない。
【０２６２】
図２５ｄは、本開示の実施形態によるＮＲ−ＳＳブロックのまた他の例示的な位置２５６０を示す。
図２５ｄに示されたＮＲ−ＳＳブロックの位置２５６０の実施形態はただ例示のためのことである。図２５ｄは本開示の範囲を任意の特定具現で制限しない。
【０２６３】
図２５ｃ及び図２５ｄはＴＲＳだけでなくＮＲ−ＳＳブロックの他の例を示す。
【０２６４】
図２６ａは本開示の実施形態によるＮＲ−ＳＳブロックの例示的な位置２６００を示す。図２６ａに示されたＮＲ−ＳＳブロックの位置２６００の実施形態はただ例示のためのことである。図２６ａは本開示の範囲を任意の特定具現で制限しない。
【０２６５】
図２６ｂは、本開示の実施形態によるＮＲ−ＳＳブロックの他の例示的な位置２６２０を示す。図２６ｂに示されたＮＲ−ＳＳブロックの位置２６２０の実施形態はただ例示のためのことである。図２６ｂは本開示の範囲を任意の特定具現で制限しない。
【０２６６】
図２６ｃは、本開示の実施形態によるＮＲ−ＳＳブロックのまた他の例示的な位置２６４０を示す。図２６ｃに示されたＮＲ−ＳＳブロックの位置２６４０の実施形態はただ例示のためのことである。図２６ｃは本開示の範囲を任意の特定具現で制限しない。
【０２６７】
図２６ｄは、本開示の実施形態によるＮＲ−ＳＳブロックのまた他の例示的な位置２６６０を示す。
図２６ｄに示されたＮＲ−ＳＳブロックの位置２６６０の実施形態はただ例示のためのことである。
図２６ｄは本開示の範囲を任意の特定具現で制限しない。
【０２６８】
一実施形態で、ビーム送信時間スパンはさらに分散されたＮＲ−ＳＳブロックでビームスイーピンされる時に拡張される。図２６ａ、図２６ｂ、図２６ｃ及び図２６ｄに示されたように、２個のＮＲ−ＳＳブロック代りに１４−シンボルスロットごとに一つのＮＲ−ＳＳブロックだけが存在する。同一なスロット内にあり得る残りのリソースは同一であるか類似の送信ビームで相応するデータ又はＲＳを送信するのに用いられることができる。例えば、ＮＲ−ＳＳブロック及び相応するＴＲＳは重ねた帯域幅で同一なスロット及び甚だしくは同一なＲＢで送信されることができる。
【０２６９】
図２６ａに示されたように、シンボル＃３乃至＃６のＮＲ−ＳＳブロックは相応するＴＲＳが次のシンボル＃７乃至＃１０で送信されることができる場合にだけ送信されるが；さらに、シンボル＃７乃至＃１０のＮＲ−ＳＳブロックは相応するＴＲＳが次のシンボル＃３乃至＃６で送信されることができる場合にだけ送信される。
【０２７０】
簡略にするために、ＴＲＳは固定されたアンテナポートを有する。１−ポートＴＲＳはＲＥオーバーヘッドを減らす。同一なアンテナポートはＰＳＳ、ＳＳＳ及び／又はＰＢＣＨに用いられることができる。
【０２７１】
ＲＢ当りＴＲＳ ＲＥは選択されたシンボルでインターリビングされたり繰り返されたパターンを用いて予め定義された／設定された周波数密度(例えば、３、４、５、６又は１２サブキャリアごとに一つのＴＲＳ ＲＥ)でそれぞれの時間スパンから分散することができる。ＴＲＳ ＲＥに対するシンボルはＴＲＳに対するそれぞれの定められた時間スパン内で固定／予め定義された方式に選択される(例えば、２、３、４又は８シンボルによって分離する)。選択されたシンボルの距離が遠くなるほど周波数オフセット分解能はより良好になるが周波数オフセットエラーの範囲はより小さくなる。
【０２７２】
図２５ａ、図２５ｂ、図２５ｃ、図２５ｄ、図２６ａ、図２６ｂ、図２６ｃ及び図２６ｄに示されたように、４−シンボル時間スパンの第１シンボル及び最後のシンボルはＴＲＳに対して選択される。ＴＲＳがシンボル＃４、＃７、＃８及び／又は＃１１で分散すれば、ＮＲのＴＲＳは２ＧＨｚの搬送波周波数のＬＴＥ ＣＲＳパターンと共存される。ＴＲＳ ＲＥ周波数サブキャリア位置はＬＴＥ ＣＲＳの方式と類似にセルＩＤに基づいてシフトされることができる。
【０２７３】
ＮＲ−ＳＳブロックに対するＲＢはＮＲ−ＳＳブロック帯域幅内にだけ存在する。しかし、ＴＲＳに対するＲＢはさらに広い帯域幅にある。ＴＲＳ周期はＮＲ−ＳＳブロックの周期と同じであっても、異なっていても良い。ＮＲ−ＳＳブロックに対するＲＢ及び同一なビームを有するＴＲＳに対するＲＢは同時に又は固定された／予め定義された／設定された時間オフセットに送信されることができる。ＮＲ−ＳＳブロックに対するＲＢとＴＲＳに対するＲＢが同時に送信されると、ＴＲＳに対するＲＢは潜在的に全体搬送波ＢＷでＮＲ−ＳＳブロックのＲＢの上位及び下位帯域に位置される。
【０２７４】
図２５ａ、図２５ｂ、図２５ｃ、図２５ｄ、図２６ａ、図２６ｂ、図２６ｃ及び図２６ｄのＮＲ−ＳＳブロックはネットワークによって活性化／非活性化されることができるということを注目する。ＮＲ−ＳＳブロック又はビームが非活性化されると、相応するＴＲＳがさらに非活性化されることができる。残りのリソースはデータ送信、制御及び／又は復調／測定のための他のＲＳに用いられることができる。ＳＳブロック活性化は固定されたり反静的に設定されることができる。設定可能であれば、これは初期アクセス及び／又はＩＤＬＥ ＵＥのような場合、ＵＥに透明であれば良い。又はこれはＲＲＣ_ＣＯＮＮＥＣＴＥＤ ＵＥへのＰＤＣＣＨのＲＲＣシグナリング／ＤＣＩを用いて／用いたり初期アクセス及び／又はＩＤＬＥ ＵＥに対するＭＩＢ／ＳＩＢを用いることのようにＵＥに指示されることができる。
【０２７５】
シグナリングオーバーヘッドを減らすため、ビットマップシグナリングの制限されたビットが用いられることができる。例えば、ＮＲ ＳＳブロックの最大数が２ＧＨｚのようにより低い搬送波周波数に対して４の場合、４ビットビットマップインディケーションは活性／非活性的な４個のＮＲ ＳＳブロックを独立的に示すために用いられる。ＮＲ ＳＳブロックの最大数が４ＧＨｚに対して８の場合、８個のＮＲ−ＳＳブロックはグループ当り２個のＮＲ−ＳＳブロックを有した４個のグループで分離され、４ビットビットマップインディケーションは活性／非活性的な４個のＮＲ ＳＳブロックのグループを独立的に示すために用いられる。ＮＲ ＳＳブロックの最大数が６ＧＨｚ 以上の場合に６４であれば、６４個のＮＲ−ＳＳブロックはグループ当り１６個のＮＲ−ＳＳブロックを有した４個のグループで分離し、４ビットビットマップインディケーションは活性／非活性的な４個のＮＲ ＳＳブロックのグループを独立的に示すために用いられる。それぞれのグループは予め定義されたバースト持続期間を有するＮＲ−ＳＳブロックのバーストであることができるとかそれぞれのバーストに分散されているＮＲ−ＳＳブロックであることができる。多数のグループ化方法がサポートされる場合、ネットワーク側でスケジューリングの柔軟性をサポートするために付加的なビットが必要なことがある。
【０２７６】
一部実施形態で、同一であるか部分的に重ねたビームを有する多数のＮＲ ＳＳブロックのうちの一つのグループが含まれ、多対一マッピング(ｍａｎｙ−ｂｙ−ｏｎｅ ｍａｐｐｉｎｇ)として定義された一つのＴＲＳと連関されるように設定されることができる。ＴＲＳビームは一つのＮＲ−ＳＳブロックと類似であるかより広いことがある。グループ当りＮＲ−ＳＳブロックの数はそれぞれの周波数帯域に対して予め定義されたり設定可能である。さらに、グループ当りＴＲＳと第１ＮＲ−ＳＳブロック間の時間オフセットは予め定義されたり設定できる。設定可能であれば、インディケーションはＭＩＢ又はＳＩＢにあり得る。
【０２７７】
一つのＮＲ ＳＳブロックは一対多マッピングとして定義された多数のＴＲＳと連関されるように設定されることができる。ＴＲＳビームは一つのＮＲ−ＳＳブロックと類似であるかさらに狭いことがある。ＴＲＳの数はそれぞれの周波数帯域に対して予め定義されたり設定可能である。さらに、第１ＴＲＳとＮＲ−ＳＳブロック間の時間オフセットは予め定義されたり設定できる。設定可能であれば、インディケーションはＭＩＢ又はＳＩＢにあり得る。
【０２７８】
図２５ａ、２５ｂ、２５ｃ、２５ｄ、２６ａ、２６ｂ、２６ｃ及び２６ｄに示されたＮＲ−ＳＳブロックの位置は相違するシステムに対する他のタイプのデータ、制御及び／又はＲＳとの互換性を考慮するように拡張されることができる。
【０２７９】
図２７ａは、本開示の実施形態による例示的な４−シンボルＳＳブロック２７００を示す。図２７ａに示された４−シンボルＳＳブロック２７００の実施形態はただ例示のためのことである。図２７ａは本開示の範囲を任意の特定具現で制限しない。
【０２８０】
図２７ｂは、本開示の実施形態による例示的な５−シンボルＳＳブロック２７２０を示す。図２７ｂに示された５−シンボルＳＳブロック２７２０の実施形態はただ例示のためのことである。図２７ｂは本開示の範囲を任意の特定具現で制限しない。
【０２８１】
一実施形態で、それぞれＳＣＳ＝１５ｋＨｚ及び３０ｋＨｚの場合は図２７ａ及び図２７ｂに示される。ＮＲ−ＳＳブロックに対する ＳＣＳ＝１５ｋＨｚの場合に、ＳＣＳ＝１５ｋＨｚである１４−スロットの後半部(ｓｅｃｏｎｄ ｈａｌｆ)に位置された一つのＳＳブロック(ＳＳ ｂｌｏｃｋ、ＳＳＢ)がある。図２７ａで、４−シンボルＮＲ ＳＳブロックはシンボル＃８で開始してシンボル＃１１で終わる。図２７ｂで、５−シンボルＮＲ ＳＳブロックはシンボル＃７で開始してシンボル＃１１で終わる。ＮＲ−ＳＳブロックに対する ＳＣＳ＝３０ｋＨｚの場合に、１ｍｓ内でＳＣＳ＝３０ｋＨｚである２つの１４−スロットがあって、２つの連続的なＳＳブロック(ＳＳＢ)はＳＣＳ＝３０ｋＨｚである第２ １４−シンボルスロットに位置される。
【０２８２】
図２７ａで、一つの４−シンボルＮＲ ＳＳブロックはシンボル＃２で開示してシンボル＃５で終わって、他の４−シンボルＮＲ ＳＳブロックはＳＣＳ＝３０ｋＨｚである第２ １４−シンボルスロットのシンボル＃６で開始してシンボル＃９で終わる。図２７ｂで、一つの５−シンボル ＮＲ ＳＳブロックはシンボル＃０で開始しでシンボル＃４で終わって、他の５−シンボルＮＲ ＳＳブロックはＳＣＳ＝３０ｋＨｚである第２ １４−シンボルスロットのシンボル＃５で開始してシンボル ＃９で終わる。それぞれのスロットは＃０乃至＃１３のシンボルインデックスを有した１４−シンボルを有するということを注目する。このようなＮＲ−ＳＳブロックの位置は１ｍｓサブフレームの開始でＳＣＳ＝１５ｋＨｚ及びＣＰタイプの正常ＣＰ(ｎｏｒｍａｌ ＣＰ、ＮＣＰ)又は拡張されたＣＰ(ｅｘｔｅｎｄｅｄ ＣＰ、ＥＣＰ)を用いてＬＴＥ ＭＢＳＦＮでＬＴＥ２−シンボルＰＤＣＣＨと重ねることを避けることができる。ＮＲ−ＰＤＣＣＨはＬＴＥ ＰＤＣＣＨ及びＮＲ−ＳＳブロックと重ねない任意のシンボルに送信されることができる。ＧＰ(ｇｕａｒｄ ｐｅｒｉｏｄ)のようにＮＲ−ＰＵＣＣＨは１４−シンボルスロット又は７−シンボルスロットの終りで送信されることができる。
【０２８３】
ＮＲ−ＳＳブロックの最大数が周波数帯域に対して４の場合、ＮＲ−ＳＳブロックの最大数はＳＣＳ＝１５ｋＨｚがＮＲ−ＳＳブロックに用いられる場合に４ｍｓを要する。ＮＲ−ＳＳブロックの最大数が周波数帯域に対して４の場合、ＮＲ−ＳＳブロックの最大数はＳＣＳ＝３０ｋＨｚがＮＲ−ＳＳブロックに用いられる場合に２ｍｓを要する。
【０２８４】
ＮＲ−ＳＳブロックの最大数が周波数帯域に対して８の場合、ＮＲ−ＳＳブロックの最大数はＳＣＳ＝１５ｋＨｚがＮＲ−ＳＳブロックに用いられる場合に８ｍｓを要する。ＮＲ−ＳＳブロックの最大数が周波数帯域に対して４の場合、ＮＲ−ＳＳブロックの最大数はＳＣＳ＝３０ｋＨｚがＮＲ−ＳＳブロックに用いられる場合に４ｍｓを要する。
【０２８５】
図２８ａは、本開示の実施形態による他の４−シンボルＳＳブロック２８００を示す図２８ａに示された４−シンボルＳＳブロック２８００の実施形態はただ例示のためのことである。図２８ａは本開示の範囲を任意の特定具現で制限しない。
【０２８６】
図２８ｂは、本開示の実施形態によるまた他の４−シンボルＳＳブロック２８２０を示す。図２８ｂに示された５−シンボルＳＳブロック２８２０の実施形態はただ例示のためのことである。図２８ｂは本開示の範囲を任意の特定具現で制限しない。
【０２８７】
図２８ｃは、本開示の実施形態による他の５−シンボルＳＳブロック２８４０を示す。図２８ｃに示された５−シンボルＳＳブロック２８４０の実施形態はただ例示のためのことである。図２８ｃは本開示の範囲を任意の特定具現で制限しない。
【０２８８】
一実施形態で、それぞれＳＣＳ＝１２０ｋＨｚ及び２４０ｋＨｚの場合は図２８ａ、図２８ｂ及び図２８ｃに示される。ＮＲ−ＳＳブロックに対するＳＣＳ＝１２０ｋＨｚの場合に、ＳＣＳ＝１２０ｋＨｚである１４−スロットに位置された２つのＳＳブロック(ＳＳＢ)がある。図２８ａで、一つの４−シンボルＮＲ ＳＳブロックはシンボル＃２で開始してシンボル＃５で終わって、他の４−シンボルＮＲ ＳＳブロックはシンボル＃７で開始してシンボル＃１０で終わる。
【０２８９】
図２８ｂで、一つの４−シンボルＮＲ ＳＳブロックはシンボル＃２で開始してシンボル＃５で終わって、他の４−シンボルＮＲ ＳＳブロックはシンボル＃６で開始してシンボル＃９で終わる。図２８ｃで、一つの５−シンボルＮＲ ＳＳブロックはシンボル＃２で開始してシンボル＃６で終わって、他の５−シンボルＮＲ ＳＳブロックはシンボル＃７で開始してシンボル＃１１で終わる。ＮＲ−ＳＳブロックに対するＳＣＳ＝２４０ｋＨｚの場合に、０．１２５ｍｓ内でＳＣＳ＝２４０ｋＨｚである２つの１４−スロットがあって、２つの連続的なＳＳブロック(ＳＳＢ)はＳＣＳ＝２４０ｋＨｚである１４−シンボルスロットごとに位置される。
【０２９０】
図２８ａで、ＳＣＳ＝２４０ｋＨｚが０．１２５ｍｓである第１ １４−シンボルスロットで、一つの４−シンボルＮＲ ＳＳブロックはシンボル＃４で開始してシンボル＃７で終わって、他の４−シンボルＮＲ ＳＳブロックはシンボル＃８で開始してシンボル＃１１で終わる。ＳＣＳ＝２４０ｋＨｚが０．１２５ｍｓである第２ １４−シンボルスロットで、一つの４−シンボルＮＲ ＳＳブロックはシンボル＃０で開始してシンボル＃３で終わって、他の４−シンボルＮＲ ＳＳブロックはシンボル＃４で開始してシンボル＃７で終わる。
【０２９１】
図２８ｂで、ＳＣＳ＝２４０ｋＨｚが０．１２５ｍｓである２つの連続的な１４−シンボルスロットで、連続的な８個の４−シンボルＮＲ ＳＳブロックはＳＣＳ＝２４０ｋＨｚである第１ １４−シンボルスロットのシンボル＃４で開始してＳＣＳ＝２４０ｋＨｚが０．１２５ｍｓである第２ １４−シンボルスロットのシンボル＃５で終わる。
【０２９２】
図２８ｃで、ＳＣＳ＝２４０ｋＨｚが０．１２５ｍｓである第１ １４−シンボルスロットで、一つの５−シンボルＮＲ ＳＳブロックはシンボル＃４で開始してシンボル＃８で終わって、他の５−シンボルＮＲ ＳＳブロックはシンボル ＃９で開始してシンボル＃１３で終わる。ＳＣＳ＝２４０ｋＨｚが０．１２５ｍｓである第２ １４−シンボルスロットで、一つの５−シンボルＮＲ ＳＳブロックはシンボル ＃０で開始してシンボル＃４で終わって、他の５−シンボルＮＲ ＳＳブロックはシンボル＃５で開始してシンボル＃９で終わる。それぞれのスロットは＃０乃至＃１３のシンボルインデックスを有した１４−シンボルを有するということを注目する。このようなＮＲ−ＳＳブロックの位置はＳＣＳ＝１２０ｋＨｚであるスロットの始めでのＮＲ−ＰＤＣＣＨとスロットの終りでＧＰと共にＮＲ−ＰＵＣＣＨと重ねることを避けることができる。また、データＳＣＳ＝６０ｋＨｚである７−シンボルスロットでのＰＤＣＣＨと ＰＵＣＣＨと重ねることを避ける。
【０２９３】
ＮＲ−ＳＳブロックの最大数が周波数帯域に対して６４の場合、ＮＲ−ＳＳブロックの最大数はＳＣＳ＝１２０ｋＨｚがＮＲ−ＳＳブロックに用いられる場合に４ｍｓを要し、それぞれの１ｍｓは０。１２５ｍｓ当り２個のＮＲ−ＳＳブロックを有する１６個のＮＲ−ＳＳブロックを含む。ＮＲ−ＳＳブロックの最大数が周波数帯域に対して４の場合、ＮＲ−ＳＳブロックの最大数はＳＣＳ＝２４０ｋＨｚがＮＲ−ＳＳブロックに用いられる場合に２ｍｓを要し、それぞれの１ｍｓは０．１２５ｍｓ 当り４個のＮＲ−ＳＳブロックを有する ３２個のＮＲ−ＳＳブロックを含む。
【０２９４】
本開示が例示的な実施形態に説明されたが、多様な変更及び修正が通常の技術者に提示されることができる。本開示は添付された請求項の範疇内に属するこのような変更及び修正を含むことで意図される。
【０２９５】
本出願における説明は任意の特定要素、段階又は機能が請求範囲に含まれなければならない必須要素であることを暗示することで解釈されてはいけない。特許された主題(ｐａｔｅｎｔｅｄ ｓｕｂｊｅｃｔ ｍａｔｔｅｒ)の範囲は請求項によってだけ定義される。さらに、どんな請求項も正確な単語 “のための手段(ｍｅａｎｓ ｆｏｒ)”の次に分詞(ｐａｒｔｉｃｉｐｌｅ)がよらなければ３５Ｕ.Ｓ.Ｃ.§１１２(ｆ)を行使するように意図されない。
【符号の説明】
【０２９６】
130  インターネット
210a  ＲＦ送受信機
210b  ＲＦ送受信機
210n  ＲＦ送受信機
215  ＴＸ処理回路
220  ＲＸ処理回路
225  制御機／プロセッサ
230  メモリー
235  バックホール／ネットワークＩＦ
310  ＲＦ送受信機
315  ＴＸ処理回路
320  マイクロフォン
325  ＲＸ処理回路
330  スピーカー
340  プロセッサ
350  タッチスクリーン
355  ディスプレー
360  メモリー
362  アプリケーション
405  チャンネルコーディング及び変調
410  直列対並列
415  大きさＮ  ＩＦＦＴ
420  並列対直列
425  付加サイクリックプレフィックス
460  除去サイクリックプレフィックス
465  直列対並列
470  大きさＮ  ＩＦＦＴ
475  並列対直列
480  チャンネルデコーディング及び復調
510  情報ビット
520  エンコーダー
530  変調器
550  ＲＥマッピング
555  送信ＢＷの制御
580  フィルター
590  送信される
610  受信される
620  フィルター
630  ＲＥデーマッピング
635  受信ＢＷの制御
660  復調器
670  デコーダ―
680  情報ビット
710  データビット
720  エンコーダー
730  変調器
750  ＲＥマッピング
755  送信ＢＷの制御
770  フィルター
780  送信される
810  受信される
820  フィルター
840  ＲＥマッピング
845  受信ＢＷの制御
860  復調器
870  デコーダ―
880  データビット
930a  スライス１に対するデータフレーム／サブフレーム
930b  スライス１に対するデータフレーム／サブフレーム
970a  スライス２に対するデータフレーム／サブフレーム
970b  スライス１に対するデータフレーム／サブフレーム
970c  スライス２に対するデータフレーム／サブフレーム
【図１】
2020508614.tif 000025
【図２】
2020508614.tif 000026
【図３】
2020508614.tif 000027
【図４ａ】
2020508614.tif 000028
【図４ｂ】
2020508614.tif 000029
【図５】
2020508614.tif 000030
【図６】
2020508614.tif 000031
【図７】
2020508614.tif 000032
【図８】
2020508614.tif 000033
【図９】
2020508614.tif 000034
【図１０】
2020508614.tif 000035
【図１１】
2020508614.tif 000036
【図１２】
2020508614.tif 000037
【図１３】
2020508614.tif 000038
【図１４】
2020508614.tif 000039
【図１５】
2020508614.tif 000040
【図１６】
2020508614.tif 000041
【図１７ａ】
2020508614.tif 000042
【図１７ｂ】
2020508614.tif 000043
【図１７ｃ】
2020508614.tif 000044
【図１７ｄａ】
2020508614.tif 000045
【図１７ｄｂ】
2020508614.tif 000046
【図１７ｅａ】
2020508614.tif 000047
【図１７ｅｂ】
2020508614.tif 000048
【図１７ｆ】
2020508614.tif 000049
【図１８ａ】
2020508614.tif 000050
【図１８ｂ】
2020508614.tif 000051
【図１９ａ】
2020508614.tif 000052
【図１９ｂ】
2020508614.tif 000053
【図１９ｃ】
2020508614.tif 000054
【図２０ａ】
2020508614.tif 000055
【図２０ｂ】
2020508614.tif 000056
【図２０ｃ】
2020508614.tif 000057
【図２１ａａ】
2020508614.tif 000058
【図２１ａｂ】
2020508614.tif 000059
【図２１ｂａ】
2020508614.tif 000060
【図２１ｂｂ】
2020508614.tif 000061
【図２２ａ】
2020508614.tif 000062
【図２２ｂ】
2020508614.tif 000063
【図２３ａ】
2020508614.tif 000064
【図２３ｂ】
2020508614.tif 000065
【図２４ａ】
2020508614.tif 000066
【図２４ｂ】
2020508614.tif 000067
【図２５ａ】
2020508614.tif 000068
【図２５ｂ】
2020508614.tif 000069
【図２５ｃ】
2020508614.tif 000070
【図２５ｄ】
2020508614.tif 000071
【図２６ａ】
2020508614.tif 000072
【図２６ｂ】
2020508614.tif 000073
【図２６ｃ】
2020508614.tif 000074
【図２６ｄ】
2020508614.tif 000075
【図２７ａ】
2020508614.tif 000076
【図２７ｂ】
2020508614.tif 000077
【図２８ａ】
2020508614.tif 000078
【図２８ｂ】
2020508614.tif 000079
【図２８ｃ】
2020508614.tif 000080
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
無線通信システムの端末（ｕｓｅｒ ｅｑｕｉｐｍｅｎｔ）において、
送受信部と、
基地局（ｂａｓｅ ｓｔａｔｉｏｎ）からＳＳＢ（ｓｙｎｃｈｒｏｎｉｚａｔｉｏｎ ｓｉｇｎａｌ ｂｌｏｃｋ）インデックスに対応するＳＳＢを受信し、前記ＳＳＢは、１次同期化信号（ｐｒｉｍａｒｙ ｓｙｎｃｈｒｏｎｉｚａｔｉｏｎ ｓｉｇｎａｌ）、２次同期化信号（ｓｅｃｏｎｄａｒｙ ｓｙｎｃｈｒｏｎｉｚａｔｉｏｎ ｓｉｇｎａｌ）、及びＭＩＢ（ｍａｓｔｅｒ ｉｎｆｏｒｍａｔｉｏｎ ｂｌｏｃｋ）と物理的ブロードキャストチャンネル（ｐｈｙｓｉｃａｌ ｂｒｏａｄｃａｓｔ ｃｈａｎｎｅｌ）のためのＤＭＲＳ（ｄｅｍｏｄｕｌａｔｉｏｎ ｒｅｆｅｒｅｎｃｅ ｓｉｇｎａｌ）と、を搬送する前記物理的ブロードキャストチャンネルを含み、
少なくとも一つの物理的ブロードキャストチャンネルシンボルに含まれたＤＭＲＳ ＲＥｓ（ｒｅｓｏｕｒｃｅ ｅｌｅｍｅｎｔｓ）を確認し、前記ＤＭＲＳに基づいて前記ＳＳＢインデックスを確認するように設定された前記送受信部に連結された処理部と、を含み、
前記ＤＭＲＳ ＲＥｓにマッピングされたＤＭＲＳシーケンスは、少なくとも全体又は一部の前記ＳＳＢインデックスに基づいて決定されることを特徴とする端末。
【請求項２】
前記ＤＭＲＳシーケンスが前記一部のＳＳＢインデックスに基づく場合、前記処理部は、他のチャンネルに基づいて前記ＳＳＢインデックスをさらに確認するように設定されたことを特徴とする、請求項１に記載の端末。
【請求項３】
前記ＤＭＲＳ ＲＥｓは、前記少なくとも一つの物理的ブロードキャストチャンネルシンボルにおいて４つのサブキャリアごとに一つ割り当てられ、
前記ＤＭＲＳ ＲＥｓのサブキャリアの位置は、前記物理的ブロードキャストチャンネルシンボルにおいて同一のものであることを特徴とする、請求項１に記載の端末。
【請求項４】
サブフレーム内のＳＳＢの最大個数及び前記サブフレーム内の各ＳＳＢの開始シンボルは、前記ＳＳＢのサブキャリア間隔に基づいて確認され、
前記ＳＳＢのサブキャリア間隔が１５ｋＨｚである場合、最大２個のＳＳＢが前記サブフレーム内にマッピングされ、
前記ＳＳＢのサブキャリア間隔が３０ｋＨｚである場合、最大４個のＳＳＢが前記サブフレーム内にマッピングされ、
前記ＳＳＢのサブキャリア間隔が１２０ｋＨｚである場合、最大１６個のＳＳＢが前記サブフレーム内にマッピングされ、
前記ＳＳＢのサブキャリア間隔が２４０ｋＨｚである場合、最大３２個のＳＳＢが前記サブフレーム内にマッピングされることを特徴とする、請求項１に記載の端末。
【請求項５】
前記ＭＩＢは、システム情報のサブキャリア間隔に関する情報を含むことを特徴とする、請求項１に記載の端末。
【請求項６】
前記システム情報は、少なくとも一つのＳＳＢを含むＳＳバースト（ＳＳ ｂｕｒｓｔ）内の活性化されたＳＳＢに関する情報を含み、
前記活性化されたＳＳＢに関する情報は、前記ＳＳバースト内の最大ＳＳＢ個数に基づき、少なくとも一つの活性化されたＳＳＢを指示するビットマップ、又は少なくとも一つの活性化されたＳＳＢグループを指示するビットマップとＳＳＢグループ内の少なくとも一つの活性化されたＳＳＢを指示するビットマップとの組み合わせのうち一つであると確認されることを特徴とする、請求項５に記載の端末。
【請求項７】
無線通信システムの基地局（ｂａｓｅ ｓｔａｔｉｏｎ）において、
送受信部と、
ＳＳＢ（ｓｙｎｃｈｒｏｎｉｚａｔｉｏｎ ｓｉｇｎａｌ ｂｌｏｃｋ）インデックスに基づいてＤＭＲＳ（ｄｅｍｏｄｕｌａｔｉｏｎ ｒｅｆｅｒｅｎｃｅ ｓｉｇｎａｌ）シーケンスを確認し、
前記ＤＭＲＳシーケンスを少なくとも一つの物理的ブロードキャストチャンネル（ｐｈｙｓｉｃａｌ ｂｒｏａｄｃａｓｔ ｃｈａｎｎｅｌ）シンボルに含まれたＤＭＲＳ ＲＥｓ（ｒｅｓｏｕｒｃｅ ｅｌｅｍｅｎｔｓ）にマッピングし、
ＳＳＢは、１次同期化信号（ｐｒｉｍａｒｙ ｓｙｎｃｈｒｏｎｉｚａｔｉｏｎ ｓｉｇｎａｌ）、２次同期化信号（ｓｅｃｏｎｄａｒｙ ｓｙｎｃｈｒｏｎｉｚａｔｉｏｎ ｓｉｇｎａｌ）、及びＭＩＢ（ｍａｓｔｅｒ ｉｎｆｏｒｍａｔｉｏｎ ｂｌｏｃｋ）と前記ＤＭＲＳとを搬送する物理的ブロードキャストチャンネルを含む、前記ＳＳＢインデックスに対応する前記ＳＳＢを送信するように設定された前記送受信部に連結された処理部と、を含み、
前記ＤＭＲＳシーケンスは、少なくとも全体又は一部の前記ＳＳＢインデックスに基づいて決定されることを特徴とする基地局。
【請求項８】
前記ＤＭＲＳシーケンスが前記一部のＳＳＢインデックスに基づく場合、前記処理部は、前記ＳＳＢインデックスに基づいて他のチャンネルを送信するように設定されたことを特徴とする、請求項７に記載の基地局。
【請求項９】
前記ＤＭＲＳ ＲＥｓは、前記少なくとも一つの物理的ブロードキャストチャンネルシンボルにおいて４つのサブキャリアごとに一つ割り当てられ、
前記ＤＭＲＳ ＲＥｓのサブキャリアの位置は、前記物理的ブロードキャストチャンネルシンボルにおいて同一のものであることを特徴とする、請求項７に記載の基地局。
【請求項１０】
サブフレーム内のＳＳＢの最大個数及び前記サブフレーム内の各ＳＳＢの開始シンボルは、前記ＳＳＢのサブキャリア間隔に基づいて確認され、
前記ＳＳＢのサブキャリア間隔が１５ｋＨｚである場合、最大２個のＳＳＢが前記サブフレーム内にマッピングされ、
前記ＳＳＢのサブキャリア間隔が３０ｋＨｚである場合、最大４個のＳＳＢが前記サブフレーム内にマッピングされ、
前記ＳＳＢのサブキャリア間隔が１２０ｋＨｚである場合、最大１６個のＳＳＢが前記サブフレーム内にマッピングされ、
前記ＳＳＢのサブキャリア間隔が２４０ｋＨｚである場合、最大３２個のＳＳＢが前記サブフレーム内にマッピングされることを特徴とする、請求項７に記載の基地局。
【請求項１１】
前記ＭＩＢは、システム情報のサブキャリア間隔に関する情報を含むことを特徴とする、請求項７に記載の基地局。
【請求項１２】
前記システム情報は、少なくとも一つのＳＳＢを含むＳＳバースト（ＳＳ ｂｕｒｓｔ）内の活性化されたＳＳＢに関する情報を含み、
前記活性化されたＳＳＢに関する情報は、前記ＳＳバースト内の最大ＳＳＢ個数に基づき、少なくとも一つの活性化されたＳＳＢを指示するビットマップ、又は少なくとも一つの活性化されたＳＳＢグループを指示するビットマップとＳＳＢグループ内の少なくとも一つの活性化されたＳＳＢを指示するビットマップとの組み合わせのうち一つであることを特徴とする、請求項１１に記載の基地局。
【請求項１３】
無線通信システムの端末（ｕｓｅｒ ｅｑｕｉｐｍｅｎｔ）の方法において、
基地局（ｂａｓｅ ｓｔａｔｉｏｎ）からＳＳＢ（ｓｙｎｃｈｒｏｎｉｚａｔｉｏｎ ｓｉｇｎａｌ ｂｌｏｃｋ）インデックスに対応するＳＳＢを受信する段階であって、前記ＳＳＢは、１次同期化信号（ｐｒｉｍａｒｙ ｓｙｎｃｈｒｏｎｉｚａｔｉｏｎ ｓｉｇｎａｌ）、２次同期化信号（ｓｅｃｏｎｄａｒｙ ｓｙｎｃｈｒｏｎｉｚａｔｉｏｎ ｓｉｇｎａｌ）、及びＭＩＢ（ｍａｓｔｅｒ ｉｎｆｏｒｍａｔｉｏｎ ｂｌｏｃｋ）と物理的ブロードキャストチャンネル（ｐｈｙｓｉｃａｌ ｂｒｏａｄｃａｓｔ ｃｈａｎｎｅｌ）のためのＤＭＲＳ（ｄｅｍｏｄｕｌａｔｉｏｎ ｒｅｆｅｒｅｎｃｅ ｓｉｇｎａｌ）と、を搬送する前記物理的ブロードキャストチャンネルとを含み、
少なくとも一つの物理的ブロードキャストチャンネルシンボルに含まれたＤＭＲＳ ＲＥｓ（ｒｅｓｏｕｒｃｅ ｅｌｅｍｅｎｔｓ）を確認する段階と、
前記ＤＭＲＳに基づいて前記ＳＳＢインデックスを確認する段階と、を含み、
前記ＤＭＲＳ ＲＥｓにマッピングされたＤＭＲＳシーケンスは、少なくとも全体又は一部の前記ＳＳＢインデックスに基づいて決定されることを特徴とする方法。
【請求項１４】
前記ＤＭＲＳシーケンスが前記一部のＳＳＢインデックスに基づく場合、前記ＳＳＢインデックスは、他のチャンネルに基づいてさらに確認されることを特徴とする、請求項１３に記載の方法。
【請求項１５】
前記ＤＭＲＳ ＲＥｓは、前記少なくとも一つの物理的ブロードキャストチャンネルシンボルにおいて４つのサブキャリアごとに一つ割り当てられ、
前記ＤＭＲＳ ＲＥｓのサブキャリアの位置は、前記物理的ブロードキャストチャンネルシンボルにおいて同一のものであることを特徴とする、請求項１３に記載の方法。
【請求項１６】
サブフレーム内のＳＳＢの最大個数及び前記サブフレーム内の各ＳＳＢの開始シンボルは、前記ＳＳＢのサブキャリア間隔に基づいて確認され、
前記ＳＳＢのサブキャリア間隔が１５ｋＨｚである場合、最大２個のＳＳＢが前記サブフレーム内にマッピングされ、
前記ＳＳＢのサブキャリア間隔が３０ｋＨｚである場合、最大４個のＳＳＢが前記サブフレーム内にマッピングされ、
前記ＳＳＢのサブキャリア間隔が１２０ｋＨｚである場合、最大１６個のＳＳＢが前記サブフレーム内にマッピングされ、
前記ＳＳＢのサブキャリア間隔が２４０ｋＨｚである場合、最大３２個のＳＳＢが前記サブフレーム内にマッピングされることを特徴とする、請求項１３に記載の方法。
【請求項１７】
前記ＭＩＢは、システム情報のサブキャリア間隔に関する情報を含むことを特徴とする、請求項１３に記載の方法。
【請求項１８】
前記システム情報は、少なくとも一つのＳＳＢを含むＳＳバースト（ＳＳ ｂｕｒｓｔ）内の活性化されたＳＳＢに関する情報を含み、
前記活性化されたＳＳＢに関する情報は、前記ＳＳバースト内の最大ＳＳＢ個数に基づき、少なくとも一つの活性化されたＳＳＢを指示するビットマップ、又は少なくとも一つの活性化されたＳＳＢグループを指示するビットマップとＳＳＢグループ内の少なくとも一つの活性化されたＳＳＢを指示するビットマップとの組み合わせのうち一つであると確認されることを特徴とする、請求項１７に記載の方法。
【請求項１９】
無線通信システムの基地局（ｂａｓｅ ｓｔａｔｉｏｎ）の方法において、
ＳＳＢ（ｓｙｎｃｈｒｏｎｉｚａｔｉｏｎ ｓｉｇｎａｌ ｂｌｏｃｋ）インデックスに基づいてＤＭＲＳ（ｄｅｍｏｄｕｌａｔｉｏｎ ｒｅｆｅｒｅｎｃｅ ｓｉｇｎａｌ）シーケンスを確認する段階と、
前記ＤＭＲＳシーケンスを少なくとも一つの物理的ブロードキャストチャンネル（ｐｈｙｓｉｃａｌ ｂｒｏａｄｃａｓｔ ｃｈａｎｎｅｌ）シンボルに含まれたＤＭＲＳ ＲＥｓ（ｒｅｓｏｕｒｃｅ ｅｌｅｍｅｎｔｓ）にマッピングする段階と、
ＳＳＢは、１次同期化信号（ｐｒｉｍａｒｙ ｓｙｎｃｈｒｏｎｉｚａｔｉｏｎ ｓｉｇｎａｌ）、２次同期化信号（ｓｅｃｏｎｄａｒｙ ｓｙｎｃｈｒｏｎｉｚａｔｉｏｎ ｓｉｇｎａｌ）、及びＭＩＢ（ｍａｓｔｅｒ ｉｎｆｏｒｍａｔｉｏｎ ｂｌｏｃｋ）と前記ＤＭＲＳとを搬送する物理的ブロードキャストチャンネルを含み、前記ＳＳＢインデックスに対応する前記ＳＳＢを送信する段階と、をさらに含み、
前記ＤＭＲＳシーケンスは、少なくとも全体又は一部の前記ＳＳＢインデックスに基づいて決定されることを特徴とする方法。
【請求項２０】
前記ＤＭＲＳシーケンスが前記一部のＳＳＢインデックスに基づく場合、他のチャンネルを前記ＳＳＢインデックスに基づいて送信する段階をさらに含むことを特徴とする、請求項１９に記載の方法。
【請求項２１】
前記ＤＭＲＳ ＲＥｓは、前記少なくとも一つの物理的ブロードキャストチャンネルシンボルにおいて４つのサブキャリアごとに一つ割り当てられ、
前記ＤＭＲＳ ＲＥｓのサブキャリアの位置は、前記物理的ブロードキャストチャンネルシンボルにおいて同一のものであることを特徴とする、請求項１９に記載の方法。
【請求項２２】
サブフレーム内のＳＳＢの最大個数及び前記サブフレーム内の各ＳＳＢの開始シンボルは、前記ＳＳＢのサブキャリア間隔に基づいて確認され、
前記ＳＳＢのサブキャリア間隔が１５ｋＨｚである場合、最大２個のＳＳＢが前記サブフレーム内にマッピングされ、
前記ＳＳＢのサブキャリア間隔が３０ｋＨｚである場合、最大４個のＳＳＢが前記サブフレーム内にマッピングされ、
前記ＳＳＢのサブキャリア間隔が１２０ｋＨｚである場合、最大１６個のＳＳＢが前記サブフレーム内にマッピングされ、
前記ＳＳＢのサブキャリア間隔が２４０ｋＨｚである場合、最大３２個のＳＳＢが前記サブフレーム内にマッピングされることを特徴とする、請求項１９に記載の方法。
【請求項２３】
前記ＭＩＢは、システム情報のサブキャリア間隔に関する情報を含むことを特徴とする、請求項１９に記載の方法。
【請求項２４】
前記システム情報は、少なくとも一つのＳＳＢを含むＳＳバースト（ＳＳ ｂｕｒｓｔ）内の活性化されたＳＳＢに関する情報を含み、
前記活性化されたＳＳＢに関する情報は、前記ＳＳバースト内の最大ＳＳＢ個数に基づき、少なくとも一つの活性化されたＳＳＢを指示するビットマップ、又は少なくとも一つの活性化されたＳＳＢグループを指示するビットマップとＳＳＢグループ内の少なくとも一つの活性化されたＳＳＢを指示するビットマップとの組み合わせのうち一つであると確認されることを特徴とする、請求項２３に記載の方法。
【国際調査報告】
2020508614.tif 000081
2020508614.tif 000082